(57)【特許請求の範囲】
【請求項１】
複数種類の図柄を変動させて行う図柄変動ゲームを実行するゲーム実行手段を備え、前記図柄変動ゲームでは、１回又は連続して実行される複数回の図柄変動ゲーム毎に特定演出を実行可能であって前記特定演出を伴う図柄変動ゲームの連続回数に伴って大当り信頼度が変化する大当り予告演出を実行可能な遊技機において、
入賞した遊技球を検知可能な第１入賞検知手段で入賞検知された遊技球を第１始動保留球として記憶する一方で、前記第１入賞検知手段とは別に設けられ、入賞した遊技球を検知可能な第２入賞検知手段で入賞検知された遊技球を第２始動保留球として記憶する保留記憶手段と、
前記第１入賞検知手段における入賞検知を契機として判定用乱数の値を読み出す第１乱数読出手段と、
前記第２入賞検知手段における入賞検知を契機として判定用乱数の値を読み出す第２乱数読出手段と、
前記第２始動保留球が前記保留記憶手段に記憶されていない場合であって前記第１始動保留球が前記保留記憶手段に記憶されている場合には、前記第１乱数読出手段が読み出した判定用乱数の値と予め定めた大当り判定値とを比較して大当りか否かの第１大当り抽選を実行するとともに、前記第２始動保留球が前記保留記憶手段に記憶されている場合には、前記第２乱数読出手段が読み出した判定用乱数の値と前記大当り判定値とを比較して大当りか否かの第２大当り抽選を実行する大当り抽選手段と、
前記大当り抽選手段の抽選結果に基づき前記図柄変動ゲームの変動内容を決定する変動内容決定手段と、
前記変動内容決定手段が決定した変動内容にしたがって前記ゲーム実行手段を制御し、前記図柄変動ゲームを実行させるゲーム制御手段と、
前記第１入賞検知手段における入賞検知時に、当該入賞検知を契機として読み出された判定用乱数の値が前記第１大当り抽選で大当りに当選する大当りを示す値であるか否かを事前判定する事前判定手段と、
前記事前判定手段が否定判定する第１実行条件及び前記事前判定手段が肯定判定する第２実行条件の何れかの実行条件の成立を契機として前記大当り予告演出を実行させる場合に、前記第１実行条件又は前記第２実行条件が成立した時点における前記第１始動保留球の記憶数分の図柄変動ゲームが、前記第１始動保留球に基づき実行されて終了する迄の間に実行される図柄変動ゲーム毎に前記特定演出を実行し、前記大当り予告演出を実行するように所定の予告実行手段を制御可能な予告制御手段と、
前記大当り予告演出の実行中、当該大当り予告演出を実行する対象とされた前記第１始動保留球に基づく図柄変動ゲームのうち何れかの図柄変動ゲームの終了後、前記大当り予告演出を実行する対象とされた次の前記第１始動保留球に基づく図柄変動ゲームよりも先に前記第２始動保留球に基づく図柄変動ゲームが割り込み実行される場合、実行中の大当り予告演出が前記第１実行条件の成立を契機とした大当り予告演出であるときには、前記第２始動保留球に基づく図柄変動ゲームにおける前記特定演出の実行を規制する一方、実行中の大当り予告演出が前記第２実行条件の成立を契機とした大当り予告演出であるときには、前記第２始動保留球に基づく図柄変動ゲームにおける前記特定演出の実行を許容する予告規制手段と、を備えた遊技機。
【請求項２】
前記予告制御手段は、前記特定演出を実行させた図柄変動ゲームの連続実行回数を計数し、当該計数結果に応じた演出内容で前記特定演出を実行するように前記予告実行手段を制御可能に構成され、
前記大当り予告演出の実行中、前記第２始動保留球に基づく図柄変動ゲームにおける前記特定演出の実行が許容される場合には、当該第２始動保留球に基づく図柄変動ゲームを含めて連続実行回数を計数する一方、前記第２始動保留球に基づく図柄変動ゲームにおける前記特定演出の実行が規制される場合には、当該第２始動保留球に基づく図柄変動ゲームを含めないで連続実行回数を計数する請求項１に記載の遊技機。
【請求項３】
前記事前判定手段が肯定判定した場合に、前記事前判定手段が判定した前記判定用乱数の値とともに前記第１乱数読出手段により読み出された大当り種判定用乱数の値に基づいて、前記大当り抽選で大当りに当選した場合に生起される大当り種を事前判定する大当り種事前判定手段を更に備え、
前記大当り種には、第１大当りと、前記第１大当りよりも遊技者が獲得し得る利益を高く設定した第２大当りと、を含み、
前記予告規制手段は、前記第２実行条件の成立を契機とした大当り予告演出の実行中、前記第２始動保留球に基づく図柄変動ゲームが割り込み実行される場合には、更に前記大当り種事前判定手段が前記第２大当りと判定しているか否かを確認し、前記大当り種事前判定手段が前記第２大当りと判定していない場合には前記第２始動保留球に基づく図柄変動ゲームにおける前記特定演出の実行を規制する請求項１又は請求項２に記載の遊技機。
【請求項４】
前記第２大当り抽選で大当りに当選した場合に、前記第２乱数読出手段が読み出した大当り種判定用乱数の値に基づき大当り種を判定する大当り種判定手段を更に備え、
前記予告規制手段は、前記第１実行条件の成立を契機とした大当り予告演出の実行中、前記第２始動保留球に基づく図柄変動ゲームが割り込み実行される場合には、更に前記大当り種判定手段が前記第２大当りと判定しているか否かを確認し、前記大当り種判定手段が前記第２大当りと判定している場合には前記第２始動保留球に基づく図柄変動ゲームにおける前記特定演出の実行を許容する請求項１〜請求項３のうち何れか一項に記載の遊技機。
【発明の詳細な説明】
【技術分野】
【０００１】
本発明は、１回又は連続して実行される複数回の図柄変動ゲーム毎に特定演出を実行する大当り予告演出を実行可能な遊技機に関する。
【背景技術】
【０００２】
従来、遊技機の一種であるパチンコ遊技機では、遊技盤に配設した始動入賞口への遊技球の入球を契機に大当りか否かの大当り抽選を行い、その大当り抽選の抽選結果を複数列の図柄を変動させて表示する図柄変動ゲームを実行させることにより導出させている。図柄変動ゲームでは、最終的に確定停止表示された図柄が大当り図柄である場合、遊技者は大当りを認識し得るようになっている。そして、この種のパチンコ遊技機では、図柄変動ゲーム中に大当り図柄が表示されるか否かを予め遊技者に告げる大当り予告演出を実行することで、遊技者の興趣を高めることが行われている。
【０００３】
このような大当り予告演出として、連続して実行される図柄変動ゲーム毎に所定態様による特定演出（予告演出）を行い、複数回の図柄変動ゲームを跨いだ連続演出を実行可能な遊技機が提案されている（例えば、特許文献１）。特許文献１のパチンコ遊技機では、始動入賞口への遊技球の入球時に大当りか否かを事前決定するとともに、当該事前決定の結果に応じて連続演出の実行可否を決定し、大当りと事前決定された図柄変動ゲーム迄に実行される１回又は複数回の図柄変動ゲーム毎に特定演出を行い、連続演出を実行するようになっている。
【先行技術文献】
【特許文献】
【０００４】
【特許文献１】特開平９−７００号公報
【発明の概要】
【発明が解決しようとする課題】
【０００５】
ところで、図柄変動ゲームの開始契機を付与する始動入賞口として、遊技球が常時入賞可能な第１始動入賞口と、変動時間短縮状態中（所謂、時短状態）に単位時間当りの開放時間が延長される開閉羽根（所謂、普通電動役物）を有する第２始動入賞口の２つの始動入賞口を備えたパチンコ遊技機が提供されている。２つの始動入賞口を備えたパチンコ遊技機では、第１の始動入賞口と比較して第２の始動入賞口への入球を契機とした大当り抽選のほうが利益の高い大当りに当選し易く構成されており、特に変動短縮状態中における遊技者の興趣を向上させている。このようなパチンコ遊技機では、第１始動入賞口への入賞に基づく図柄変動ゲームを対象とした連続演出の実行中に、第２始動入賞口への入賞に基づく図柄変動ゲームが割り込み実行されることで次のような問題が生じ得る。即ち、例えば、連続演出を実行する対象とされた第１始動入賞口への入賞を契機とした図柄変動ゲームのうち最後の図柄変動ゲームがはずれとなる場合において、割り込み実行される第２始動入賞口への入賞を契機とした図柄変動ゲームを含めて連続演出を実行した場合には、連続演出の開始時点における始動保留球の記憶数を超えた回数の図柄変動ゲームを跨いで連続演出が実行されたにもかかわらず最終的にはずれとなってしまう。この場合、連続演出に対する遊技者の信頼感を損なわせ、遊技者の興趣が低下してしまう虞がある。
【０００６】
この発明は、このような従来技術に存在する問題点に着目してなされたものであり、その目的は、図柄変動ゲーム毎に特定演出を行う連続演出の実行中において図柄変動ゲームが割り込み実行される場合、当該割り込み実行される図柄変動ゲームにおける特定演出を適切なタイミングで行い、遊技者の興趣が低下することを抑制できる遊技機を提供することにある。
【課題を解決するための手段】
【０００７】
上記問題点を解決するために、請求項１に記載の発明は、複数種類の図柄を変動させて行う図柄変動ゲームを実行するゲーム実行手段を備え、前記図柄変動ゲームでは、１回又は連続して実行される複数回の図柄変動ゲーム毎に特定演出を実行可能であって前記特定演出を伴う図柄変動ゲームの連続回数に伴って大当り信頼度が変化する大当り予告演出を実行可能な遊技機において、入賞した遊技球を検知可能な第１入賞検知手段で入賞検知された遊技球を第１始動保留球として記憶する一方で、前記第１入賞検知手段とは別に設けられ、入賞した遊技球を検知可能な第２入賞検知手段で入賞検知された遊技球を第２始動保留球として記憶する保留記憶手段と、前記第１入賞検知手段における入賞検知を契機として判定用乱数の値を読み出す第１乱数読出手段と、前記第２入賞検知手段における入賞検知を契機として判定用乱数の値を読み出す第２乱数読出手段と、前記第２始動保留球が前記保留記憶手段に記憶されていない場合であって前記第１始動保留球が前記保留記憶手段に記憶されている場合には、前記第１乱数読出手段が読み出した判定用乱数の値と予め定めた大当り判定値とを比較して大当りか否かの第１大当り抽選を実行するとともに、前記第２始動保留球が前記保留記憶手段に記憶されている場合には、前記第２乱数読出手段が読み出した判定用乱数の値と前記大当り判定値とを比較して大当りか否かの第２大当り抽選を実行する大当り抽選手段と、前記大当り抽選手段の抽選結果に基づき前記図柄変動ゲームの変動内容を決定する変動内容決定手段と、前記変動内容決定手段が決定した変動内容にしたがって前記ゲーム実行手段を制御し、前記図柄変動ゲームを実行させるゲーム制御手段と、前記第１入賞検知手段における入賞検知時に、当該入賞検知を契機として読み出された判定用乱数の値が前記第１大当り抽選で大当りに当選する大当りを示す値であるか否かを事前判定する事前判定手段と、前記事前判定手段が否定判定する第１実行条件及び前記事前判定手段が肯定判定する第２実行条件の何れかの実行条件の成立を契機として前記大当り予告演出を実行させる場合に、前記第１実行条件又は前記第２実行条件が成立した時点における前記第１始動保留球の記憶数分の図柄変動ゲームが、前記第１始動保留球に基づき実行されて終了する迄の間に実行される図柄変動ゲーム毎に前記特定演出を実行し、前記大当り予告演出を実行するように所定の予告実行手段を制御可能な予告制御手段と、前記大当り予告演出の実行中、当該大当り予告演出を実行する対象とされた前記第１始動保留球に基づく図柄変動ゲームのうち何れかの図柄変動ゲームの終了後、前記大当り予告演出を実行する対象とされた次の前記第１始動保留球に基づく図柄変動ゲームよりも先に前記第２始動保留球に基づく図柄変動ゲームが割り込み実行される場合、実行中の大当り予告演出が前記第１実行条件の成立を契機とした大当り予告演出であるときには、前記第２始動保留球に基づく図柄変動ゲームにおける前記特定演出の実行を規制する一方、実行中の大当り予告演出が前記第２実行条件の成立を契機とした大当り予告演出であるときには、前記第２始動保留球に基づく図柄変動ゲームにおける前記特定演出の実行を許容する予告規制手段と、を備えたことを要旨とする。
【０００８】
請求項２に記載の発明は、請求項１に記載の遊技機において、前記予告制御手段は、前記特定演出を実行させた図柄変動ゲームの連続実行回数を計数し、当該計数結果に応じた演出内容で前記特定演出を実行するように前記予告実行手段を制御可能に構成され、前記大当り予告演出の実行中、前記第２始動保留球に基づく図柄変動ゲームにおける前記特定演出の実行が許容される場合には、当該第２始動保留球に基づく図柄変動ゲームを含めて連続実行回数を計数する一方、前記第２始動保留球に基づく図柄変動ゲームにおける前記特定演出の実行が規制される場合には、当該第２始動保留球に基づく図柄変動ゲームを含めないで連続実行回数を計数することを要旨とする。
【００１０】
請求項３に記載の発明は、請求項１又は請求項２に記載の遊技機において、前記事前判定手段が肯定判定した場合に、前記事前判定手段が判定した前記判定用乱数の値とともに前記第１乱数読出手段により読み出された大当り種判定用乱数の値に基づいて、前記大当り抽選で大当りに当選した場合に生起される大当り種を事前判定する大当り種事前判定手段を更に備え、前記大当り種には、第１大当りと、前記第１大当りよりも遊技者が獲得し得る利益を高く設定した第２大当りと、を含み、前記予告規制手段は、前記第２実行条件の成立を契機とした大当り予告演出の実行中、前記第２始動保留球に基づく図柄変動ゲームが割り込み実行される場合には、更に前記大当り種事前判定手段が前記第２大当りと判定しているか否かを確認し、前記大当り種事前判定手段が前記第２大当りと判定していない場合には前記第２始動保留球に基づく図柄変動ゲームにおける前記特定演出の実行を規制することを要旨とする。
【００１１】
請求項４に記載の発明は、請求項１〜請求項３のうち何れか一項に記載の遊技機において、前記第２大当り抽選で大当りに当選した場合に、前記第２乱数読出手段が読み出した大当り種判定用乱数の値に基づき大当り種を判定する大当り種判定手段を更に備え、前記予告規制手段は、前記第１実行条件の成立を契機とした大当り予告演出の実行中、前記第２始動保留球に基づく図柄変動ゲームが割り込み実行される場合には、更に前記大当り種判定手段が前記第２大当りと判定しているか否かを確認し、前記大当り種判定手段が前記第２大当りと判定している場合には前記第２始動保留球に基づく図柄変動ゲームにおける前記特定演出の実行を許容することを要旨とする。
【発明の効果】
【００１２】
本発明によれば、図柄変動ゲーム毎に特定演出を行う連続演出の実行中において図柄変動ゲームが割り込み実行される場合、当該割り込み実行される図柄変動ゲームにおける特定演出を適切なタイミングで行い、遊技者の興趣が低下することを抑制できる。
【図面の簡単な説明】
【００１３】
【図１】パチンコ遊技機の機表側を示す正面図。
【図２】遊技盤を示す拡大図。
【図３】パチンコ遊技機の電気的構成を示すブロック図。
【図４】大当り（大当り遊技）の種類を説明するための説明図。
【図５】演出モードの移行態様を説明するための説明図。
【図６】変動パターンを説明するための説明図。
【図７】主制御用ＣＰＵが実行する特別図柄入力処理を示すフローチャート。
【図８】主制御用ＣＰＵが実行する特別図柄開始処理を示すフローチャート。
【図９】主制御用ＣＰＵが実行する特別図柄開始処理を示すフローチャート。
【図１０】主制御用ＣＰＵが実行する特別図柄開始処理を示すフローチャート。
【図１１】主制御基板（主制御用ＣＰＵ）が出力する事前判定コマンドの種類を説明するための説明図。
【図１２】主制御用ＣＰＵが実行する連続演出設定処理を示すフローチャート。
【図１３】主制御用ＣＰＵが実行する第１事前判定処理を示すフローチャート。
【図１４】主制御用ＣＰＵが実行する第２事前判定処理を示すフローチャート。
【図１５】第１特図始動保留球用の連続演出実行可否判定用テーブルを示す説明図。
【図１６】第２特図始動保留球用の連続演出実行可否判定用テーブルを示す説明図。
【図１７】第２特図始動保留球用の連続演出実行可否判定用テーブルを示す説明図。
【図１８】統括制御用ＣＰＵが実行する連続演出決定処理を示すフローチャート。
【図１９】統括制御用ＣＰＵが実行する第１連続演出実行処理を示すフローチャート。
【図２０】（ａ）及び（ｂ）は、連続演出の演出態様を示す説明図。
【図２１】（ａ）及び（ｂ）は、連続演出と擬似連続演出の演出態様を示す説明図。
【図２２】（ａ）及び（ｂ）は、第１特図始動保留球に基づく連続演出の実行中に第２特別図柄変動ゲームが割り込み実行される場合の演出態様を示す説明図。
【発明を実施するための形態】
【００１４】
以下、本発明をその一種であるパチンコ遊技機に具体化した一実施形態を図１〜図２２にしたがって説明する。
図１には、パチンコ遊技機１０が略示されており、パチンコ遊技機１０の機体の外郭をなす外枠１１の開口前面側には、各種の遊技用構成部材をセットする縦長方形の中枠１２が開放及び着脱自在に組み付けられているとともに、中枠１２の前面側には前枠１４が開閉及び着脱自在に組み付けられている。前枠１４は、図１に示すようにパチンコ遊技機１０を機正面側から見た場合において、中枠１２に重なるように組み付けられている。このため、中枠１２は、前枠１４の後側に配置されており、機正面側からはその一部しか視認し得ないようになっている。前枠１４は、中央部に窓口１４ａを有するとともに、該窓口１４ａの下方にパチンコ遊技機１０の遊技媒体となる遊技球を貯留可能な上皿（貯留皿）１５を一体成形した構成とされている。前枠１４の裏面側には、機内部に配置された遊技盤ＹＢを保護し、かつ窓口１４ａを覆う大きさのガラスを支持する図示しないガラス支持枠が着脱及び傾動開放可能に組み付けられている。遊技盤ＹＢは、中枠１２に装着される。また、前枠１４には、窓口１４ａのほぼ全周を囲むように、図示しない発光体（ランプ、ＬＥＤなど）の発光（点灯や点滅）により発光演出を行う電飾表示部を構成する上側枠用ランプ部１６ａと、左側枠用ランプ部１６ｂと、右側枠用ランプ部１６ｃとが配置されている。各枠用ランプ部１６ａ〜１６ｃは、前枠１４の前面に装着される複数の発光体を、該各発光体の発する光を透過可能に成形したランプレンズで覆って構成されている。
【００１５】
前枠１４には、窓口１４ａの左右上部に、各種音声を出力して音声演出を行う左スピーカ１７ａと、右スピーカ１７ｂとが配置されている。左スピーカ１７ａと右スピーカ１７ｂは、前枠１４の裏面に装着されており、該前枠１４の前面であって左スピーカ１７ａ及び右スピーカ１７ｂの装着部位に対応する部位には放音孔が複数形成されている。
【００１６】
中枠１２の前面側であって前枠１４の下部には、上皿１５から溢れ出た遊技球を貯留する下皿（貯留皿）１８が装着されている。また、中枠１２の前面側であって下皿１８の右方には、遊技球を遊技盤ＹＢに発射させる際に遊技者によって回動操作される遊技球発射用の発射ハンドル１９が装着されている。また、前枠１４には、下皿１８の左方に、各種音声を出力して音声演出を行う下スピーカ１７ｃが配置されている。下スピーカ１７ｃは、中枠１２に装着されている。
【００１７】
上皿１５には、その左方側に機内部から払出される遊技球の図示しない払出口が設けられているとともに、遊技者の保有する遊技球を貯留する凹状の貯留通路１５ａが連設されており、さらに右方側に貯留通路１５ａ内の遊技球を機内部に取り込む図示しない上皿取込口が設けられている。上皿１５に貯留された遊技球は、貯留通路１５ａにより前記上皿取込口へ案内されるとともに該上皿取込口を介して１球ずつ機内に取り込まれ、遊技盤ＹＢに向けて発射される。遊技盤ＹＢに向けて発射される遊技球は、発射ハンドル１９の回動量に応じて発射の強弱が設定される。また、下皿１８には、上皿１５から溢れ出て流下した遊技球の出口１８ａが設けられているとともに、遊技球を貯留する凹状の貯留部１８ｂが遊技球の出口１８ａに連設されている。
【００１８】
次に、遊技盤ＹＢの構成について図２にしたがって詳しく説明する。
遊技盤ＹＢの前面には、発射ハンドル１９の操作によって発射された遊技球を誘導し、かつパチンコ遊技の主体となるほぼ円形の遊技領域Ｈ１を形成する誘導レール２０が円形渦巻き状に敷設されている。この誘導レール２０によって遊技盤ＹＢには、該遊技盤ＹＢの左下方から左上方に向かって延びる遊技球の誘導路２０ａが形成されるとともに、誘導レール２０の内側に遊技領域Ｈ１が形成される。また、遊技盤ＹＢの前面であって誘導レール２０の外側となる遊技領域Ｈ１外は、パチンコ遊技に直接関与しない非遊技領域Ｈ２とされている。
【００１９】
遊技盤ＹＢの遊技領域Ｈ１のほぼ中央（センター）には、各種の表示器や各種の飾りを施した表示枠体（センター役物）２１が装着されている。表示枠体２１の略中央には、正面視横長矩形に開口するセット口２１ａが形成されており、当該セット口２１ａに整合して表示枠体２１には液晶ディスプレイ型の画像表示部ＧＨを有する演出表示装置２２が装着されている。本実施形態では、演出表示装置２２がゲーム実行手段として機能する。演出表示装置２２には、複数列（本実施形態では３列）の図柄列を変動させて行う図柄変動ゲームを含み、該ゲームに関連して実行される各種の表示演出（遊技演出）が画像表示されるようになっている。本実施形態において演出表示装置２２の図柄変動ゲームでは、複数列（本実施形態では３列）の図柄からなる図柄組み合わせを導出する。なお、演出表示装置２２の図柄変動ゲームは、表示演出を多様化するための飾り図柄（演出図柄）を用いて行われる。以下の説明において、飾り図柄を単に「飾図」と示す場合があるとともに、演出表示装置２２において表示演出として行われる飾図による図柄変動ゲームを飾り図柄変動ゲームと示す場合がある。
【００２０】
また、表示枠体２１においてセット口２１ａの上方には、所定のキャラクタ（本実施形態では、「桜」）を模して形成され、所定動作による可動体演出を行う予告実行手段としての演出用可動体ＳＫが配設されている。演出用可動体ＳＫには、図示しないアクチュエータ（モータなど）が接続されており、可動体演出として、セット口２１ａより上方とされ遊技者から見て画像表示部ＧＨと前後方向に重ならない初期位置から、遊技者から見て画像表示部ＧＨと前後方向に重なる演出位置（図２において二点鎖線で示す位置）に移動可能に構成されている。また、演出用可動体ＳＫには、図示しない発光体（ＬＥＤなど）が内蔵されており、可動体演出中に「白色」、「青色」、「緑色」、及び「赤色」の何れかの発光色で発光可能に構成されている。以下の説明では、「白色」、「青色」、「緑色」、及び「赤色」のうち何れかの発光色での発光を伴う演出用可動体ＳＫによる可動体演出を単に「特定演出」と示す。
【００２１】
図２において、遊技盤ＹＢの遊技領域Ｈ１の（遊技者から見て）左下方には、８セグメント型の第１特図表示器２３ａ及び第２特図表示器２３ｂが設けられている。第１特図表示器２３ａ及び第２特図表示器２３ｂでは、複数種類の図柄を変動させて表示する図柄変動ゲームが行われる。そして、図柄変動ゲームにおいて第１特図表示器２３ａ又は第２特図表示器２３ｂでは、複数種類の特別図柄（以下、「特図」と示す場合がある）を１列で変動させて特別図柄を表示する。この特別図柄は、大当りか否かなどの内部抽選の結果を示す報知用の図柄である。以下、第１特図表示器２３ａで特図を用いて行われる図柄変動ゲームを「第１特別図柄変動ゲーム」と示し、第２特図表示器２３ｂで特図を用いて行われる図柄変動ゲームを「第２特別図柄変動ゲーム」と示す場合がある。
【００２２】
そして、第１特図表示器２３ａ又は第２特図表示器２３ｂでは、図柄変動ゲームの開始により同時に図柄の変動表示が開始され、該ゲームの終了と同時に特別図柄が確定停止表示される。また、演出表示装置２２では、図柄変動ゲームの開始により同時に飾り図柄の変動表示が開始され、該ゲーム終了前に飾り図柄がゆれ変動状態で一旦停止表示され、該ゲームの終了と同時に各列の飾り図柄が確定停止表示される。「変動表示」とは、図柄を表示する表示器に定める表示領域内において表示される図柄の種類が変化している状態であり、「一旦停止表示」とは、前記表示領域内において図柄がゆれ変動状態で表示されている状態である。また、「確定停止表示」とは、前記表示領域内において図柄が確定停止している状態である。なお、第１特図表示器２３ａと演出表示装置２２では、同時に第１特別図柄変動ゲームと該第１特別図柄変動ゲームに係わる表示演出（飾り図柄変動ゲーム）が開始され、同時に終了する（即ち、同時に特別図柄と飾り図柄が確定停止表示される）。同様に、第２特図表示器２３ｂと演出表示装置２２では、同時に第２特別図柄変動ゲームと該第２特別図柄変動ゲームに係わる表示演出（飾り図柄変動ゲーム）が開始され、同時に終了する（即ち、同時に特別図柄と飾り図柄が確定停止表示される）。その一方、第１特図表示器２３ａと、第２特図表示器２３ｂでは、並行して図柄変動ゲームが行われることがない。即ち、第１特別図柄変動ゲームと第２特別図柄変動ゲームのうち、どちらか一方のみが実行されるようになっている。
【００２３】
本実施形態において第１特図表示器２３ａ及び第２特図表示器２３ｂには、複数種類の特図の中から、大当り抽選の抽選結果に対応する１つの特図が選択され、その選択された特図が図柄変動ゲームの終了によって確定停止表示される。なお、本実施形態において、第１特図表示器２３ａに表示される特別図柄は、特別図柄１と示し、第２特図表示器２３ｂに表示される特別図柄は、特別図柄２と示して区別する場合がある。複数種類の特図は、大当りを認識し得る図柄となる１００種類の大当り図柄（大当り表示結果に相当する）と、小当りを認識し得る図柄となる１０種類の小当り図柄（小当り表示結果に相当する）と、はずれを認識し得る図柄となる１種類のはずれ図柄とに分類される。なお、大当り図柄が表示された場合、遊技者には、大当り遊技が付与される。また、小当り図柄が表示された場合、遊技者には、小当り遊技が付与される。本実施形態の大当り遊技及び小当り遊技については後で詳細に説明する。
【００２４】
また、本実施形態において演出表示装置２２には、各列毎に［１］、［２］、［３］、［４］、［５］、［６］、［７］の７種類の数字が飾図として表示されるようになっている。そして、本実施形態において演出表示装置２２（画像表示部ＧＨ）は、第１特図表示器２３ａ及び第２特図表示器２３ｂに比較して大きい表示領域で構成されるとともに、飾図は特図に比較して遥かに大きく表示されるようになっている。このため、遊技者は、演出表示装置２２に停止表示された図柄組み合わせから大当り又ははずれを認識できる。演出表示装置２２に停止表示された全列の図柄が同一図柄の場合には、その図柄組み合わせ（［２２２］［７７７］など）から大当り遊技が付与される大当りを認識できる。この大当りを認識できる図柄組み合わせが飾図による大当りの図柄組み合わせ（大当り表示結果）となる。大当りの図柄組み合わせが確定停止表示されると、遊技者には、図柄変動ゲームの終了後に大当り遊技が付与される。一方、演出表示装置２２に確定停止表示された全列の図柄が異なる種類の場合、又は１列の図柄が他の２列の図柄とは異なる種類の場合には、原則として、その図柄組み合わせ（［１２３］［１２２］［７６７］など）からはずれを認識できる。このはずれを認識できる図柄組み合わせが飾図によるはずれの図柄組み合わせ（はずれ表示結果）となる。なお、はずれの図柄組み合わせの中でも所定の図柄組み合わせ（例えば、［１２３］）が表示された場合には、大当り及び小当りのいずれかに当選したことを認識できる。この大当り及び小当りの何れかに当選したことを認識できる図柄組み合わせが、大当り抽選の抽選確率状態が高確率抽選状態となる確率変動状態（確変状態）が付与される可能性を示唆する確変示唆の図柄組み合わせとなる。
【００２５】
なお、本実施形態において演出表示装置２２で表示可能な飾図は、大当り遊技の終了後に確変状態を付与することを確定的に認識可能な特定図柄（本実施形態では、［１］、［３］、［５］、及び［７］の奇数図柄）と、大当り遊技終了後に確変状態を付与される可能性のあることを非確定的に認識可能な非特定図柄（本実施形態では、［２］、［４］、及び「６」の偶数図柄）に分類されている。なお、本実施形態において大当り遊技終了後に付与可能な確変状態については後で詳細に説明する。
【００２６】
また、本実施形態において、演出表示装置２２における各列は、図柄変動ゲームが開始すると、予め定めた変動方向（縦スクロール方向）に沿って飾り図柄が変動表示されるようになっている。そして、図柄変動ゲームが開始すると（各列の飾り図柄が変動を開始すると）、演出表示装置２２において遊技者側から見て左列（左図柄）→右列（右図柄）→中列（中図柄）の順に飾り図柄が停止表示されるようになっている。そして、停止表示された左図柄と右図柄が同一種類の場合には、その図柄組み合わせ（［１↓１］など、「↓」は変動中を示す）からリーチ状態（リーチ）を認識できる。リーチ状態は、複数列のうち、特定列（本実施形態では左列と右列）の飾り図柄が同一種類となって停止表示され、かつ前記特定列以外の列（本実施形態では中列）の飾り図柄が変動表示されている状態である。このリーチ状態を認識できる図柄組み合わせが飾り図柄によるリーチの図柄組み合わせとなる。また、本実施形態のパチンコ遊技機１０では、図柄変動ゲームの開始後、最初に飾り図柄を停止表示させる左列が第１停止表示列になるとともに、次に飾り図柄を停止表示させる右列が第２停止表示列になり、さらに最後に飾り図柄を停止表示させる中列が第３停止表示列となる。
【００２７】
また、演出表示装置２２には、第１特図表示器２３ａ及び第２特図表示器２３ｂの表示結果に応じた図柄組み合わせが表示されるようになっている。より詳しくは、第１特図表示器２３ａ又は第２特図表示器２３ｂに表示される特別図柄と、演出表示装置２２に表示される飾り図柄による図柄組み合わせが対応されており、図柄変動ゲームが終了すると、特別図柄と飾り図柄による図柄組み合わせが対応して確定停止表示されるようになっている。例えば、第１特図表示器２３ａ又は第２特図表示器２３ｂに大当り図柄が確定停止表示される場合には、原則として演出表示装置２２にも［２２２］や［４４４］などの大当りの図柄組み合わせが確定停止表示されるようになっている。また、第１特図表示器２３ａ又は第２特図表示器２３ｂにはずれ図柄が停止表示される場合には、演出表示装置２２にも［１２１］や［３４５］などのはずれの図柄組み合わせが確定停止表示されるようになっている。また、第２特図表示器２３ｂに小当り図柄が停止表示される場合には、演出表示装置２２にも［１２３］等の確変示唆の図柄組み合わせが確定停止表示されるようになっている。なお、特別図柄に対する飾り図柄の図柄組み合わせは一対一とは限らず、１つの特別図柄に対して複数の飾り図柄による図柄組み合わせの中から１つの飾り図柄による図柄組み合わせが選択されるようになっている。以上のように、本実施形態の演出表示装置２２では、第１特別図柄変動ゲーム及び第２特別図柄変動ゲームに係わる表示演出（飾り図柄変動ゲーム）が行われるようになっている。
【００２８】
また、遊技盤ＹＢの（遊技者から見て）左下方には、第１特図表示器２３ａ及び第２特図表示器２３ｂの左方に隣接するように、図示しない発光体（ＬＥＤ）を所定の模様（本実施形態では、「○（まる）」及び「×（ばつ）」）を付したレンズカバーで覆って構成した２つの図柄表示部から構成される普通図柄表示器２４が配設されている。この普通図柄表示器２４では、複数種類の普通図柄（以下、「普図」と示す場合がある）を変動させて１つの普通図柄を導出する普通図柄による図柄変動ゲーム（以下、「普図ゲーム」と示す場合がある）が行われるようになっている。本実施形態の普通図柄表示器２４は、普通図柄として、「○（まる）」及び「×（ばつ）」を点灯表示可能に構成されている。普通図柄表示器２４では、大当りか否かの大当り抽選とは別に行う普図当りか否か（開閉羽根２６ｂの開動作により下始動入賞口２６を開放するか否か）の内部抽選（普図当り抽選）の抽選結果を表示する。そして、本実施形態の普通図柄表示器２４では、普図当り抽選で当りを決定している場合には普図ゲームで普図からなる当り図柄が確定停止表示（本実施形態では「○（丸）」側の普通図柄表示部が点灯）される。一方、本実施形態の普通図柄表示器２４では、普図当り抽選ではずれを決定している場合には普図ゲームで普図からなるはずれ図柄が確定停止表示（本実施形態では「×（ばつ）」側の普通図柄表示部が点灯）される。
【００２９】
また、図２に示すように、表示枠体２１の（遊技者から見て）下方には、常時遊技球が入球可能な第１入球口２５ａを有する入賞検知手段及び第１入賞検知手段としての第１始動入賞口２５が配設されている。第１始動入賞口２５の奥方には、入球した遊技球を検知する第１始動口センサＳＥ１（図３に示す）が設けられている。第１始動入賞口２５は、遊技球の入球を契機に、第１特別図柄変動ゲームの始動条件を付与し得る。
【００３０】
また、第１始動入賞口２５の（遊技者から見て）下方には、遊技球が入球可能な第２入球口２６ａと、普通電動役物ソレノイドＳＯＬ２（図３に示す）の作動により開閉動作を行う開閉手段としての開閉羽根（普通電動役物）２６ｂとを備えた入賞検知手段及び第２入賞検知手段としての第２始動入賞口２６が配設されている。この第２始動入賞口２６の奥方には、入球した遊技球を検知する第２始動口センサＳＥ２（図３に示す）が設けられている。第２始動入賞口２６は、遊技球の入球を契機に、第２特別図柄変動ゲームの始動条件を付与し得る。第２始動入賞口２６の第２入球口２６ａは、常には開閉羽根２６ｂが閉状態とされて閉鎖されている。第２入球口２６ａが閉鎖されている状態において第２始動入賞口２６は、入球不能な状態（入球が規制された状態（入球し難い状態））とされる。そして、第２入球口２６ａは、予め定めた開放条件が成立すると、開閉羽根２６ｂが閉状態から開状態に作動することにより、１回又は複数回だけ予め定めた開放時間の間、開放される。第２入球口２６ａが開放されている状態において第２始動入賞口２６は、入球可能な状態（入球が許容された状態（入球し易い状態））とされる。なお、本実施形態の第１始動入賞口２５及び第２始動入賞口２６は、遊技球の入球を契機に、３球の賞球を払い出させるようになっている。
【００３１】
また、遊技盤ＹＢにおいて第１始動入賞口２５及び第２始動入賞口２６の（遊技者から見て）下方には、大入賞口ソレノイドＳＯＬ１（図３に示す）の作動により開閉動作を行う大入賞口扉２７ａを備えた大入賞口としての大入賞口装置２７が配設されている。大入賞口装置２７の奥方には、入球した遊技球を検知するカウントスイッチＳＥ３が設けられている。そして、大当り遊技が生起されると、大入賞口扉２７ａの開動作によって大入賞口装置２７が開放されて遊技球が入球可能となるため、遊技者は、多数の賞球が獲得できるチャンスを得ることができる。なお、本実施形態の大入賞口装置２７は、遊技球の入球を契機に、１５球の賞球を払い出させるようになっている。
【００３２】
また、遊技盤ＹＢにおいて第１特図表示器２３ａ及び第２特図表示器２３ｂの左方には、第１特図保留表示器Ｒａが配設されている。第１特図保留表示器Ｒａは、第１始動入賞口２５に入球し、始動保留球となって機内部（主制御用ＲＡＭ３０ｃ）で記憶された第１特図始動保留球の記憶数（以下、「第１特図保留記憶数」と示す）を表示する表示器であり、第１特図保留表示器Ｒａの表示内容によって保留されている第１特別図柄変動ゲームの回数が報知される。第１特図保留記憶数は、第１始動入賞口２５へ遊技球が入球すると１加算（＋１）され、第１特別図柄変動ゲームが開始されることにより１減算（−１）される。そして、第１特別図柄変動ゲーム（又は第２特別図柄変動ゲーム）中に第１始動入賞口２５へ遊技球が入球すると第１特図保留記憶数は更に加算（＋１）されて所定の上限数（本実施形態では４）まで累積される。したがって、第１特図保留記憶数は、保留中（実行待機中）の第１特別図柄変動ゲームの回数を示している。第１特図保留表示器Ｒａは、複数（本実施形態では４つ）の発光体（ＬＥＤなど）から構成され、第１特図保留記憶数に対応する個数のランプを点灯させることによって特図保留記憶数を遊技者に報知する。
【００３３】
また、図２に示すように、遊技盤ＹＢにおいて第１特図保留表示器Ｒａの下方には、第２特図保留表示器Ｒｂが配設されている。第２特図保留表示器Ｒｂは、第２始動入賞口２６に入球し、始動保留球となって機内部（主制御用ＲＡＭ３０ｃ）で記憶された第２特図始動保留球の記憶数（以下、「第２特図保留記憶数」と示す）を表示する表示器であり、第２特図保留表示器Ｒｂの表示内容によって保留されている第２特別図柄変動ゲームの回数が報知される。第２特図保留記憶数は、第２始動入賞口２６へ遊技球が入球すると１加算（＋１）され、第２特別図柄変動ゲームが開始されることにより１減算（−１）される。そして、第２特別図柄変動ゲーム（又は第１特別図柄変動ゲーム）中に第２始動入賞口２６へ遊技球が入球すると第２特図保留記憶数は更に加算（＋１）されて所定の上限数（本実施形態では４）まで累積される。したがって、第２特図保留記憶数は、保留中（実行待機中）の第２特別図柄変動ゲームの回数を示している。そして、第２特図保留表示器Ｒｂは、複数（本実施形態では４つ）の発光体（ＬＥＤなど）から構成され、第２特図保留記憶数に対応する個数のランプを点灯させることによって第２特図保留記憶数を遊技者に報知する。
【００３４】
また、表示枠体２１の左側には、作動ゲート２８が配設されている。作動ゲート２８の奥方には、入賞（通過）した遊技球を検知するゲートセンサＳＥ４（図３に示す）が設けられている。作動ゲート２８は、遊技球の入賞検知（通過検知）を契機に、普図ゲームの始動条件を付与し得る。普図ゲームは、第２始動入賞口２６を開状態とするか否か（第２始動入賞口２６に遊技球を入賞可能とするか）の抽選結果を導出するために行われる演出である。第２始動入賞口２６は、開閉羽根２６ｂにより常には入り口が閉鎖された閉状態となっており、この閉状態では遊技球を入賞させることができない。その一方で、第２始動入賞口２６は、開放条件となる普図当りへの当選後、普図当り遊技が付与されると、開閉羽根２６ｂが開放されることにより第２始動入賞口２６が開状態となり、遊技球を入賞させることができる。即ち、普図当り遊技が付与されると、開閉羽根２６ｂの開放によって第２始動入賞口２６に遊技球を入賞させることができるため、遊技者は、第２特別図柄変動ゲームの始動条件と賞球を獲得できるチャンスを得ることができる。なお、第１始動入賞口２５へは常に同じ条件で遊技球を入賞させることができるようになっている。
【００３５】
また、図２に示すように、遊技盤ＹＢにおいて第１特図保留表示器Ｒａの上方には、普図保留表示器Ｒｃが配設されている。普図保留表示器Ｒｃは、作動ゲート２８を遊技球が通過し、始動保留球となって機内部（主制御用ＲＡＭ３０ｃ）で記憶された始動保留球の記憶数（以下、「普図保留記憶数」（又は「普通図柄始動保留記憶数」）と示す）を表示する表示器であり、普図保留表示器Ｒｃの表示内容によって保留されている普図ゲームの回数が報知される。普図保留記憶数は、作動ゲート２８を遊技球が通過すると１加算（＋１）され、普図ゲームが開始されることにより１減算（−１）される。そして、普図ゲーム中に作動ゲート２８を遊技球が通過すると普図保留記憶数は更に加算（＋１）されて所定の上限数（本実施形態では４）まで累積される。本実施形態において普図保留表示器Ｒｃは、複数（本実施形態では４つ）のランプから構成され、普図保留記憶数に対応する個数のランプを点灯させることによって普図保留記憶数を遊技者に報知する。
【００３６】
また、遊技盤ＹＢの遊技領域Ｈ１の最下方（大入賞口装置２７よりも下方）には、遊技領域Ｈ１に発射された後、何れの入賞口にも入球しなかった遊技球をアウト球として機外に排出するためのアウト球口１３が形成されている。アウト球口１３を通過した遊技球は、パチンコ遊技機１０の設置設備（遊技島）に配設されたアウト球タンク（図示しない）に排出される。
【００３７】
また、本実施形態のパチンコ遊技機１０は、確率変動（以下、「確変」と示す）機能を備えている。確変機能は、確定停止表示された大当り図柄（特図）の種類が予め定めた確変図柄であることを条件として、大当り遊技終了後に大当りに当選する当選確率（大当りの抽選確率）を低確率（通常状態）である通常確率（本実施形態では５／１６９７）から高確率（本実施形態では５０／１６９７）に変動させる確率変動状態（以下、「確変状態」と示す場合がある）を付与する機能である。本実施形態では、大当り遊技終了後に確変状態が付与される大当りが確変大当りであり、確変状態が付与されない大当りが非確変大当りとなる。
【００３８】
また、確変状態は、次回の大当りが生起される迄の間、付与される。このように、確変状態が付与されると、大当りの抽選確率が高確率に変動して大当りが生起され易くなるため、確変状態は遊技者にとって有利であり、遊技者は確変大当りになることを期待しつつ遊技を行っている。
【００３９】
また、本実施形態のパチンコ遊技機１０は、変動時間短縮（以下、「変短」と示す）状態を付与する変短機能を備えている。変短状態が付与されると、開閉羽根２６ｂを開動作させるか否かの抽選結果を導出する普図ゲームの変動時間が短縮される、及び普図ゲームの当り確率が通常確率から高確率に変動する入球率向上状態が特典として付与されるようなっている。この入球率向上状態において、開閉羽根２６ｂは、普図ゲームにおいて当選した際、通常状態である場合とは異なる動作パターンで開閉動作するようになっている。
【００４０】
即ち、通常状態時に普図ゲームに当選する場合には、開閉羽根２６ｂが１回開放し、開放してから０．３秒又は１．０秒経過するまで開放状態を維持するようになっている。その一方で、変短状態時に普図ゲームに当選する場合には、開閉羽根２６ｂが３回開放するとともに、１回の開放において開放してから１．５秒が経過するまで開放状態を維持するようになっている。つまり、開閉羽根２６ｂは、変短状態が付与されている場合、通常状態が付与されている状態に比較して、遊技者にとって有利に動作するように設定されている。なお、開放してから規定時間経過する前であっても、入球上限個数（例えば、１０球）の遊技球が入球したときには、開閉羽根２６ｂは閉鎖するようになっている。同様に、所定回数開放していなくても、入球上限個数（例えば、１０球）の遊技球が入球したときには、開閉羽根２６ｂは閉鎖するようになっている。また、変短状態は、予め定めた回数の図柄変動ゲームが実行される迄の間、又は前記回数に達する前に大当りが生起される迄の間、付与される。なお、変短状態が付与される前記回数は、大当りに当選した時の遊技状態に応じて変化する。
【００４１】
本実施形態では、大当り遊技の終了後における開閉羽根２６ｂの単位時間あたりの開放時間を増加させる変短状態が、開放時間増加状態となる。なお、変短状態（開放時間増加状態）中は、１回の普図当りによって開閉羽根２６ｂが開放される時間の合計が、非変短状態時よりも増加する。
【００４２】
次に、本実施形態のパチンコ遊技機１０に規定する大当り遊技及び小当り遊技について、図４に基づき詳しく説明する。
大当り遊技は、図柄変動ゲームにて第１特図表示器２３ａ又は第２特図表示器２３ｂに大当り図柄が確定停止表示されて該ゲームの終了後、開始される。大当り遊技が開始すると、最初に大当り遊技の開始を示すオープニング演出が行われる。オープニング演出終了後には、大入賞口装置２７（大入賞口扉２７ａ）が開放されるラウンド遊技が予め定めた規定ラウンド数を上限（本実施形態では１５ラウンド、又は２ラウンド）として複数回行われる。１回のラウンド遊技は、大入賞口装置２７の大入賞口扉２７ａの開閉が所定回数（本実施形態では、１回）行われるまでであり、１回のラウンド遊技中に大入賞口装置２７は、規定個数（入球上限個数）の遊技球が入賞するまでの間、又は規定時間（ラウンド遊技時間）が経過するまでの間、開放される。また、ラウンド遊技では、ラウンド演出が行われる。そして、大当り遊技の終了を示すエンディング演出が行われ、大当り遊技は終了される。
【００４３】
そして、本実施形態のパチンコ遊技機１０では、大当り抽選で大当りに当選した場合、図４に示す４種類の大当り遊技の中から１つの大当り遊技が決定され、その決定された大当り遊技が付与されるようになっている。そして、４種類の大当り遊技のうち、何れの大当り遊技が付与されるかは、大当り抽選で大当り当選した際に決定する特別図柄（大当り図柄）の種類に応じて決定されるようになっている。本実施形態において第１特図表示器２３ａに表示される１００種類の特別図柄１の大当り図柄は、図４に示すように、図柄Ａ、図柄Ｂ、図柄Ｃ、及び図柄Ｄの４つのグループに分類される。そして、図４に示すように、図柄Ａには第１特図表示器２３ａに表示される大当り図柄のうち３５種類の大当り図柄が振り分けられている。同様に、図柄Ｂには第１特図表示器２３ａに表示される大当り図柄のうち５種類の大当り図柄が振り分けられている。図柄Ｃには第１特図表示器２３ａに表示される大当り図柄のうち２２種類の大当り図柄が振り分けられている。図柄Ｄには第１特図表示器２３ａに表示される大当り図柄のうち３８種類の大当り図柄が振り分けられている。また、図４に示す図柄Ｈには、小当りに対応する１０種類の特図（小当り図柄）が振分けられている。なお、はずれには、１種類の特図（はずれ図柄）が振り分けられている。
【００４４】
また、本実施形態において第２特図表示器２３ｂに表示される１００種類の特別図柄２の大当り図柄は、図４に示すように、図柄ａ、図柄ｂ、及び図柄ｄの３つのグループに分類される。そして、図４に示すように、図柄ａには第２特図表示器２３ｂに表示される大当り図柄のうち５５種類の大当り図柄が振り分けられている。同様に、図柄ｂには第２特図表示器２３ｂに表示される大当り図柄のうち７種類の大当り図柄が振り分けられている。また、図柄ｄには第２特図表示器２３ｂに表示される大当り図柄のうち３８種類の大当り図柄が振り分けられている。なお、はずれには、１種類の特図（はずれ図柄）が振り分けられている。
【００４５】
図柄Ａ及び図柄Ｂに分類される大当り図柄が第１特図表示器２３ａに表示されたとき、又は、図柄ａ及び図柄ｂに分類される大当り図柄が第２特図表示器２３ｂに表示されたときに付与される大当り遊技は、規定ラウンド数（ラウンド遊技の上限回数）が「１５回」に設定されているとともに、大当り遊技終了後に確変状態が付与される１５ラウンド大当り遊技である。以下、図柄Ａ及び図柄ａに基づく大当り遊技を「第１確変１５Ｒ大当り遊技」と示す（なお、「Ｒ」は、「ラウンド」を示している）。また、図柄Ｂ及び図柄ｂに基づく大当り遊技を「第２確変１５Ｒ大当り遊技」と示す。また、図柄Ａ及び図柄ａに基づく大当り（大当り種）を「第１確変１５Ｒ大当り」と示し、図柄Ｂ及び図柄ｂに基づく大当りを「第２確変１５Ｒ大当り」と示す。第１確変１５Ｒ大当り遊技及び第２確変１５Ｒ大当り遊技（以下、まとめて単に「確変１５Ｒ大当り遊技」と示す場合がある）では、１回のラウンド遊技の入球上限個数（規定個数）が「９球」に設定されている。また、確変１５Ｒ大当り遊技における１５回のラウンド遊技では、各ラウンド遊技において大入賞口装置２７の大入賞口扉２７ａを「１回」開放させるように設定されている。また、第１確変１５Ｒ大当りでは、大当り抽選の当選時における遊技状態に関係なく、大当り遊技終了後に確変状態と、その確変状態の終了時まで変短状態を付与するようになっている。一方、第２確変１５Ｒ大当りでは、大当り抽選の当選時における遊技状態に関係なく、大当り遊技終了後に確変状態を付与するとともに、予め定めた回数（本実施形態では１００回）を上限回数として変短状態を付与するようになっている。
【００４６】
また、図柄Ｃに分類される大当り図柄が第１特図表示器２３ａに表示されたときに付与される大当り遊技は、規定ラウンド数が「２回」に設定されているとともに、大当り遊技終了後に確変状態が付与される２ラウンド大当り遊技である。以下、図柄Ｃに基づく大当り遊技を「確変２Ｒ大当り遊技」と示す。また、図柄Ｃに基づく大当りを「確変２Ｒ大当り」と示す。確変２Ｒ大当り遊技では、１回のラウンド遊技の入球上限個数（カウント数）が「９球」に設定されている。また、確変２Ｒ大当り遊技における２回のラウンド遊技では、各ラウンド遊技において大入賞口扉２７ａを「１回」開放させるように設定されている。また、確変２Ｒ大当りでは、大当り抽選の当選時における遊技状態に応じて、大当り遊技終了後に確変状態とその確変状態の終了時まで変短状態を付与する場合と、大当り遊技終了後に確変状態のみを付与する場合とがある。
【００４７】
図柄Ｄに分類される大当り図柄が第１特図表示器２３ａに表示されたとき、又は図柄ｄに分類される大当り図柄が第２特図表示器２３ｂに表示されたときに付与される大当り遊技は、規定ラウンド数が「１５回」に設定されているとともに、大当り遊技終了後に確変状態を付与しない（非確変状態を付与する）１５ラウンド大当り遊技である。以下、図柄Ｄ及び図柄ｄに基づく大当り遊技を「非確変１５Ｒ大当り遊技」と示す。また、図柄Ｄ及び図柄ｄに基づく大当り（大当り種）を「非確変１５Ｒ大当り」と示す。非確変１５Ｒ大当り遊技では、１回のラウンド遊技の入球上限個数（カウント数）が「９球」に設定されている。また、非確変１５Ｒ大当り遊技における１５回のラウンド遊技では、各ラウンド遊技において大入賞口扉２７ａを「１回」開放させるように設定されている。また、非確変１５Ｒ大当りでは、大当り抽選の当選時における遊技状態に関係なく、大当り遊技終了後には確変状態を付与せずに、予め定めた回数（本実施形態では１００回）を上限回数として変短状態のみを付与するようになっている。
【００４８】
図柄Ｈに分類される小当り図柄が第１特図表示器２３ａに表示されたときに付与される小当り遊技は、規定ラウンド数が「１回」に設定されているとともに、１回のラウンド遊技の入球上限個数（カウント数）が「９球」に設定されている。また、小当り遊技の１回のラウンド遊技では、大入賞口扉２７ａを「２回」開放させるように設定されている。また、小当り遊技では、小当り抽選の当選時における遊技状態を、小当り遊技終了後の遊技状態として継続させるようになっている。即ち、小当り遊技では、小当り抽選の当選時の遊技状態が確変状態であれば小当り遊技終了後の遊技状態を確変状態に継続させるとともに、小当り抽選の当選時の遊技状態が変短状態であれば小当り遊技終了後の遊技状態を変短状態に継続させる。また、小当り遊技では、小当り抽選の当選時の遊技状態が非確変状態であれば小当り遊技終了後の遊技状態を非確変状態に継続させるとともに、小当り抽選の当選時の遊技状態が非変短状態であれば小当り遊技終了後の遊技状態を非変短状態に継続させる。
【００４９】
本実施形態では、第２確変１５Ｒ大当り（図柄Ｂ及び図柄ｂ）、及び非確変１５Ｒ大当り（図柄Ｄ及び図柄ｄ）が、予め定めた回数（本実施形態では１００回）を上限回数として入球率向上状態（変短状態）を付与する特定大当りとなる。また、本実施形態では、確変２Ｒ大当り、第２確変１５Ｒ大当り、及び非確変１５Ｒ大当りが第１大当りとなり、確変状態が付与され且つラウンド遊技が１５回行われる第１確変１５Ｒ大当りが、第１大当りと比較して利益の高い第２大当りとなる。
【００５０】
上述した各大当り遊技及び小当り遊技では、オープニング時間、１回のラウンド遊技のラウンド遊技時間及びエンディング時間が、図４に示すように、それぞれ設定されている。各ラウンド遊技は、入球上限個数分の遊技球が入球することにより終了する場合もあることから、図４に示す１回のラウンド遊技のラウンド遊技時間は最大時間となる。なお、確変２Ｒ大当り遊技のラウンド遊技時間（２００ｍｓ）、及び小当り遊技におけるラウンド遊技時間（２００ｍｓ×２）は、大入賞口装置２７に入球する遊技球の入球個数が、入球上限個数を満たさないような時間に設定されている。因みに、パチンコ遊技機１０では、１分間あたりの遊技球の発射個数がおおよそ「１００球」に設定されているので、遊技球を１球発射させるために要する時間は「６００ｍｓ」となる。即ち、確変２Ｒ大当り遊技の各ラウンド遊技において、ラウンド遊技時間（２００ｍｓ）内に、入球上限個数となる「９球」の遊技球を発射して、入球させるのは実質的に無理である。
【００５１】
また、図４の「当選時の遊技状態」の欄に示す「低確＋変短なし」、「低確＋変短あり」、「高確＋変短なし」、「高確＋変短あり」の４つの状態は、それぞれ次のような状態を示す。「低確＋変短なし」の状態は、非確変状態で、かつ非変短状態を示し、本実施形態のパチンコ遊技機１０においては「通常状態」となる。「低確＋変短あり」の状態は、非確変状態で、かつ変短状態を示し、本実施形態のパチンコ遊技機１０において「低確＋変短あり」の状態は、非確変１５Ｒ大当りに当選することによって作り出される。「高確＋変短なし」の状態は、確変状態で、かつ非変短状態を示し、本実施形態のパチンコ遊技機１０において「高確＋変短なし」の状態は、「低確＋変短なし」の状態（即ち、通常状態）で確変２Ｒ大当りに当選することによって作り出される。また、「高確＋変短なし」の状態は、第２確変１５Ｒ大当りに当選して第２確変１５Ｒ大当り遊技が終了した後、予め定めた規定回数（本実施形態では、１００回）の図柄変動ゲームが終了したことに伴って、変短状態が終了することでも作り出される。また、本実施形態のパチンコ遊技機１０において「高確＋変短あり」の状態は、第１確変１５Ｒ大当り又は第２確変１５Ｒ大当りに当選することによって作り出される。
【００５２】
また、本実施形態のパチンコ遊技機１０は、各大当り遊技の終了後、大当り抽選の抽選確率状態が、高確率抽選状態（確変状態）であるのか、低確率抽選状態（非確変状態）であるのかを遊技者に示唆する遊技状態報知画像を表示させる複数（本実施形態では４つ）の演出モードを備えている。図５は、本実施形態のパチンコ遊技機１０における演出モードの移行態様を示す。そして、本実施形態のパチンコ遊技機１０では、演出モードの移行契機を、大当り又は小当りに当選したこと、及び大当り遊技又は小当り遊技終了後に移行した演出モード後の演出モードを移行させるか否かを決定する移行抽選（モード抽選）に当選したこととし、その当選した当り（大当り及び小当り）の種類及び移行抽選の抽選結果に応じて移行する演出モードが異なるようになっている。この演出モードの移行により、遊技者は、滞在中の演出モード、即ち当該演出モードで表示される遊技状態報知画像から大当り抽選の抽選確率状態が、高確率抽選状態であるか否かを推測するようになっている。
【００５３】
以下、本実施形態の演出モードについて、図５を用いて詳しく説明する。
本実施形態において、４つの演出モードは、演出態様が夫々異なっている。本実施形態の演出モードには、変短状態が付与されないとともに、大当り抽選の抽選確率状態が高確率抽選状態又は低確率抽選状態となっているときに滞在する通常モードＭＡ、及び第１高確示唆モードＭＢが設定されている。本実施形態の演出モードには、変短状態が付与されるとともに、大当り抽選の抽選確率状態が高確率抽選状態又は低確率抽選状態となっているときに滞在する第２高確示唆モードＭＣが設定されている。また、本実施形態の演出モードには、変短状態が付与されるとともに、大当り抽選の抽選確率状態が高確率抽選状態となっているときに滞在する高確確定モードＭＤが設定されている。
【００５４】
高確確定モードＭＤは、大当り抽選の抽選確率状態が高確率抽選状態、即ちパチンコ遊技機１０の遊技状態が確変状態であることを、遊技者に対して確定的に示唆（報知）する演出とされている。その一方、通常モードＭＡ、第１高確示唆モードＭＢ、及び第２高確示唆モードＭＣは、大当り抽選の抽選確率状態が高確率抽選状態及び低確率抽選状態の何れの場合でも実行される演出とされている。即ち、通常モードＭＡ、第１高確示唆モードＭＢ、及び第２高確示唆モードＭＣは、パチンコ遊技機１０の遊技状態が、確変状態及び非確変状態の何れの状態であるかを遊技者に対して非確定的に示唆（報知）する高確率潜伏演出とされ、これらの３つの演出モードは確変状態である可能性を示唆する。
【００５５】
そして、前述した４つの演出モードは、確変状態であることの期待度の高低（確変状態である可能性の大小）を示唆し、その高低によって区別される演出となっている。本実施形態においては、通常モードＭＡ＜第１高確示唆モードＭＢ及び第２高確示唆モードＭＣ＜高確確定モードＭＤの順に、確変状態である期待度が高い演出モードとして位置付けられている。
【００５６】
また、各演出モードの滞在中には、その滞在中の演出モードに対応する遊技状態報知画像が演出表示装置２２に画像表示されるようになっている。具体的に言えば、本実施形態の遊技状態報知画像は、図柄の背面に映し出される背景画像と、演出モードの種類を示す文字画像（テロップなど）から構成される。そして、各演出モードに対応する背景画像は、演出モード毎に画像内容が異なるように個別設定されており、遊技者は、背景画像の種類や文字画像から滞在中の演出モードを認識し得るようになっている。
【００５７】
以下、演出モードの移行態様を説明する。
通常モードＭＡは、「低確＋変短なし」と「高確＋変短なし」の時に滞在する演出モードとされている。そして、通常モードＭＡの滞在中に、第１確変１５Ｒ大当りに当選した場合、大当り遊技を経て、高確確定モードＭＤへ移行する。また、通常モードＭＡの滞在中に、第２確変１５Ｒ大当り遊技又は非確変１５Ｒ大当りに当選した場合、大当り遊技を経て、第２高確示唆モードＭＣへ移行する。さらに、「低確＋変短なし」の通常モードＭＡの滞在中に、確変２Ｒ大当り又は小当りに当選した場合、当り遊技（確変２Ｒ大当り遊技又は小当り遊技）を経て、第１高確示唆モードＭＢへ移行する。また、「高確＋変短なし」の通常モードＭＡの滞在中に、確変２Ｒ大当りに当選した場合、大当り遊技を経て高確確定モードＭＤへ移行する一方で、小当りに当選した場合、小当り遊技を経て第１高確示唆モードＭＢへ移行する。
【００５８】
高確確定モードＭＤは、「高確＋変短あり」の時に滞在する演出モードとされている。そして、高確確定モードＭＤの滞在中に、第２確変１５Ｒ大当り又は非確変１５Ｒ大当りに当選した場合、大当り遊技を経て、第２高確示唆モードＭＣへ移行する。また、高確確定モードＭＤの滞在中に確変２Ｒ大当り又は小当りに当選した場合、当り遊技（大当り遊技又は小当り遊技）を経て、高確確定モードＭＤへ移行する。したがって、高確確定モードＭＤの終了条件は、「第１確変１５Ｒ大当り、第２確変１５Ｒ大当り遊技、及び非確変１５Ｒ大当りの何れかに当選すること」に設定されており、高確確定モードＭＤは大当り抽選で１５Ｒ大当りに当選する迄の間、継続される。なお、高確確定モードＭＤは、「確変２Ｒ大当り、又は小当りに当選すること」を終了条件として一旦終了し、当り遊技の終了後、再開されると把握することもできる。
【００５９】
第２高確示唆モードＭＣは、「低確＋変短あり」及び「高確＋変短あり」の時に滞在する演出モードとされている。即ち、第２確変１５Ｒ大当りに当選したことによって移行した第２高確示唆モードＭＣは、遊技状態が「高確＋変短あり」となる。一方、非確変１５Ｒ大当りに当選したことによって移行した第２高確示唆モードＭＣは、「低確＋変短あり」となる。そして、第２高確示唆モードＭＣの滞在中に、第１確変１５Ｒ大当り又は確変２Ｒ大当りに当選した場合、大当り遊技を経て、高確確定モードＭＤへ移行する。また、第２高確示唆モードＭＣの滞在中に小当りに当選した場合、第２高確示唆モードＭＣへ移行する。
【００６０】
また、第２高確示唆モードＭＣの終了条件は、「大当り抽選で第１確変１５Ｒ大当り、第２確変１５Ｒ大当り遊技、及び非確変１５Ｒ大当りに当選すること」、及び「大当り遊技終了後に付与された変短状態が終了すること」の何れかが成立することに設定されている。このため、第２確変１５Ｒ大当り遊技及び非確変１５Ｒ大当りの何れかに当選したことによって第２高確示唆モードＭＣへ移行した場合は、変短状態が終了することにより、通常モードＭＡへ移行する。これにより、第２高確示唆モードＭＣを経由して移行する通常モードＭＡは、確変状態の可能性も残されており、確変潜伏の状態とされる。
【００６１】
また、第１高確示唆モードＭＢは、「低確＋変短なし」と「高確＋変短なし」の時に滞在する演出モードとされている。そして、第１高確示唆モードＭＢの滞在中に、第１確変１５Ｒ大当りに当選した場合、大当り遊技を経て、高確確定モードＭＤへ移行する。また、第１高確示唆モードＭＢの滞在中に、第２確変１５Ｒ大当り遊技又は非確変１５Ｒ大当りに当選した場合、大当り遊技を経て、第２高確示唆モードＭＣへ移行する。また、「低確＋変短なし」の第１高確示唆モードＭＢの滞在中に、確変２Ｒ大当り又は小当りに当選した場合、当り遊技を経て、第１高確示唆モードＭＢへ移行する。また、「高確＋変短なし」の第１高確示唆モードＭＢの滞在中に、確変２Ｒ大当りに当選した場合、大当り遊技を経て高確確定モードＭＤへ移行する一方で、小当りに当選した場合、小当り遊技を経て第１高確示唆モードＭＢへ移行する。なお、第１高確示唆モードＭＢの滞在中に、転落抽選へ当選した場合、通常モードＭＡへ移行する。
【００６２】
また、本実施形態では、通常モードＭＡの滞在中に昇格抽選を実行し、第１高確示唆モードＭＢの滞在中に転落抽選を実行している。ちなみに、昇格抽選は、現在滞在中の演出モードよりも確変状態である期待度が高く設定された演出モード（本実施形態では、第１高確示唆モードＭＢ）に移行させるか否かを決定するために実行する抽選である。また、転落抽選は、現在滞在中の演出モードよりも確変状態である期待度が低く設定された演出モード（本実施形態では、通常モードＭＡ）に移行させるか否かを決定するために実行する抽選である。
【００６３】
また、本実施形態のパチンコ遊技機１０では、１回の図柄変動ゲームにおいて図柄の変動開始から図柄の変動停止（一旦停止表示）迄を１回とする変動サイクルを１回又は複数回実行する擬似連続演出（以下、単に「擬似連」と示す場合がある）を実行可能に構成されている。本実施形態の擬似連続演出は、演出表示装置２２と第１特図表示器２３ａとで対応して行われる１回の図柄変動ゲーム、及び演出表示装置２２と第２特図表示器２３ｂとで対応して行われる１回の図柄変動ゲームにおいて、演出表示装置２２（画像表示部ＧＨ）で行われる飾り図柄変動ゲーム内での演出として表現される。１回の図柄変動ゲームは、図柄（飾図と特図）の変動開始によって開始し、図柄の変動が停止した後に図柄（飾図と特図）が確定停止表示されることによって終了する。この１回の図柄変動ゲームは、１球の始動保留球（第１特図保留記憶数、又は第２特図保留記憶数）に対応して実行されるものである。即ち、擬似連続演出を伴う１回の図柄変動ゲームは、内部制御において１回の図柄変動ゲームを、恰も複数回の図柄変動ゲームが連続して行われているかのように擬似的に演出表現してなされるものである。
【００６４】
本実施形態のパチンコ遊技機１０で実行可能な擬似連続演出では、１回の図柄変動ゲーム中に２回、３回、及び４回の変動サイクルが実行される３種類の擬似連続演出を実行可能となっている。そして、本実施形態の擬似連続演出を伴う１回の図柄変動ゲームは、当該ゲームを構成する変動サイクルの実行回数によって大当り図柄（図柄組み合わせ）が表示されるか否かの可能性となる大当り信頼度（大当り期待度）が変化するように構成されている。即ち、本実施形態のパチンコ遊技機１０は、大当り抽選で大当りに当選した場合には大当り抽選で大当りに当選していない場合と比較して変動サイクルの実行回数が多い擬似連続演出を含んで図柄変動ゲームが行われやすくなっている。このため、本実施形態のパチンコ遊技機１０では、演出表示装置２２（画像表示部ＧＨ）で行われる１回の飾り図柄変動ゲームにおいて、変動サイクルの回数が増加するのに伴って、今回の図柄変動ゲーム（第１特別図柄変動ゲーム、又は第２特別図柄変動ゲーム）において大当り図柄が導出される可能性が段階的に高くなる。
【００６５】
また、本実施形態の擬似連続演出では、前述した演出用可動体ＳＫによる特定演出（可動体演出）を各変動サイクルの図柄を変動開始させるタイミングで実行し、今回の変動サイクルに連続して次回の変動サイクルが開始される可能性を示唆するようになっている。そして、本実施形態では、１回の図柄変動ゲーム中に実行される変動サイクルの実行回数に応じて、特定演出を実行する際の演出用可動体ＳＫの発光色を異ならせるようになっている。具体的に説明すると、２回の変動サイクルからなる擬似連続演出では、１回目の変動サイクルにおける飾り図柄の変動開始のタイミングで「白色」の発光を伴う特定演出を実行した場合、２回目の変動サイクルにおける飾り図柄の変動開始のタイミングで「青色」の発光を伴う特定演出を実行するようになっている。同様に、３回の変動サイクルからなる擬似連続演出では、更に３回目の変動サイクルにおける飾り図柄の変動開始のタイミングで「緑色」の発光を伴う特定演出を実行するようになっている。また、４回の変動サイクルからなる擬似連続演出では、更に４回目の変動サイクルにおける飾り図柄の変動開始のタイミングで「赤色」の発光を伴う特定演出を実行するようになっている。このため、本実施形態のパチンコ遊技機１０で実行可能な擬似連続演出では、特定演出における発光色が「白色」→「青色」→「緑色」→「赤色」というように、変動サイクル毎に順次変化されるようになっている。このような構成から、本実施形態の擬似連続演出では、変動サイクル毎に実行される特定演出における発光色から今回の変動サイクルが何回目の変動サイクルであるのか、及び大当り信頼度が段階的に高くなっていることを遊技者に認識させ得るようになっている。
【００６６】
また、本実施形態では、演出用可動体ＳＫによる特定演出（可動体演出）を１回又は連続して実行される複数回の図柄変動ゲーム毎に実行する大当り予告演出としての連続演出（所謂、連続予告演出）を実行可能に構成されている。本実施形態の連続演出を実行する対象とされた図柄変動ゲームでは、図柄変動ゲームが開始されるタイミング（即ち、特別図柄１又は特別図柄２の変動開始のタイミング）で特定演出を実行するようになっている。
【００６７】
本実施形態のパチンコ遊技機１０では、１回、２回、３回、及び４回（即ち、保留上限数）の図柄変動ゲームを対象として図柄変動ゲーム毎に特定演出を実行し、連続演出を実行可能となっている。そして、本実施形態で実行可能な連続演出は、特定演出を伴う図柄変動ゲームが連続して実行されるほど大当り信頼度が変化するように構成されている。即ち、本実施形態のパチンコ遊技機１０において、大当り抽選で大当りに当選することで大当り図柄が表示される図柄変動ゲームは、大当り抽選で大当りに当選しないことではずれ図柄が表示される図柄変動ゲームと比較して、多い回数の図柄変動ゲームが特定演出を伴って連続して実行された後に行われやすくなっている。このため、本実施形態のパチンコ遊技機１０では、特定演出を伴う図柄変動ゲームの連続実行回数が増加するのに伴って、図柄変動ゲームにおいて大当り図柄が導出される可能性が段階的に高くなる。
【００６８】
また、本実施形態の連続演出では、前述した擬似連続演出と同様に、連続演出としての特定演出を伴う図柄変動ゲームの連続実行回数に応じて、特定演出を実行する際の演出用可動体ＳＫの発光色を異ならせるようになっている。具体的に説明すると、１回の図柄変動ゲームを対象として連続演出を実行する場合では、１回目の図柄変動ゲームが開始されるタイミングで原則として「白色」の発光を伴う特定演出を実行するようになっている。また、２回の図柄変動ゲームを対象として連続演出を実行する場合では、さらに２回目の図柄変動ゲームが開始されるタイミングで「青色」の発光を伴う特定演出を実行するようになっている。また、３回の図柄変動ゲームを対象として連続演出を実行する場合では、さらに３回目の図柄変動ゲームが開始されるタイミングで「緑色」の発光を伴う特定演出を実行するようになっている。また、４回の図柄変動ゲームを対象として連続演出を実行する場合では、さらに４回目の図柄変動ゲームが開始されるタイミングで「赤色」の発光を伴う特定演出を実行するようになっている。このため、本実施形態のパチンコ遊技機１０で実行可能な連続演出では、特定演出における発光色が「白色」→「青色」→「緑色」→「赤色」というように、連続して実行される図柄変動ゲーム毎に順次変化されるようになっている。このような構成から、本実施形態の連続演出では、図柄変動ゲーム毎に実行される特定演出における発光色から、特定演出を伴う図柄変動ゲームが連続して何回実行されたのか、及び大当り信頼度が段階的に高くなっていることを遊技者に認識させ得るようになっている。
【００６９】
そして、本実施形態の演出用可動体ＳＫによる特定演出は、擬似連続演出を構成する変動サイクルと、連続演出を実行する対象とされた図柄変動ゲームとにおいて、同一の演出態様により実行されるようになっている。このため、本実施形態の擬似連続演出及び連続演出では、擬似連続演出が変動サイクル（図柄の変動開始から図柄の変動停止迄を１単位変動とする）毎に特定演出を実行する一方で、連続演出が図柄変動ゲーム（図柄の変動開始から図柄の確定停止表示迄を１単位変動とする）毎に特定演出を実行する点で相違しているものの、図柄の変動開始から図柄の変動停止（一旦停止表示、又は確定停止表示）迄の１回の単位変動中に１回の特定演出を実行する点で共通している。また、更に本実施形態の擬似連続演出及び連続演出では、「白色」→「青色」→「緑色」→「赤色」というように、変動サイクル又は図柄変動ゲームの実行回数の増加に伴って特定演出に伴わされる発光色が同一順序で変化される点でも共通している。このため、本実施形態の擬似連続演出及び連続演出では、特定演出を伴う１回の単位変動が擬似連続演出として実行されたのか、或いは連続演出として実行されたのかを遊技者が明確に識別（区別）し難くなっている。
【００７０】
そして、本実施形態のパチンコ遊技機１０では、連続演出と擬似連続演出とを複合させて実行可能に構成されている。ここで、連続演出と擬似連続演出とが複合して実行される状況は、連続演出を実行する対象とされた複数回の図柄変動ゲーム中に擬似連続演出を含んで実行される図柄変動ゲームが含まれる状況である。本実施形態のパチンコ遊技機１０で実行可能な擬似連続演出及び連続演出は、特定演出を伴う１回の単位変動が擬似連続演出として実行されたのか、或いは連続演出として実行されたのかを遊技者が明確に識別（区別）し難くなっている。このため、本実施形態では、連続演出と擬似連続演出とを複合させて実行可能とし、連続演出としての単位変動数と擬似連続演出としての単位変動数を合算した回数の単位変動が特定演出を伴って実行されたかのように遊技者に視認させ得るようになっている。
【００７１】
次に、パチンコ遊技機１０の制御構成について図３に基づき説明する。
パチンコ遊技機１０の機裏側には、パチンコ遊技機１０全体を制御する主制御基板３０が装着されている。主制御基板３０は、パチンコ遊技機１０全体を制御するための各種処理を実行し、該処理結果に応じて遊技を制御するための各種の制御信号（制御コマンド）を演算処理し、該制御信号（制御コマンド）を出力する。また、機裏側には、統括制御基板３１と、表示制御基板３２と、ランプ制御基板３３と、音声制御基板３４とが装着されている。統括制御基板３１は、主制御基板３０が出力した制御信号（制御コマンド）に基づき、表示制御基板３２、ランプ制御基板３３及び音声制御基板３４を統括的に制御する。表示制御基板３２は、主制御基板３０と統括制御基板３１が出力した制御信号（制御コマンド）に基づき、演出表示装置２２の表示態様（図柄、背景、文字などの表示画像など）を制御する。また、ランプ制御基板３３は主制御基板３０と統括制御基板３１が出力した制御信号（制御コマンド）に基づき、各枠用ランプ部１６ａ〜１６ｃの発光態様（点灯（点滅）／消灯のタイミングなど）を制御する。また、音声制御基板３４は、主制御基板３０と統括制御基板３１が出力した制御信号（制御コマンド）に基づき、音声出力手段としての各種スピーカ１７ａ〜１７ｃの音声出力態様（音声出力のタイミングなど）を制御する。
【００７２】
以下、主制御基板３０、統括制御基板３１及び表示制御基板３２について、その具体的な構成を説明する。
前記主制御基板３０には、主制御用ＣＰＵ３０ａが備えられている。該主制御用ＣＰＵ３０ａには、主制御用ＣＰＵ３０ａのメイン制御プログラムを格納する主制御用ＲＯＭ３０ｂ、及び必要なデータの書き込み及び読み出しができる主制御用ＲＡＭ３０ｃが接続されている。主制御用ＣＰＵ３０ａには、第１始動口センサＳＥ１、第２始動口センサＳＥ２、カウントスイッチＳＥ３が接続されている。また、主制御用ＣＰＵ３０ａには、第１特図表示器２３ａ、第２特図表示器２３ｂ、第１特図保留表示器Ｒａ、第２特図保留表示器Ｒｂ、普図保留表示器Ｒｃが接続されている。また、主制御用ＣＰＵ３０ａには、大入賞口ソレノイドＳＯＬ１、普通電動役物ソレノイドＳＯＬ２が接続されている。また、主制御用ＣＰＵ３０ａは、普通図柄表示器２４、ゲートセンサＳＥ４が接続されている。
【００７３】
また、主制御基板３０（主制御用ＲＡＭ３０ｃ）には、電源遮断時（停電時や電源ＯＦＦ時）に主制御基板３０がバックアップ処理を実行するためのバックアップ手段としてのバックアップ用電源ＢＤが接続されている。バックアップ用電源ＢＤは、例えばキャパシタなどからなる。バックアップ処理では、電源供給の停止によりパチンコ遊技機１０の各種構成部材及び各種制御基板に供給されるべき電源電圧値（例えば、ＤＣ３０Ｖ）が予め定められた規定電圧値（例えば、ＤＣ２０Ｖ）に降下した際に、その時点における大当り抽選の抽選確率が低確率状態及び高確率状態の何れであるか、変短状態が付与されているか否かなどの遊技状態に関する各種制御情報が主制御用ＲＡＭ３０ｃに記憶保持させられるようになっている。
【００７４】
また、主制御用ＣＰＵ３０ａは、大当り判定用乱数としての当り判定用乱数（特別図柄用）、大当り種判定用乱数としての特図振分用乱数、変動内容判定用乱数としてのリーチ判定用乱数、変動パターン振分用乱数、普図当り判定用乱数（普通図柄用）、小当り図柄振分用乱数などの各種乱数の値を所定の周期毎に更新し、更新後の値を主制御用ＲＡＭ３０ｃの設定領域に記憶（設定）して更新前の値を書き換えている。また、主制御用ＣＰＵ３０ａは、時間を計測するタイマを更新する。主制御用ＲＡＭ３０ｃには、パチンコ遊技機１０の動作中に適宜書き換えられる各種情報（乱数値、タイマ値、フラグなど）が記憶（設定）されるようになっている。
【００７５】
当り判定用乱数は、大当りとするか否かの大当り抽選（大当り判定）、及び小当りとするか否かの小当り抽選（小当り判定）で用いる乱数であり、予め定められた数値範囲内（本実施形態では、「０」〜「１６９６」の全１６９７通りの整数）の数値を取り得るように、主制御用ＣＰＵ３０ａが所定の周期毎（４ｍｓ毎）に数値を１加算して更新するようになっている。また、特図振分用乱数は、大当り抽選で大当りに当選した場合に第１特図表示器２３ａに確定停止表示させる特別図柄１、又は第２特図表示器２３ｂに確定停止表示させる特別図柄２としての大当り図柄を決定する際に用いる乱数である。特図振分用乱数は、予め定められた数値範囲内（本実施形態では、「０」〜「９９」の全１００通りの整数）の数値を取り得るように、主制御用ＣＰＵ３０ａが所定の周期毎（４ｍｓ毎）に数値を１加算して更新するようになっている。この全１００通りの特図振分用乱数の各値には、前述した１００種類の特図による大当り図柄が１つずつ各別に対応付けられている。このため、本実施形態では、特図振分用乱数の値から第１特図表示器２３ａ及び第２特図表示器２３ｂに確定停止表示される大当り図柄（特図）を一義的に特定可能となっているとともに、特定した大当り図柄（特図）が何れのグループに分類されるかによって、図柄変動ゲームの終了後に付与される大当りの種類を特定できるようになっている。即ち、本実施形態では、特図振分用乱数の値から、図柄変動ゲームの終了後に付与される大当りの種類を特定可能となっている。また、小当り図柄振分用乱数は、小当り抽選で小当りに当選した場合に、第１特図表示器２３ａに確定停止表示させる特別図柄１としての小当り図柄を決定する際に用いる乱数である。
【００７６】
また、リーチ判定用乱数は、大当り抽選で大当りに当選しなかった場合、即ち、はずれの場合にリーチを形成し、リーチ演出を行うか否かのリーチ判定（リーチ抽選）で用いる乱数である。リーチ判定用乱数は、予め定められた数値範囲内（本実施形態では、「０」〜「１６２」の全１６３通りの整数）の数値を取り得るように、主制御用ＣＰＵ３０ａが更新する。また、変動パターン振分用乱数は、変動パターンを選択し、決定する際に用いる乱数である。普図当り判定用乱数は、普図当りとするか否かの普図当り抽選（普図当り判定）で用いる乱数であり、予め定められた数値範囲内（本実施形態では、「０」〜「２４０」までの全２４１通りの整数）の数値を取り得るように、主制御用ＣＰＵ３０ａが更新する。なお、本実施形態において、当り判定用乱数、特図振分用乱数、リーチ判定用乱数、及び変動パターン振分用乱数は、第１始動入賞口２５又は第２始動入賞口２６へ遊技球が入球したタイミングで同一時期（同一タイミング）に取得されるようになっており、これらの各乱数は、第１特別図柄変動ゲーム及び第２特別図柄変動ゲームにおいて共通使用される。即ち、第１始動入賞口２５へ遊技球が入賞したことを契機に取得する当り判定用乱数、特図振分用乱数、リーチ判定用乱数、及び変動パターン振分用乱数は、第２始動入賞口２６へ遊技球が入賞したことを契機に取得する当り判定用乱数、特図振分用乱数、リーチ判定用乱数、及び変動パターン振分用乱数と同一のものである。また、本実施形態において、普図当り判定用乱数は、作動ゲート２８を遊技球が通過したことを契機に取得されるようになっている。
【００７７】
また、主制御用ＲＯＭ３０ｂには、大当り判定値が記憶されている。大当り判定値は、大当りか否かの内部抽選（大当り抽選）で用いる判定値であり、当り判定用乱数の取り得る数値（０〜１６９６までの全１６９７通りの整数）の中から定められている。なお、大当り判定値は、確変状態が付与されているか否かでその数が異なっており、確変状態時の大当り判定値の数（本実施形態では５０個）は、通常状態時の大当り判定値の数（本実施形態では５個）よりも多く設定されている。なお、大当り判定値は、第１特別図柄変動ゲーム及び第２特別図柄変動ゲームにおいて共通使用している。即ち、第１特図保留記憶数に基づく大当り判定のときに使用する大当り判定値は、第２特図保留記憶数に基づく大当り判定のときに使用する大当り判定値と同じものである。また、主制御用ＲＯＭ３０ｂには、小当り判定値が記憶されている。小当り判定値は、小当りか否かの内部抽選（小当り抽選）で用いる判定値である。
【００７８】
また、主制御用ＲＯＭ３０ｂには、普図当り判定値が記憶されている。普図当り判定値は、普図当りか否かの内部抽選で用いる判定値であり、普図用の当り判定用乱数の取り得る数値（０〜２４０までの全２４１通りの整数）の中から定められている。なお、普図当り判定値は、変短状態が付与されているか否かでその数が異なっており、変短状態が付与されている時の普図当り判定値の数（本実施形態では、２４０個）は、通常状態時の普図当り判定値の数（本実施形態では、１０個）よりも多く設定されている。
【００７９】
また、主制御用ＲＯＭ３０ｂには、リーチ判定値が記憶されている。リーチ判定値は、図柄変動ゲームがはずれとなる場合に、リーチ演出を実行させるか否かのリーチ判定（リーチ抽選）で用いる判定値であり、リーチ判定用乱数の取り得る数値（０〜１６２までの全１６３通りの整数）の中から定められている。本実施形態のリーチ判定値は、第１特図保留記憶数と第２特図保留記憶数の合算値に応じて異なる値が設定されている。具体的に説明すると、本実施形態では、第１特図保留記憶数と第２特図保留記憶数の合算値が「０」及び「１」の場合に選択される第１リーチ判定値として「０〜１７」が、第１特図保留記憶数と第２特図保留記憶数の合算値が「２以上」の場合に選択される第２リーチ判定値として「０〜４」が記憶されている。また、本実施形態において第１リーチ判定値、及び第２リーチ判定値は、それぞれ複数段階に区分けされて記憶されている。具体的に説明すると、第１リーチ判定値は、第１区分判定値となる「０」、第２区分判定値となる「１」、及び第３区分判定値となる「２〜１７」の３つの区分に区分けされて記憶されている。また、本実施形態において第２リーチ判定値は、第１区分判定値となる「０」、第２区分判定値となる「１」、及び第３区分判定値となる「２〜４」の３つに区分けされて記憶されている。
【００８０】
また、主制御用ＲＯＭ３０ｂには、上記各種判定値及びメイン制御プログラムに加えて、複数種類の変動内容としての変動パターンが記憶されている。変動パターンは、図柄（特図及び飾図）が変動を開始（図柄変動ゲームが開始）してから図柄が停止表示（図柄変動ゲームが終了）される迄の間の遊技演出（表示演出、発光演出、音声演出）のベースとなるパターンを示すものである。即ち、変動パターンは、特別図柄が変動開始してから特別図柄が確定停止表示されるまでの間の図柄変動ゲームの演出内容及び演出時間（変動時間）を特定することができる。
【００８１】
変動パターンは、当り演出用の変動パターンと、はずれ演出用の変動パターンとに分類されている。当り演出用の変動パターンは、大当り抽選又は小当り抽選で当り（大当り又は小当り）に当選した場合に選択可能な変動パターンである。そして、当り演出用の変動パターンには、大当り抽選で大当りに当選した場合に選択可能な大当り演出用の変動パターンと、大当り抽選で大当りに当選した場合及び小当り抽選で小当りに当選した場合に選択可能な２Ｒ大当り・小当り演出用の変動パターンとがある。また、はずれ演出用の変動パターンは、大当り抽選で大当りに当選しなかったはずれの場合に選択される変動パターンである。そして、はずれ演出用の変動パターンには、リーチを形成し、リーチ演出が行われた後に最終的にはずれとするはずれリーチ演出用の変動パターンと、リーチを形成せずにはずれとするはずれ演出用の変動パターンとがある。
【００８２】
なお、大当り演出用の変動パターンに基づき行われる大当り演出は、図柄変動ゲームが、リーチ演出を経て、最終的に大当りの図柄組み合わせを確定停止表示させるように展開される演出である。はずれリーチ演出は、図柄変動ゲームが、リーチ演出を経て、最終的にはずれの図柄組み合わせを確定停止表示させるように展開される演出である。はずれ演出は、図柄変動ゲームが、リーチ演出を経ることなく最終的にはずれの図柄組み合わせを確定停止表示させるように展開される演出である。なお、リーチ演出は、演出表示装置２２の飾り図柄による図柄変動ゲームにおいて、リーチの図柄組み合わせが形成されてから、大当りの図柄組み合わせ、又ははずれの図柄組み合わせが導出される迄の間に行われる演出である。
【００８３】
以下、本実施形態のパチンコ遊技機１０において主制御用ＲＯＭ３０ｂに記憶されている変動パターンについて図６にしたがって具体的に説明する。なお、図６には、主制御用ＲＯＭ３０ｂに記憶された変動パターンの一部のみを示している。
【００８４】
本実施形態では、はずれ演出用の変動パターンとして、変動パターンＰ１が用意されている。変動パターンＰ１の「はずれ通常変動」は、図柄変動ゲームの開始後、各列の図柄を予め定めた変動停止順序（例えば、左列→右列→中列）にしたがって変動を停止させて各列に図柄を導出させるはずれ演出である。
【００８５】
また、本実施形態では、はずれリーチ演出用の変動パターンとして、変動パターンＰ２Ａ、変動パターンＰ３Ａ、変動パターンＰ４Ａ、変動パターンＰ５Ａ、変動パターンＰ６Ａ、変動パターンＰ７Ａ、及び変動パターンＰ８Ａが用意されている。また、本実施形態では、大当り演出用の変動パターンとして、変動パターンＰ２Ｂ、変動パターンＰ３Ｂ、変動パターンＰ４Ｂ、変動パターンＰ５Ｂ、変動パターンＰ６Ｂ、変動パターンＰ７Ｂ、及び変動パターンＰ８Ｂが用意されている。そして、本実施形態では、小当りの場合と大当りの場合で共用される２Ｒ大当り・小当り演出用の変動パターンＰ９が用意されている。
【００８６】
変動パターンＰ２Ａ及び変動パターンＰ２Ｂ（以下、まとめて「変動パターンＰ２」と示す場合がある）は、リーチ演出として「ノーマルリーチＮＲ１」を含む変動パターンとされている。また、変動パターンＰ３Ａ及び変動パターンＰ３Ｂ（以下、まとめて「変動パターンＰ３」と示す場合がある）は、リーチ演出として「ノーマルリーチＮＲ２」を含む変動パターンとされている。ここでリーチ演出は、演出表示装置２２で行われる飾り図柄変動ゲームにおいて、リーチ状態を形成してから大当りの図柄組み合わせ、又ははずれの図柄組み合わせが導出される迄の間に行われる演出である。ノーマルリーチＮＲ１及びノーマルリーチＮＲ２は、飾り図柄変動ゲームにおいて、リーチ状態を形成した後、残り１列（本実施形態では、中列）を変動させて飾図を導出する演出内容でリーチ演出が行われるようになっている。
【００８７】
また、変動パターンＰ４Ａ及び変動パターンＰ４Ｂ（以下、まとめて「変動パターンＰ４」と示す場合がある）は、リーチ演出として「スーパーリーチＳＰ１」を含む変動パターンとされている。また、変動パターンＰ５Ａ及び変動パターンＰ５Ｂ（以下、まとめて「変動パターンＰ５」と示す場合がある）は、リーチ演出として「スーパーリーチＳＰ２」を含む変動パターンとされている。スーパーリーチＳＰ１及びスーパーリーチＳＰ２は、ノーマルリーチを経て、残り１列の飾図の変動中又は一旦停止表示した後、例えば、所定のキャラクタが登場し、登場キャラクタの名称で呼ばれる「○○リーチ」へ移行（発展）して飾り図柄を導出する演出内容でリーチ演出が行われるようになっている。
【００８８】
そして、本実施形態では、リーチ演出の演出内容に応じて大当り遊技が付与される大当り信頼度（大当り期待度）が異ならされている。具体的に言えば、本実施形態において、スーパーリーチＳＰ１及びスーパーリーチＳＰ２は、ノーマルリーチＮＲ１及びノーマルリーチＮＲ２と比較して大当り信頼度を高く設定されている。大当り信頼度は、各リーチが行われる変動パターンを大当り演出用とはずれリーチ演出用に振分ける際の振分け態様に応じて決定される。
【００８９】
即ち、リーチ演出の大当り信頼度を高くするためには、当該リーチ演出が出現する割合（大当りの場合とはずれリーチの場合に出現する全体の割合）に対して、大当りの場合に当該リーチ演出が出現する割合を高めると共にはずれリーチの場合に当該リーチ演出が出現する割合を低める（又はいずれか一方を行う）ように変動パターンを振分ければよい。このように大当り信頼度を異ならせることにより、リーチが形成されてリーチ演出が行われた場合に、当該リーチ演出の種類に応じて遊技者が抱く大当りへの期待感を変化させることができる。
【００９０】
変動パターンＰ６Ａ及び変動パターンＰ６Ｂ（以下、まとめて「変動パターンＰ６」と示す場合がある）は、２回の変動サイクルからなる「擬似連続演出２回」を含む変動パターンとされている。変動パターンＰ７Ａ及び変動パターンＰ７Ｂ（以下、まとめて「変動パターンＰ７」と示す場合がある）は、３回の変動サイクルからなる「擬似連続演出３回」を含む変動パターンとされている。変動パターンＰ８Ａ及び変動パターンＰ８Ｂ（以下、まとめて「変動パターンＰ８」と示す場合がある）は、４回の変動サイクルからなる「擬似連続演出４回」を含む変動パターンとされている。変動パターンＰ６〜Ｐ８は、何れも複数回の変動サイクルからなる擬似連続演出の演出内容を含む変動パターンとされているとともに、各変動パターンに基づく図柄変動ゲームにおいて最後に実行される変動サイクル中にリーチを形成し、所定の演出内容によるリーチ演出（本実施形態では、スーパーリーチＳＰ２）が実行されるようになっている。即ち、本実施形態において複数回の変動サイクルが実行される擬似連続演出を含む変動パターンＰ６〜Ｐ８は、何れもリーチ確定の変動パターンとして位置付けられている。なお、擬似連続演出を含む変動パターンＰ６〜Ｐ８では、最後の変動サイクルより前に実行される変動サイクルは、前述した変動パターンＰ１で特定される「はずれ通常変動」と同一の変動内容が設定されている。本実施形態では、擬似連続演出を含む変動パターンＰ６〜Ｐ８が特定の変動内容、及び特殊変動系の変動内容となる。
【００９１】
また、変動パターンＰ９は、２Ｒ大当り・小当り演出用の変動パターンとされている。変動パターンＰ９では、確変２Ｒ大当り遊技又は小当り遊技終了後に、前述した第１高確示唆モードＭＢが設定される旨を遊技者に報知する演出内容を特定可能となっている。
【００９２】
次に、図３に基づき統括制御基板３１について説明する。
統括制御基板３１には、統括制御用ＣＰＵ３１ａが備えられている。該統括制御用ＣＰＵ３１ａには、統括制御用ＲＯＭ３１ｂ及び統括制御用ＲＡＭ３１ｃが接続されている。また、統括制御用ＣＰＵ３１ａは、演出実行判定用乱数などの各種乱数の値を所定の周期毎に更新し、更新後の値を統括制御用ＲＡＭ３１ｃの設定領域に記憶（設定）して更新前の値を書き換えている。なお、演出実行判定用乱数は遊技演出の実行可否を決定するための乱数であり、予め定められた数値範囲内（本実施形態では、「０」〜「９６」の全９７通りの整数）の数値を取り得るように、統括制御用ＣＰＵ３１ａが更新する。
【００９３】
また、統括制御用ＲＯＭ３１ｂには、表示制御基板３２、ランプ制御基板３３及び音声制御基板３４を統括的に制御するための統括制御プログラムが記憶されている。統括制御用ＣＰＵ３１ａは、各種制御コマンドを入力すると、当該統括制御プログラムに基づき各種制御を実行する。
【００９４】
また、統括制御基板３１（統括制御用ＣＰＵ３１ａ）には、演出用可動体ＳＫに特定演出（可動体演出）を実行させるための図示しないアクチュエータ及び発光体が接続されている。
【００９５】
次に、図３に基づき表示制御基板３２について説明する。
表示制御基板３２には、表示制御用ＣＰＵ３２ａが備えられている。該表示制御用ＣＰＵ３２ａには、表示制御用ＲＯＭ３２ｂ及び表示制御用ＲＡＭ３２ｃが接続されている。また、表示制御基板３２（表示制御用ＣＰＵ３２ａ）には、演出表示装置２２が接続されている。表示制御用ＲＯＭ３２ｂには、演出表示装置２２の表示内容を制御するための表示制御プログラムが記憶されている。また、表示制御用ＲＯＭ３２ｂには、各種の画像データ（図柄、各種背景画像、文字、キャラクタなどの画像データ）が記憶されている。また、表示制御用ＲＡＭ３２ｃには、パチンコ遊技機１０の動作中に適宜書き換えられる各種の情報が記憶（設定）されるようになっている。
【００９６】
次に、主制御用ＣＰＵ３０ａが、メイン制御プログラムに基づき実行する入賞処理や変動パターン決定処理などの各種処理について説明する。
最初に、特別図柄入力処理を図７に従って説明する。
【００９７】
主制御用ＣＰＵ３０ａは、第１始動入賞口２５に遊技球が入球したか否かを判定する（ステップＳ１）。即ち、ステップＳ１において主制御用ＣＰＵ３０ａは、第１始動口センサＳＥ１が遊技球を検知した時に出力する第１検知信号を入力したか否かを判定する。ステップＳ１の判定結果が否定の場合、主制御用ＣＰＵ３０ａは、ステップＳ５へ移行する。ステップＳ１の判定結果が肯定の場合、主制御用ＣＰＵ３０ａは、主制御用ＲＡＭ３０ｃに記憶されている第１特図保留記憶数が上限数の４未満であるか否かを判定する（ステップＳ２）。ステップＳ２の判定結果が否定（第１特図保留記憶数＝４）の場合、主制御用ＣＰＵ３０ａは、ステップ５へ移行する。
【００９８】
ステップＳ２の判定結果が肯定（第１特図保留記憶数＜４）の場合、主制御用ＣＰＵ３０ａは、第１特図保留記憶数を＋１（１加算）し、第１特図保留記憶数を書き換える（ステップＳ３）。続いて、主制御用ＣＰＵ３０ａは、当り判定用乱数の値、特図振分用乱数の値、リーチ判定用乱数の値、及び小当り図柄振分用乱数の値を主制御用ＲＡＭ３０ｃから読み出して取得し、該値を第１特図保留記憶数に対応付けられた主制御用ＲＡＭ３０ｃの所定の記憶領域に設定する（ステップＳ４）。
【００９９】
次に、主制御用ＣＰＵ３０ａは、第２始動入賞口２６に遊技球が入球したか否かを判定する（ステップＳ５）。即ち、ステップＳ５において主制御用ＣＰＵ３０ａは、第２始動口センサＳＥ２が遊技球を検知した時に出力する第２検知信号を入力したか否かを判定する。ステップＳ５の判定結果が否定の場合、主制御用ＣＰＵ３０ａは、特別図柄入力処理を終了する。ステップＳ５の判定結果が肯定の場合、主制御用ＣＰＵ３０ａは、主制御用ＲＡＭ３０ｃに記憶されている第２特図保留記憶数が上限数の４未満であるか否かを判定する（ステップＳ６）。ステップＳ６の判定結果が否定（第２特図保留記憶数＝４）の場合、主制御用ＣＰＵ３０ａは、特別図柄入力処理を終了する。
【０１００】
ステップＳ６の判定結果が肯定（第２特図保留記憶数＜４）の場合、主制御用ＣＰＵ３０ａは、第２特図保留記憶数を＋１（１加算）し、第２特図保留記憶数を書き換える（ステップＳ７）。続いて、主制御用ＣＰＵ３０ａは、当り判定用乱数の値、特図振分用乱数の値、及びリーチ判定用乱数の値を主制御用ＲＡＭ３０ｃから読み出して取得し、該値を第２特図保留記憶数に対応付けられた主制御用ＲＡＭ３０ｃの所定の記憶領域に設定する（ステップＳ８）。その後、主制御用ＣＰＵ３０ａは、特別図柄入力処理を終了する。
【０１０１】
本実施形態では、特別図柄入力処理を実行する主制御用ＣＰＵ３０ａが、乱数読出手段、第１乱数読出手段、及び第２乱数読出手段として機能する。また、本実施形態では、主制御用ＲＡＭ３０ｃが保留記憶手段、及び乱数記憶手段として機能する。
【０１０２】
次に、特別図柄開始処理について図８に基づき説明する。主制御用ＣＰＵ３０ａは、特別図柄開始処理を所定の制御周期毎（例えば、４ｍｓ毎）に実行するようになっている。
主制御用ＣＰＵ３０ａは、まず、図柄（特図及び飾図）が変動表示中であるか否か、及び大当り遊技中であるか否か判定する（ステップＳ１１）。ステップＳ１１の判定結果が肯定の場合、主制御用ＣＰＵ３０ａは、特別図柄開始処理を終了する。一方、ステップＳ１１の判定結果が否定の場合、主制御用ＣＰＵ３０ａは、第２特図保留記憶数を読み出し（ステップＳ１２）、第２特図保留記憶数が「０」よりも大きいか否か判定する（ステップＳ１３）。
【０１０３】
ステップＳ１３の判定結果が否定の場合（第２特図保留記憶数＝０の場合）、主制御用ＣＰＵ３０ａは、第１特図保留記憶数を読み出し（ステップＳ１４）、第１特図保留記憶数が「０」よりも大きいか否か判定する（ステップＳ１５）。ステップＳ１５の判定結果が否定の場合（第１特図保留記憶数＝０の場合）、主制御用ＣＰＵ３０ａは、デモ演出の実行を開始させるデモンストレーション指定コマンドを既に出力したか否かを判定する（ステップＳ１６）。この判定結果が否定の場合（デモンストレーション指定コマンドを出力していない場合）、主制御用ＣＰＵ３０ａは、デモンストレーション指定コマンドを出力する（ステップＳ１７）。そして、特別図柄開始処理を終了する。また、ステップＳ１６の判定結果が肯定の場合（デモンストレーション指定コマンドを出力していた場合）、主制御用ＣＰＵ３０ａは、そのまま特別図柄開始処理を終了する。
【０１０４】
一方、ステップＳ１５の判定結果が肯定の場合（第１特図保留記憶数＞０の場合）、主制御用ＣＰＵ３０ａは、主制御用ＲＡＭ３０ｃの所定の記憶領域に記憶される特別図柄変動処理フラグに第１特別図柄変動ゲームを実行することを示す値［０］を設定する（ステップＳ１８）。次に、主制御用ＣＰＵ３０ａは、第１特図保留記憶数の数を「１」減算（−１）し（ステップＳ１９）、当該第１特図保留記憶数に対応付けられて主制御用ＲＡＭ３０ｃの所定の記憶領域に記憶されている当り判定用乱数、特図振分用乱数、リーチ判定用乱数、及び小当り図柄振分用乱数の値を取得する（ステップＳ２０）。
【０１０５】
具体的に説明すると、主制御用ＣＰＵ３０ａは、最も早く記憶した第１特図保留記憶数「１」に対応付けられた記憶領域に記憶された各乱数の値を取得するとともに、第１特図保留記憶数「２」に対応付けられた記憶領域に記憶された各乱数の値に書き換える。同様に、統括制御用ＣＰＵ３１ａは、第１特図保留記憶数「２」に対応付けられた記憶領域に記憶された各乱数の値を第１特図保留記憶数「３」に対応付けられた記憶領域に記憶された各乱数の値に書き換える。同様に、統括制御用ＣＰＵ３１ａは、第１特図保留記憶数「３」に対応付けられた記憶領域に記憶された各乱数の値を第１特図保留記憶数「４」に対応付けられた記憶領域に記憶された各乱数の値に書き換える。また、主制御用ＣＰＵ３０ａは、「１」減算後の第１特図保留記憶数を表示するように第１特図保留表示器Ｒａの表示内容を変更させる。
【０１０６】
次に、主制御用ＣＰＵ３０ａは、図９に示すように、取得した当り判定用乱数の値が主制御用ＲＯＭ３０ｂに記憶されている大当り判定値と一致するか否かを判定して大当り抽選及び第１大当り抽選としての大当り判定を行う（ステップＳ２１）。なお、本実施形態において、通常状態の時（低確率の時）、大当り判定の判定結果が肯定となる確率（大当り確率）は、５／１６９７としており、確変状態の時（高確率の時）、大当り判定の判定結果が肯定となる確率（大当り確率）は、５０／１６９７としている。
【０１０７】
ステップＳ２１の判定結果が肯定の場合（大当りの場合）、主制御用ＣＰＵ３０ａは、大当りの変動であることを示す大当りフラグに［１］を設定する（ステップＳ２２）。そして、主制御用ＣＰＵ３０ａは、取得した特図振分用乱数の値に基づき、特別図柄１による大当り図柄の中から第１特図表示器２３ａにて確定停止表示される最終停止図柄を決定する（ステップＳ２３）。前述したように、本実施形態の特図振分用乱数の各値には特図の大当り図柄が各別に対応付けられており、主制御用ＣＰＵ３０ａは、取得した特図振分用乱数の値に対応付けられた特別図柄１の大当り図柄を決定する。なお、本実施形態では、全１００種類の特図の大当り図柄うち、３５種類が図柄Ａに分類され、５種類が図柄Ｂに分類され、２２種類が図柄Ｃに分類され、３８種類が図柄Ｄに分類されている。このため、主制御用ＣＰＵ３０ａは、ステップＳ２３において、特別図柄１の大当り図柄として図柄Ａに分類される特図を３５／１００の確率で、図柄Ｂに分類される特図を５／１００の確率で、図柄Ｃに分類される特図を２２／１００の確率で、図柄Ｄに分類される特図を３８／１００の確率で決定することになる。
【０１０８】
次に、ステップＳ２３で大当り図柄（特別図柄１）を決定した主制御用ＣＰＵ３０ａは、大当り図柄（特別図柄１）及び変動パターン振分用乱数の値をもとに、図６に示す当り演出用の変動パターン（大当り演出用、及び２Ｒ大当り・小当り演出用の変動パターン）の中から１つの変動パターンを決定する（ステップＳ２４）。変動パターン及び最終停止図柄（大当り図柄）を決定した主制御用ＣＰＵ３０ａは、統括制御基板３１（統括制御用ＣＰＵ３１ａ）に対し、所定の制御コマンドを所定のタイミングで出力する等、第１特別図柄変動ゲームに関する各種処理を実行する（ステップＳ２５）。具体的に言えば、主制御用ＣＰＵ３０ａは、変動パターンを指定すると共に図柄変動の開始を指示する変動パターン指定コマンドを最初に出力する。同時に、主制御用ＣＰＵ３０ａは、特別図柄１を変動開始させるように第１特図表示器２３ａの表示内容を制御する。また、同時に、主制御用ＣＰＵ３０ａは、図柄変動ゲームの演出時間の計測を開始する。また、主制御用ＣＰＵ３０ａは、最終停止図柄となる特別図柄１を指示するための特別図柄１指定コマンドを出力する。そして、主制御用ＣＰＵ３０ａは、特別図柄開始処理を終了する。その後、特別図柄開始処理とは別の処理で、主制御用ＣＰＵ３０ａは、前記指定した変動パターンに定められている演出時間に基づいて、決定した最終停止図柄を表示させるように第１特図表示器２３ａの表示内容を制御する。また、主制御用ＣＰＵ３０ａは、前記指定した変動パターンに定められている演出時間に基づいて、飾図の変動停止を指示し、図柄組み合わせを確定停止表示させるための全図柄停止コマンドを出力する。
【０１０９】
一方、ステップＳ２１の大当り判定の判定結果が否定の場合（大当りでない場合）、主制御用ＣＰＵ３０ａは、取得した当り判定用乱数の値が主制御用ＲＯＭ３０ｂに記憶されている小当り判定値と一致するか否かを判定して小当り判定（小当り抽選）を行う（ステップＳ２６）。なお、本実施形態において、小当り判定の判定結果が肯定となる確率（小当り確率）は、５／１６９７としている。ステップＳ２６の判定結果が肯定の場合（小当りの場合）、主制御用ＣＰＵ３０ａは、小当りの変動であることを示す小当りフラグに［１］を設定する（ステップＳ２７）。そして、主制御用ＣＰＵ３０ａは、取得した小当り図柄振分用乱数の値に基づき、特別図柄による小当り図柄（図柄Ｈ）の中から第１特図表示器２３ａにて確定停止表示させる最終停止図柄を決定する（ステップＳ２８）。また、小当りを決定した主制御用ＣＰＵ３０ａは、小当り遊技の当選時に選択可能な変動パターンの中から一つの変動パターンを選択し、決定する（ステップＳ２９）。
【０１１０】
変動パターン及び最終停止図柄（小当り図柄）を決定した主制御用ＣＰＵ３０ａは、ステップＳ２５の処理に移行し、前述同様、統括制御基板３１（統括制御用ＣＰＵ３１ａ）に対し、所定の制御コマンドを所定のタイミングで出力する等、第１特別図柄変動ゲームに関する各種処理を実行し、特別図柄開始処理を終了する。その後に、特別図柄開始処理とは別の処理で、主制御用ＣＰＵ３０ａは、前記指定した変動パターンに定められている演出時間に基づいて、決定した最終停止図柄を表示させるように第１特図表示器２３ａの表示内容を制御する。また、主制御用ＣＰＵ３０ａは、前記指定した変動パターンに定められている演出時間に基づいて、飾図の変動停止を指示し、図柄組み合わせを確定停止表示させるための全図柄停止コマンドを出力する。
【０１１１】
一方、ステップＳ２６の判定結果が否定の場合（小当りでない場合）、リーチ演出を実行させるか否かを判定するリーチ判定を行う（ステップＳ３０）。具体的に説明すると、まず主制御用ＣＰＵ３０ａは、第１特図保留記憶数及び第２特図保留記憶数を合算して合算値を算出するとともに、算出した合算値に基づき第１リーチ判定値及び第２リーチ判定値の何れかを選択する。即ち、主制御用ＣＰＵ３０ａは、第１特図保留記憶数と第２特図保留記憶数の合算値が「０」又は「１」の場合、第１リーチ判定値を選択し、合算値が「２以上」の場合、第２リーチ判定値を選択する。そして、リーチ判定値を選択した主制御用ＣＰＵ３０ａは、主制御用ＲＡＭ３０ｃに記憶されたリーチ判定用乱数の値を取得するとともに、取得したリーチ判定用乱数の値とリーチ判定値を比較してリーチ判定を行う。そして、本実施形態において主制御用ＣＰＵ３０ａは、第１特図保留記憶数と第２特図保留記憶数の合算値が「０」又は「１」の場合、１８／１６３の確率でリーチ判定を肯定判定する一方、合算値が「２以上」の場合、５／１６３の確率でリーチ判定を肯定判定するようになっている。
【０１１２】
そして、ステップＳ３０の判定結果が肯定の場合（リーチ演出を行う場合）、主制御用ＣＰＵ３０ａは、はずれ図柄を第１特図表示器２３ａにて確定停止表示させる最終停止図柄として決定する（ステップＳ３１）。次に、主制御用ＣＰＵ３０ａは、リーチ判定用乱数の値に基づき、変動パターン振分テーブルを選択し、その選択したテーブルの中から変動パターンを決定する（ステップＳ３２）。具体的に言えば、主制御用ＣＰＵ３０ａは、第１特図保留記憶数と第２特図保留記憶数の合算値に係わらず、リーチ判定用乱数の値が第１リーチ判定値及び第２リーチ判定値の第１区分判定値である「０」の場合、擬似連続演出の演出内容を含む変動パターンＰ６〜Ｐ８が対応付けられた変動パターン振分テーブルを選択する。また、主制御用ＣＰＵ３０ａは、第１特図保留記憶数と第２特図保留記憶数の合算値に係わらず、リーチ判定用乱数の値が第１リーチ判定値及び第２リーチ判定値の第２区分判定値である「１」の場合、リーチ演出としてスーパーリーチを含む変動パターンＰ４及び変動パターンＰ５が対応付けられた変動パターン振分テーブルを選択する。また、主制御用ＣＰＵ３０ａは、第１特図保留記憶数と第２特図保留記憶数の合算値が「０」又は「１」の場合であって、リーチ判定用乱数の値が第１リーチ判定値の第３区分判定値である「２〜１７」の場合、又は合算値が「２以上」の場合であって、リーチ判定用乱数の値が第２リーチ判定値の第３区分判定値である「２〜４」の場合、リーチ演出としてノーマルリーチを含む変動パターンＰ２及び変動パターンＰ３が対応付けられた変動パターン振分テーブルを選択する。そして、変動パターン振分テーブルを選択した主制御用ＣＰＵ３０ａは、主制御用ＲＡＭ３０ｃから取得した変動パターン振分用乱数の値に対応する変動パターンを選択する。
【０１１３】
本実施形態において、第２リーチ判定値の第１区分判定値には、第１リーチ判定値の第１区分判定値と同一値が設定されているとともに、本実施形態の第２リーチ判定値の第２区分判定値には、第１リーチ判定値の第２区分判定値と同一値が設定されている。そして、本実施形態の第２リーチ判定値における第３区分判定値には、第１リーチ判定値の第３区分判定値（「２〜１７」）に設定された値と同一値（「２〜４」）が設定されている。このような構成から、本実施形態では、第１特図保留記憶数及び第２特図保留記憶数の合算値にかかわらず、リーチ判定用乱数の値が第２リーチ判定値の第１区分判定値である「０」の場合には必ず擬似連続演出の演出内容を含む変動パターンＰ６〜Ｐ８が対応付けられた変動パターン振分テーブルを選択し、リーチ判定用乱数の値が第２リーチ判定値の第２区分判定値である「１」の場合には必ずスーパーリーチを含む変動パターンＰ４及び変動パターンＰ５が対応付けられた変動パターン振分テーブルを選択し、リーチ判定用乱数の値が第２リーチ判定値の第３区分判定値である「２〜４」の場合には必ずノーマルリーチを含む変動パターンＰ２及び変動パターンＰ３が対応付けられた変動パターン振分テーブルを選択するようになっている。
【０１１４】
そして、変動パターン及び最終停止図柄（はずれ図柄）を決定した主制御用ＣＰＵ３０ａは、ステップＳ２５の処理に移行し、統括制御基板３１（統括制御用ＣＰＵ３１ａ）に対し、所定の制御コマンドを所定のタイミングで出力する等、第１特別図柄変動ゲームに関する各種処理を実行する。その後、主制御用ＣＰＵ３０ａは、特別図柄開始処理を終了する。なお、特別図柄開始処理とは別の処理で、主制御用ＣＰＵ３０ａは、前記指定した変動パターンに定められている演出時間に基づいて、決定した最終停止図柄を表示させるように第１特図表示器２３ａの表示内容を制御する。また、主制御用ＣＰＵ３０ａは、前記指定した変動パターンに定められている演出時間に基づいて、飾図の変動停止を指示し、図柄組み合わせを確定停止表示させるための全図柄停止コマンドを出力する。
【０１１５】
一方、ステップＳ３０の判定結果が否定の場合（リーチ演出を行わない場合）、主制御用ＣＰＵ３０ａは、ステップＳ３３に移行する。ステップＳ３３にて主制御用ＣＰＵ３０ａは、はずれ図柄を第１特図表示器２３ａにて確定停止表示される最終停止図柄として決定する（ステップＳ３３）。次に、主制御用ＣＰＵ３０ａは、はずれ演出用の変動パターンＰ１を決定する（ステップＳ３４）。
【０１１６】
そして、変動パターン及び最終停止図柄（はずれ図柄）を決定した主制御用ＣＰＵ３０ａは、ステップＳ２５の処理に移行し、統括制御基板３１（統括制御用ＣＰＵ３１ａ）に対し、所定の制御コマンドを所定のタイミングで出力する等、第１特別図柄変動ゲームに関する各種処理を実行する。その後、主制御用ＣＰＵ３０ａは、特別図柄開始処理を終了する。なお、特別図柄開始処理とは別の処理で、主制御用ＣＰＵ３０ａは、前記指定した変動パターンに定められている演出時間に基づいて、決定した最終停止図柄を表示させるように第１特図表示器２３ａの表示内容を制御する。また、主制御用ＣＰＵ３０ａは、前記指定した変動パターンに定められている演出時間に基づいて、飾図の変動停止を指示し、図柄組み合わせを確定停止表示させるための全図柄停止コマンドを出力する。
【０１１７】
一方、図８に示すステップＳ１３の判定結果が肯定の場合（第２特図保留記憶数＞０の場合）、主制御用ＣＰＵ３０ａは、主制御用ＲＡＭ３０ｃの所定の記憶領域に記憶される特別図柄変動処理フラグに第２特別図柄変動ゲームを実行することを示す値［１］を設定する（ステップＳ３５）。次に、主制御用ＣＰＵ３０ａは、第２特図保留記憶数の数を「１」減算（−１）し（ステップＳ３６）、当該第２特図保留記憶数に対応付けられて主制御用ＲＡＭ３０ｃの所定の記憶領域に記憶されている当り判定用乱数の値、特図振分用乱数の値、リーチ判定用乱数の値を取得する（ステップＳ３７）。
【０１１８】
具体的に説明すると、主制御用ＣＰＵ３０ａは、最も早く記憶した第２特図保留記憶数「１」に対応付けられた記憶領域に記憶された各乱数の値を取得するとともに、第２特図保留記憶数「２」に対応付けられた記憶領域に記憶された各乱数の値に書き換える。同様に、統括制御用ＣＰＵ３１ａは、第２特図保留記憶数「２」に対応付けられた記憶領域に記憶された各乱数の値を第２特図保留記憶数「３」に対応付けられた記憶領域に記憶された各乱数の値に書き換える。同様に、統括制御用ＣＰＵ３１ａは、第２特図保留記憶数「３」に対応付けられた記憶領域に記憶された各乱数の値を第２特図保留記憶数「４」に対応付けられた記憶領域に記憶された各乱数の値に書き換える。また、主制御用ＣＰＵ３０ａは、「１」減算後の第２特図保留記憶数を表示するように第２特図保留表示器Ｒｂの表示内容を変更させる。
【０１１９】
次に、主制御用ＣＰＵ３０ａは、図１０に示すように、取得した当り判定用乱数の値が主制御用ＲＯＭ３０ｂに記憶されている大当り判定値と一致するか否かを判定して大当り抽選及び第２大当り抽選としての大当り判定を行う（ステップＳ３８）。なお、本実施形態において、大当り判定値は、確変状態が付与されているか否かで変更されるようになっている。そして、通常状態の時（低確率の時）、大当り判定の判定結果が肯定となる確率（大当り確率）は、５／１６９７としており、確変状態の時（高確率の時）、大当り判定の判定結果が肯定となる確率（大当り確率）は、５０／１６９７としている。
【０１２０】
ステップＳ３８の判定結果が肯定の場合（大当りの場合）、主制御用ＣＰＵ３０ａは、大当りの変動であることを示す大当りフラグに［１］を設定する（ステップＳ３９）。そして、主制御用ＣＰＵ３０ａは、取得した特図振分用乱数の値に基づき、特別図柄２による大当り図柄の中から第２特図表示器２３ｂにて確定停止表示される最終停止図柄を決定する（ステップＳ４０）。前述したように、本実施形態の特図振分用乱数の各値には特図の大当り図柄が各別に対応付けられており、主制御用ＣＰＵ３０ａは、取得した特図振分用乱数の値に対応付けられた特別図柄２の大当り図柄を決定する。なお、本実施形態では、全１００種類の特図の大当り図柄うち、５５種類が図柄ａに分類され、７種類が図柄ｂに分類され、３８種類が図柄ｄに分類されている。このため、主制御用ＣＰＵ３０ａは、ステップＳ４０において、特別図柄２の大当り図柄として図柄ａに分類される特図を５５／１００の確率で、図柄ｂに分類される特図を７／１００の確率で、図柄ｄに分類される特図を３８／１００の確率で決定することになる。
【０１２１】
次に、ステップＳ４０で大当り図柄（特別図柄２）を決定した主制御用ＣＰＵ３０ａは、大当り図柄（特別図柄２）及び変動パターン振分用乱数の値をもとに、図６に示す当り演出用の変動パターン（大当り演出用、及び２Ｒ大当り・小当り演出用の変動パターン）の中から１つの変動パターンを決定する（ステップＳ４１）。変動パターン及び最終停止図柄（特別図柄２の大当り図柄）を決定した主制御用ＣＰＵ３０ａは、統括制御基板３１（統括制御用ＣＰＵ３１ａ）に対し、所定の制御コマンドを所定のタイミングで出力する等、第２特別図柄変動ゲームに関する各種処理を実行する（ステップＳ４２）。具体的に言えば、主制御用ＣＰＵ３０ａは、変動パターンを指定すると共に図柄変動の開始を指示する変動パターン指定コマンドを最初に出力する。同時に、主制御用ＣＰＵ３０ａは、特別図柄を変動開始させるように第２特図表示器２３ｂの表示内容を制御する。また、同時に、主制御用ＣＰＵ３０ａは、図柄変動ゲームの演出時間の計測を開始する。また、主制御用ＣＰＵ３０ａは、最終停止図柄となる特別図柄２を指示するための特別図柄２指定コマンドを出力する。そして、主制御用ＣＰＵ３０ａは、特別図柄開始処理を終了する。その後、特別図柄開始処理とは別の処理で、主制御用ＣＰＵ３０ａは、前記指定した変動パターンに定められている演出時間に基づいて、決定した最終停止図柄を表示させるように第２特図表示器２３ｂの表示内容を制御する。また、主制御用ＣＰＵ３０ａは、前記指定した変動パターンに定められている演出時間に基づいて、飾図の変動停止を指示し、図柄組み合わせを確定停止表示させるための全図柄停止コマンドを出力する。
【０１２２】
一方、ステップＳ３８の大当り判定の判定結果が否定の場合（即ち、大当りでない場合）、リーチ演出を実行させるか否かを判定するリーチ判定を行う（ステップＳ４３）。具体的に説明すると、まず主制御用ＣＰＵ３０ａは、第１特図保留記憶数及び第２特図保留記憶数を合算して合算値を算出するとともに、算出した合算値に基づき第１リーチ判定値及び第２リーチ判定値の何れかを選択する。即ち、主制御用ＣＰＵ３０ａは、第１特図保留記憶数と第２特図保留記憶数の合算値が「０」又は「１」の場合、第１リーチ判定値を選択し、合算値が「２以上」の場合、第２リーチ判定値を選択する。そして、リーチ判定値を選択した主制御用ＣＰＵ３０ａは、主制御用ＲＡＭ３０ｃに記憶されたリーチ判定用乱数の値を取得するとともに、取得したリーチ判定用乱数の値とリーチ判定値を比較してリーチ判定を行う。そして、本実施形態において主制御用ＣＰＵ３０ａは、第１特図保留記憶数と第２特図保留記憶数の合算値が「０」又は「１」の場合、１８／１６３の確率でリーチ判定を肯定判定する一方、合算値が「２以上」の場合、５／１６３の確率でリーチ判定を肯定判定するようになっている。
【０１２３】
そして、ステップＳ４３の判定結果が肯定の場合（リーチ演出を行う場合）、主制御用ＣＰＵ３０ａは、はずれ図柄を第２特図表示器２３ｂにて確定停止表示される最終停止図柄として決定する（ステップＳ４４）。次に、主制御用ＣＰＵ３０ａは、リーチ判定用乱数の値に基づき、変動パターン振分テーブルを選択し、その選択したテーブルの中から変動パターンを決定する（ステップＳ４５）。具体的に言えば、主制御用ＣＰＵ３０ａは、第１特図保留記憶数と第２特図保留記憶数の合算値に係わらず、リーチ判定用乱数の値が第１リーチ判定値及び第２リーチ判定値の第１区分判定値である「０」の場合、擬似連続演出の演出内容を含む変動パターンＰ６〜Ｐ８が対応付けられた変動パターン振分テーブルを選択する。また、主制御用ＣＰＵ３０ａは、第１特図保留記憶数と第２特図保留記憶数の合算値に係わらず、リーチ判定用乱数の値が第１リーチ判定値及び第２リーチ判定値の第２区分判定値である「１」の場合、リーチ演出としてスーパーリーチを含む変動パターンＰ４及び変動パターンＰ５が対応付けられた変動パターン振分テーブルを選択する。また、主制御用ＣＰＵ３０ａは、第１特図保留記憶数と第２特図保留記憶数の合算値が「０」又は「１」の場合であって、リーチ判定用乱数の値が第１リーチ判定値の第３区分判定値である「２〜１７」の場合、又は合算値が「２以上」の場合であって、リーチ判定用乱数の値が第２リーチ判定値の第３区分判定値である「２〜４」の場合、リーチ演出としてノーマルリーチを含む変動パターンＰ２及び変動パターンＰ３が対応付けられた変動パターン振分テーブルを選択する。そして、変動パターン振分テーブルを選択した主制御用ＣＰＵ３０ａは、主制御用ＲＡＭ３０ｃから取得した変動パターン振分用乱数の値に対応する変動パターンを選択する。
【０１２４】
そして、変動パターン及び最終停止図柄（はずれ図柄）を決定した主制御用ＣＰＵ３０ａは、ステップＳ４２の処理に移行し、統括制御基板３１（統括制御用ＣＰＵ３１ａ）に対し、所定の制御コマンドを所定のタイミングで出力する等、第２特別図柄変動ゲームに関する各種処理を実行する。その後、主制御用ＣＰＵ３０ａは、特別図柄開始処理を終了する。なお、特別図柄開始処理とは別の処理で、主制御用ＣＰＵ３０ａは、前記指定した変動パターンに定められている演出時間に基づいて、決定した最終停止図柄を表示させるように第２特図表示器２３ｂの表示内容を制御する。また、主制御用ＣＰＵ３０ａは、前記指定した変動パターンに定められている演出時間に基づいて、飾図の変動停止を指示し、図柄組み合わせを確定停止表示させるための全図柄停止コマンドを出力する。
【０１２５】
一方、ステップＳ４３の判定結果が否定の場合（リーチ演出を行わない場合）、主制御用ＣＰＵ３０ａは、ステップＳ４６に移行する。ステップＳ４６にて主制御用ＣＰＵ３０ａは、はずれ図柄を第２特図表示器２３ｂにて確定停止表示される最終停止図柄として決定する（ステップＳ４６）。次に、主制御用ＣＰＵ３０ａは、はずれ演出用の変動パターンＰ１を決定する（ステップＳ４７）。
【０１２６】
そして、変動パターン及び最終停止図柄（はずれ図柄）を決定した主制御用ＣＰＵ３０ａは、ステップＳ４２の処理に移行し、統括制御基板３１（統括制御用ＣＰＵ３１ａ）に対し、所定の制御コマンドを所定のタイミングで出力する等、第１特別図柄変動ゲームに関する各種処理を実行する。その後、主制御用ＣＰＵ３０ａは、特別図柄開始処理を終了する。なお、特別図柄開始処理とは別の処理で、主制御用ＣＰＵ３０ａは、前記指定した変動パターンに定められている演出時間に基づいて、決定した最終停止図柄を表示させるように第２特図表示器２３ｂの表示内容を制御する。また、主制御用ＣＰＵ３０ａは、前記指定した変動パターンに定められている演出時間に基づいて、飾図の変動停止を指示し、図柄組み合わせを確定停止表示させるための全図柄停止コマンドを出力する。
【０１２７】
本実施形態では、特別図柄開始処理を実行する主制御用ＣＰＵ３０ａが、大当り抽選手段、変動内容決定手段、大当り種決定手段として機能する。
以上のように、本実施形態では、主制御用ＣＰＵ３０ａが所定の制御周期毎に特別図柄開始処理を実行することで、大当り判定（大当り抽選）が当該大当り抽選の抽選結果を導出（報知）する図柄変動ゲームの開始直前に実行されることになる。即ち、「図柄変動ゲームの開始直前」とは、大当り遊技及び小当り遊技の実行中ではない状態において、主制御用ＲＡＭ３０ｃに特図始動保留球（第１特図始動保留球又は第２特図始動保留球）が記憶されている場合には、現在実行中の図柄変動ゲーム（第１特別図柄変動ゲーム、又は第２特別図柄変動ゲーム）が終了した直後であり、主制御用ＲＡＭ３０ｃに特図始動保留球（第１特図始動保留球又は第２特図始動保留球）が記憶されていない場合には、各始動入賞口２５，２６での入賞検知の直後となる。
【０１２８】
次に、主制御用ＣＰＵ３０ａが実行する制御内容として、大当り遊技時及び小当り遊技時の制御内容を説明する。
主制御用ＣＰＵ３０ａは、大当り遊技及び小当り遊技の各開始時にオープニングコマンドを出力するとともに、各ラウンド遊技の開始時にラウンドコマンドを出力し、さらに終了時にエンディングコマンドを出力する。オープニングコマンドはオープニングの開始を指示し、ラウンドコマンドはラウンド遊技の開始を指示し、エンディングコマンドはエンディングの開始を指示する。また、主制御用ＣＰＵ３０ａは、各ラウンド遊技の開始時に、大入賞口扉２７ａを開放させるための開放信号を出力する。開放信号は、大入賞口扉２７ａの大入賞口ソレノイドＳＯＬ１に対して出力され、前記開放信号によって前記大入賞口ソレノイドＳＯＬ１が作動し、大入賞口扉２７ａが開動作される。また、主制御用ＣＰＵ３０ａは、ラウンド遊技毎に予め定めたラウンド遊技時間を計測するとともに、カウントスイッチＳＥ３からの検知信号を入力してラウンド遊技中に入球した遊技球の入球個数をカウントする。そして、主制御用ＣＰＵ３０ａは、ラウンド遊技時間が経過したこと、及び入球上限個数の遊技球が入球したことの何れかの終了条件を満たすことにより、大入賞口扉２７ａを閉鎖させるための閉鎖信号を出力する。閉鎖信号は、大入賞口扉２７ａの大入賞口ソレノイドＳＯＬ１に対して出力され、前記閉鎖信号によって前記大入賞口ソレノイドＳＯＬ１が作動し、大入賞口扉２７ａが閉動作される。
【０１２９】
大当り遊技及び小当り遊技を終了させた主制御用ＣＰＵ３０ａは、第１確変１５Ｒ大当り、第２確変１５Ｒ大当り遊技、及び確変２Ｒ大当りの何れかが付与された場合、確変状態を付与することを示す確変フラグに「１」を設定する。なお、確変フラグに「１」が設定されている場合には、確変状態が付与されていることを示し、「０」が設定されている場合には、確変状態が付与されていないことを示している。また、主制御用ＣＰＵ３０ａは、非確変１５Ｒ大当りが付与された場合、確変状態を付与することを示す確変フラグに「０」を設定する。また、主制御用ＣＰＵ３０ａは、変短状態を付与する場合、変短状態を付与することを示す作動フラグに「１」を設定する。なお、作動フラグに「１」が設定されている場合には、変短状態が付与されていることを示し、「０」が設定されている場合には、変短状態が付与されていないことを示している。なお、「確変フラグ」及び「作動フラグ」は、主制御用ＲＡＭ３０ｃの所定の記憶領域に記憶されるとともに、大当り遊技が付与された場合にクリアされる（「０」が設定される）ようになっている。
【０１３０】
また、主制御用ＣＰＵ３０ａは、第２確変１５Ｒ大当り、及び非確変１５Ｒ大当りの何れかが付与されていた場合には、変短状態を付与する図柄変動ゲームの回数として、作動回数に１００回を設定する。この変短状態を付与する変短付与回数は、図柄変動ゲームが実行される毎に１減算され、値が０となると、作動フラグがクリアされる（「０」が設定される）。
【０１３１】
そして、主制御用ＣＰＵ３０ａは、大当り遊技の終了後、遊技状態を確変状態及び変短状態とする場合には高確率指定コマンド及び変短作動コマンドを統括制御基板３１（統括制御用ＣＰＵ３１ａ）に出力し、変短状態とする場合には変短作動コマンドのみを統括制御基板３１（統括制御用ＣＰＵ３１ａ）出力する。一方、小当り遊技の場合、小当り当選時の遊技状態が維持されることから、主制御用ＣＰＵ３０ａは、小当り遊技中も小当り当選時の遊技状態で制御し、かつ小当り遊技終了後には遊技状態を指定するコマンドを統括制御基板３１（統括制御用ＣＰＵ３１ａ）に出力しない。すなわち、主制御用ＣＰＵ３０ａは、小当り遊技に当選した場合、確変状態を付与するか否かの状態移行判定を行わない。したがって、本実施形態では、主制御用ＣＰＵ３０ａが遊技状態制御手段として機能する。
【０１３２】
次に、統括制御基板３１について説明する。
統括制御基板３１の統括制御用ＣＰＵ３１ａは、変動パターン指定コマンドを入力すると、該コマンドを各制御基板３２〜３４に出力する。また、統括制御用ＣＰＵ３１ａは、特別図柄１指定コマンド又は特別図柄２指定コマンドを入力すると、該コマンドに対応する特図の停止図柄指定に応じて演出表示装置２２に停止表示させる図柄組み合わせを構成する飾図を決定する。
【０１３３】
飾図の決定において統括制御用ＣＰＵ３１ａは、特別図柄１指定コマンド又は特別図柄２指定コマンドで指定された停止図柄（特図）が、第１確変１５Ｒ大当りに対応する大当り図柄（図柄Ａ又は図柄ａ）の場合、飾図の図柄組み合わせとして、特定図柄（本実施形態では、奇数図柄）からなる大当りの図柄組み合わせを決定する。また、統括制御用ＣＰＵ３１ａは、特別図柄１指定コマンド又は特別図柄２指定コマンドで指定された停止図柄（特図）が第２確変１５Ｒ大当り遊技に対応する大当り図柄（図柄Ｂ又は図柄ｂ）又は非確変１５Ｒ大当りに対応する大当り図柄（図柄Ｄ又は図柄ｄ）の場合、飾図の図柄組み合わせとして、非特定図柄（本実施形態では、偶数図柄）からなる大当りの図柄組み合わせを決定する。また、統括制御用ＣＰＵ３１ａは、特別図柄１指定コマンドで指定された停止図柄（特図）が、確変２Ｒ大当りに対応する大当り図柄（図柄Ｃ）の場合、又は小当りに対応する小当り図柄（図柄Ｈ）の場合、飾図の図柄組み合わせとして、はずれを認識可能な図柄組み合わせのうち、確変示唆の図柄組み合わせを決定する。
【０１３４】
また、統括制御用ＣＰＵ３１ａは、特別図柄指定コマンドで指定された停止図柄が、小当り図柄を除くはずれ図柄の場合、はずれを認識可能な図柄組み合わせを決定する。また、統括制御用ＣＰＵ３１ａは、はずれを認識可能な図柄組み合わせを決定する場合であって、はずれリーチ演出用の変動パターンが指示されている場合、リーチ形成図柄を含むはずれを認識可能な図柄組み合わせを決定する。一方、統括制御用ＣＰＵ３１ａは、はずれ演出用の変動パターンが指示されている場合、リーチ形成図柄を含まないはずれを認識可能な図柄組み合わせを決定する。そして、飾図を決定した統括制御用ＣＰＵ３１ａは、飾図を指示する飾り図柄指定コマンドを表示制御基板３２に出力する。また、統括制御用ＣＰＵ３１ａは、全図柄停止コマンドを入力すると、該コマンドを各制御基板３２〜３４に出力する。
【０１３５】
次に、統括制御用ＣＰＵ３１ａが実行する演出モードに係る制御内容を説明する。統括制御用ＣＰＵ３１ａは、主制御用ＣＰＵ３０ａが出力する特別図柄１指定コマンド又は特別図柄２指定コマンドで指示された大当り図柄の種類と、変短状態の作動／非作動（終了）に係る各指定コマンドと、演出モードフラグの設定値をもとに、大当り遊技又は小当り遊技終了後の演出モードの種類を決定し、当該決定した演出モードを示す値に演出モードフラグを更新する。演出モードフラグは、現在滞在している演出モードを識別可能な情報で構成されており、統括制御用ＲＡＭ３１ｃに設定される。統括制御用ＣＰＵ３１ａは、演出モードフラグを設定（更新）すると、滞在中の演出モードを指示するモード指定コマンドを各制御基板３２〜３４に出力する。
【０１３６】
次に、統括制御用ＣＰＵ３１ａが実行する大当り遊技に係る制御内容を説明する。
統括制御用ＣＰＵ３１ａは、オープニングコマンド、ラウンドコマンド及びエンディングコマンドを入力すると、これらのコマンドに応じてオープニング演出の演出内容、ラウンド演出の演出内容、及びエンディング演出の演出内容を決定する。そして、統括制御用ＣＰＵ３１ａは、決定した演出内容を指示する演出指示コマンドを各制御基板３２〜３４にそれぞれ出力する。
【０１３７】
次に、表示制御基板３２について説明する。
表示制御基板３２の表示制御用ＣＰＵ３２ａは、変動パターン指定コマンドを入力すると、該コマンドに指示される変動パターンに対応する演出内容を選択し、該演出内容で図柄変動ゲームを実行させるように演出表示装置２２の表示内容を制御する。このとき、表示制御用ＣＰＵ３２ａは、選択した演出内容をもとに表示制御用ＲＯＭ３２ｂの画像データを用いて前記演出内容に沿った画像を表示するための表示用データを生成する。
【０１３８】
そして、表示制御用ＣＰＵ３２ａは、図柄変動ゲームの開始に伴って該ゲームの開始からの経過時間を計時し、その計時した時間と表示用データをもとに演出表示装置２２に映し出す画像を所定の制御周期毎（例えば、４ｍｓ毎）に切り替える。そして、表示制御用ＣＰＵ３２ａは、図柄変動ゲーム中に全図柄停止コマンドを入力すると、飾り図柄指定コマンドで指示された図柄を演出表示装置２２に確定停止表示させるように演出表示装置２２の表示内容を制御し、図柄変動ゲームを終了させる。また、表示制御用ＣＰＵ３２ａは、モード指定コマンドを入力すると、その指示内容に基づき、背景画像を変化させる。本実施形態では、表示制御用ＣＰＵ３２ａがゲーム制御手段として機能する。
【０１３９】
次に、本実施形態のパチンコ遊技機１０において、連続演出を実行するための具体的制御について詳細に説明する。
本実施形態の主制御用ＣＰＵ３０ａは、第１始動入賞口２５及び第２始動入賞口２６で入賞検知されたタイミングで、該入賞検知を契機として取得した当り判定用乱数の値、特図振分用乱数の値、及びリーチ判定用乱数の値を事前判定し、その事前判定結果を指示する事前判定コマンドを統括制御用ＣＰＵ３１ａに出力するようになっている。そして、統括制御用ＣＰＵ３１ａは、主制御用ＣＰＵ３０ａから入力した事前判定コマンドで指示される事前判定の結果に基づき、連続演出の実行可否を判定するようになっている。
【０１４０】
最初に、本実施形態の主制御用ＣＰＵ３０ａが統括制御用ＣＰＵ３１ａに出力する事前判定コマンドについて図１１にしたがって説明する。図１１に示すように、本実施形態の主制御用ＣＰＵ３０ａは、事前判定コマンドとして、「Ｄ６ｘｘＨ」、「Ｄ７ｘｘＨ」、「Ｄ８ｘｘＨ」、「Ｄ９ｘｘＨ」、「ＤＢｘｘＨ」、及び「ＤＣｘｘＨ」の６系統の制御コマンドを出力可能となっている。
【０１４１】
事前判定コマンドＤ６ｘｘＨは、上位バイト「Ｄ６」により「大当り演出（１５Ｒ大当り又は２Ｒ大当り）」を特定可能であるとともに、下位バイト「ｘｘＨ」により事前判定した時点における特図保留記憶数（第１特図保留記憶数又は第２特図保留記憶数）を特定可能となっている。また、事前判定コマンドＤ７ｘｘＨは、上位バイト「Ｄ７」によりはずれリーチ演出用の演出内容として「擬似連２回〜擬似連４回のうち何れか」を特定可能であるとともに、下位バイト「ｘｘＨ」により事前判定した時点における特図保留記憶数を特定可能となっている。また、事前判定コマンドＤ８ｘｘＨは、上位バイト「Ｄ８」によりはずれリーチ演出用の演出内容として「スーパーリーチＳＰ１又はスーパーリーチＳＰ２」を特定可能であるとともに、下位バイト「ｘｘＨ」により事前判定した時点における特図保留記憶数を特定可能となっている。また、事前判定コマンドＤ９ｘｘＨは、上位バイト「Ｄ９」によりはずれリーチ演出用の演出内容として「ノーマルリーチＮＲ１又はノーマルリーチＮＲ２」が特定可能であるとともに、下位バイト「ｘｘＨ」により事前判定した時点における特図保留記憶数を特定可能となっている。なお、上位バイトで「小当り」を示す事前判定コマンドは出力されないようになっている。
【０１４２】
なお、各事前判定コマンド「Ｄ６ｘｘＨ」〜「Ｄ９ｘｘＨ」の下位バイトには、第１特図保留記憶数が「１」の場合には「０１Ｈ」が、第１特図保留記憶数が「２」の場合には「０２Ｈ」が、第１特図保留記憶数が「３」の場合には「０３Ｈ」が、第１特図保留記憶数が「４」の場合には「０４Ｈ」が設定されるようになっている。また、各事前判定コマンド「Ｄ６ｘｘＨ」〜「Ｄ９ｘｘＨ」の下位バイトには、第２特図保留記憶数が「１」の場合には「１１Ｈ」が、第２特図保留記憶数が「２」の場合には「１２Ｈ」が、第２特図保留記憶数が「３」の場合には「１３Ｈ」が、第２特図保留記憶数が「４」の場合には「１４Ｈ」が設定されるようになっている。
【０１４３】
以上のように構成された各事前判定コマンド「Ｄ６ｘｘＨ」〜「Ｄ９ｘｘＨ」では、上位バイトの値から、図柄変動ゲームの演出内容を特定可能となっている。また、各事前判定コマンド「Ｄ６ｘｘＨ」〜「Ｄ９ｘｘＨ」では、下位バイトの値から、第１特別図柄変動ゲーム及び第２特別図柄変動ゲームの何れに関する事前判定コマンドであるか、及び事前判定した時点における特図保留記憶数（第１特図保留記憶数、又は第２特図保留記憶数）を特定可能となっている。
【０１４４】
また、事前判定コマンドＤＢｘｘＨは、上位バイト「ＤＢ」により特別図柄１を指示する事前判定コマンドであることが特定可能であるとともに、下位バイト「ｘｘＨ」により特図振分用乱数の値を特定可能となっている。事前判定コマンドＤＣｘｘＨは、上位バイト「ＤＣ」により特別図柄２を指示する事前判定コマンドであることが特定可能であるとともに、下位バイト「ｘｘＨ」により特図振分用乱数の値を特定可能となっている。本実施形態では、「０〜９９」迄の全１００通りの整数値とした特図振分用乱数の値を直接下位バイトとして設定するようになっている。前述したように、本実施形態において１００通りの特図振分用乱数の各値には、大当り図柄（特別図柄）が１００種類の中から１つずつ各別に対応付けられていることから、事前判定コマンドの下位バイトの値を参照することで図柄変動ゲームの終了後に付与される大当りの種類を一義的に特定できるようになっている。したがって、以上のように構成された事前判定コマンドＤＢｘｘＨでは、特別図柄１の大当り図柄を特定可能となっている。また、事前判定コマンドＤＣｘｘＨでは、特別図柄２の大当り図柄を特定可能となっている。即ち、事前判定コマンドＤＢｘｘＨ及びＤＣｘｘＨでは、各コマンドに示される値から大当りの種類を特定可能となっている。
【０１４５】
次に、主制御用ＣＰＵ３０ａが実行する連続演出設定処理について図１２にしたがって説明する。なお、この連続演出設定処理は、特別図柄入力処理の後に実行されるようになっている。
【０１４６】
連続演出設定処理において主制御用ＣＰＵ３０ａは、第１始動入賞口２５に遊技球が入賞検知されたか否かを判定する（ステップＳ１０１）。この判定結果が肯定の場合、主制御用ＣＰＵ３０ａは、大当り中であるか否かを（大当りフラグに「１」が設定されているか否か）を判定する（ステップＳ１０２）。この判定結果が否定の場合、主制御用ＣＰＵ３０ａは、変短状態（入球率向上状態）が付与されているか否か（作動フラグに「１」が設定されているか否か）を判定する（ステップＳ１０３）。この判定結果が否定の場合、主制御用ＣＰＵ３０ａは、図１３に示す第１事前判定処理を実行する（ステップＳ１０４）。なお、この第１事前判定処理は、特別図柄入力処理において第１始動入賞口２５で入賞検知されたときに取得した当り判定用乱数の値、特図振分用乱数の値、及びリーチ判定用乱数の値を事前判定し、その事前判定の結果を指定する事前判定コマンドを生成及び出力するための処理となっている。この第１事前判定処理については、後に詳細に説明する。
【０１４７】
そして、ステップＳ１０１の判定結果が否定の場合、ステップＳ１０２の判定結果が肯定の場合、ステップＳ１０３の判定結果が肯定の場合、又はステップＳ１０４の処理が終了した場合、主制御用ＣＰＵ３０ａは、次に、第２始動入賞口２６に遊技球が入賞検知されたか否かを判定する（ステップＳ１０５）。この判定結果が肯定の場合、主制御用ＣＰＵ３０ａは、図１４に示す第２事前判定処理を実行する（ステップＳ１０６）。なお、この第２事前判定処理は、特別図柄入力処理において第２始動入賞口２６で入賞検知されたときに取得した当り判定用乱数の値、特図振分用乱数の値、及びリーチ判定用乱数の値を事前判定し、その事前判定の結果を指示する事前判定コマンドを生成及び出力するための処理となっている。この第２事前判定処理については、後に詳細に説明する。そして、統括制御用ＣＰＵ３１ａは、連続演出設定処理を終了する。
【０１４８】
本実施形態のパチンコ遊技機１０では、第２始動入賞口２６で遊技球が入球した場合、それ以前に第１始動入賞口２５で遊技球が入球して第１特図保留記憶数が１以上であっても、第１特別図柄変動ゲームを保留しておき、優先的に第２特別図柄変動ゲームを実行させている。このため、第２始動入賞口２６に遊技球が入球し易く、第２特別図柄変動ゲームが連続して実行されやすい変短状態が付与されている場合に、第１特図保留記憶数分の第１特別図柄変動ゲームを対象とした連続演出の実行を設定すると、第２の変動ゲームが優先的に実行されて第２特図始動保留記憶数がなくなるまで若しくは変短状態が終了するまで連続演出が終了しなくなる虞がある。そこで、本実施形態では、主制御用ＣＰＵ３０ａは、第２始動入賞口２６へ遊技球が入球しやすい変短状態が付与されている場合又は大当り遊技中である場合、主制御用ＲＡＭ３０ｃに記憶されている第１特図保留記憶数に１加算して書き換える際、連続演出の実行可否にかかる第１事前判定処理を実行しないようになっている。これにより、主制御用ＣＰＵ３０ａは、変短状態中又は大当り遊技中、第１始動入賞口２５に遊技球が入賞検知されても第１特別図柄変動ゲームに関する事前判定コマンドを統括制御用ＣＰＵ３１ａに出力しないため、統括制御用ＣＰＵ３１ａが事前判定コマンドに基づき連続演出を実行し得ず、連続演出が終了しなくなるということを確実に防止している。
【０１４９】
次に、主制御用ＣＰＵ３０ａが実行する第１事前判定処理について図１３にしたがって詳しく説明する。
主制御用ＣＰＵ３０ａは、前述した特別図柄入力処理にて、第１始動入賞口２５に遊技球が入賞検知されたときに取得した当り判定用乱数の値が、小当り判定値と一致するか否かを判定する（ステップＳ２０１）。この判定結果が肯定の場合、主制御用ＣＰＵ３０ａは、第１事前判定処理を終了する。一方、ステップＳ２０１の判定結果が否定の場合、主制御用ＣＰＵ３０ａは、前述した特別図柄入力処理にて、第１始動入賞口２５に遊技球が入賞検知されたときに取得した当り判定用乱数の値が、大当り判定値と一致するか否かを判定する（ステップＳ２０２）。このとき、主制御用ＣＰＵ３０ａは、主制御用ＲＡＭ３０ｃに記憶された確変フラグの値を参照して遊技状態が確変状態であるか否かを判定し、確変状態である場合、確変状態時の大当り判定値（本実施形態では、５０通りの整数値）を用いて判定する一方、通常状態である場合、通常状態時の大当り判定値（本実施形態では、５通りの整数値）を用いて判定するようになっている。このように、主制御用ＣＰＵ３０ａは、第１始動入賞口２５での入賞検知されたタイミングで、該入賞検知を契機に取得した当り判定用乱数の値が大当り抽選で大当りに当選する大当り値（大当りを示す値）か否かを事前判定するようになっている。
【０１５０】
ステップＳ２０２の判定結果が肯定の場合、主制御用ＣＰＵ３０ａは、大当り演出を指示する上位バイト「Ｄ６」、及びその時点において主制御用ＲＡＭ３０ｃに記憶されている第１特図保留記憶数を指定する下位バイト「ｘｘＨ」（「０１Ｈ」〜「０４Ｈ」）とから事前判定コマンドを生成し、所定の送信バッファにセットする（ステップＳ２０３）。また、主制御用ＣＰＵ３０ａは、特別図柄１を指示する事前判定コマンドであることを指定する上位バイト「ＤＢ」、及び第１始動入賞口２５に遊技球が入賞検知されたときに取得した特図振分用乱数の値を指定する下位バイト「ｘｘＨ」とから事前判定コマンドを生成し、所定の送信バッファにセットする（ステップＳ２０４）。なお、所定の送信バッファにセットされた制御コマンドは、次回以降の制御周期において順次統括制御用ＣＰＵ３１ａに出力される。したがって、本実施形態の主制御用ＣＰＵ３０ａは、大当り演出を特定可能な事前判定コマンドＤ６ｘｘＨを出力する際に、特別図柄１の大当り図柄を特定可能な事前判定コマンドＤＢｘｘＨを同時期に出力するようになっている。そして、ステップＳ２０４の処理を終了した主制御用ＣＰＵ３０ａは、第１事前判定処理を終了する。
【０１５１】
また、ステップＳ２０２の判定結果が否定の場合、主制御用ＣＰＵ３０ａは、上位バイトとして「Ｄ７（擬似連２回〜擬似連４回）」を主制御用ＲＡＭ３０ｃの所定領域にセットするとともに、第２リーチ判定値の第１区分判定値（本実施形態では、「０」）を主制御用ＲＯＭ３０ｂから読み出す（ステップＳ２０５）。次に、主制御用ＣＰＵ３０ａは、第１始動入賞口２５に遊技球が入賞検知されたときに取得したリーチ判定用乱数の値がステップＳ２０５で読み出した第１区分判定値以下であるか否かを判定する（ステップＳ２０６）。
【０１５２】
ステップＳ２０６の判定結果が肯定の場合、主制御用ＣＰＵ３０ａは、主制御用ＲＡＭ３０ｃに最後にセットした上位バイト、及びその時点において主制御用ＲＡＭ３０ｃに記憶されている第１特図保留記憶数を指定する下位バイト「ｘｘＨ」（「０１Ｈ」〜「０４Ｈ」）とから事前判定コマンドを生成し、所定の送信バッファにセットする（ステップＳ２０７）。なお、所定の送信バッファにセットされた制御コマンドは、次回以降の制御周期において順次統括制御用ＣＰＵ３１ａに出力される。また、ステップＳ２０７の処理において主制御用ＣＰＵ３０ａは、主制御用ＲＡＭ３０ｃに記憶されている判定回数の値をクリア（「０」を設定）する。なお、この判定回数は、第１事前判定処理において、ステップＳ２０６の判定処理を実行した回数を示しており、リーチ判定値に設定された区分数分（本実施形態では、第１〜第３区分判定値の３区分）の判定処理を繰り返し実行するために用いられる値である。ステップＳ２０７の処理を終了した主制御用ＣＰＵ３０ａは、第１事前判定処理を終了する。
【０１５３】
また、ステップＳ２０６の判定結果が否定の場合、主制御用ＣＰＵ３０ａは、主制御用ＲＡＭ３０ｃに記憶された判定回数の値を「１」加算して更新する（ステップＳ２０８）。続けて、主制御用ＣＰＵ３０ａは、更新後の判定回数の値が３と等しいか否かを判定する（ステップＳ２０９）。ステップＳ２０９の判定結果が肯定の場合、主制御用ＣＰＵ３０ａは、主制御用ＲＡＭ３０ｃに記憶されている判定回数をクリアする（「０」を設定する）とともに、第１事前判定処理を終了する。また、ステップＳ２０９の判定結果が否定の場合、主制御用ＣＰＵ３０ａは、上位バイトとして主制御用ＲＡＭ３０ｃの所定領域にセットされている値を「＋１」加算するとともに、第２リーチ判定値において次の区分の区分判定値を主制御用ＲＯＭ３０ｂから読み出す（ステップＳ２１０）。そして、主制御用ＣＰＵ３０ａは、ステップＳ２０６又はステップＳ２０９の判定結果が肯定となる迄、ステップＳ２０６、及びステップＳ２０８〜ステップＳ２１０の処理を繰り返し実行するようになっている。即ち、本実施形態では、ステップＳ２０６、及びステップＳ２０８〜ステップＳ２１０の処理を繰り返し実行することで、リーチ判定用乱数の値が第２リーチ判定値の第１区分判定値以下の場合には「Ｄ７」が上位バイトとして決定され、リーチ判定用乱数の値が第１区分判定値より大きく且つ第２区分判定値以下の場合には「Ｄ８」が上位バイトとして決定され、リーチ判定用乱数の値が第２区分判定値より大きく且つ第３区分判定値以下の場合には「Ｄ９」が上位バイトとして決定される。
【０１５４】
前述したように、特別図柄開始処理において主制御用ＣＰＵ３０ａは、第１特図保留記憶数及び第２特図保留記憶数の合算値にかかわらず、リーチ判定用乱数の値が第２リーチ判定値の第１区分判定値以下である場合には擬似連続演出の演出内容を含む変動パターンＰ６〜Ｐ８の何れかを決定し、リーチ判定用乱数の値が第１区分判定値より大きく且つ第２区分判定値以下である場合にはスーパーリーチを含む変動パターンＰ４及び変動パターンＰ５の何れかを決定し、リーチ判定用乱数の値が第２区分判定値より大きく且つ第３区分判定値以下である場合にはノーマルリーチを含む変動パターンＰ２及び変動パターンＰ３の何れかを決定する。このような構成から、本実施形態では、リーチ判定用乱数の値が第２リーチ判定値の第１〜第３区分判定値の何れに該当するかを入賞検知時に事前判定することによって、特別図柄開始処理において選択される変動パターンの区分（擬似連続演出、スーパーリーチ、及びノーマルリーチ）を特定することが可能となっている。
【０１５５】
次に、主制御用ＣＰＵ３０ａが実行する第２事前判定処理について図１４にしたがって説明する。なお、以下に説明する第２事前判定処理は、第１事前判定処理が第１始動入賞口２５で入賞検知された際に実行されるとともに第１特別図柄変動ゲームの始動保留球に係る処理であるのに対し、第２始動入賞口２６で入賞検知された際に実行されるとともに第２特別図柄変動ゲームの始動保留球に係る処理である点でのみ相違しており、一致点についての説明を省略又は簡略する。なお、第２事前判定処理には、第１事前判定処理のステップＳ２０１に相当する処理が設けられておらず、小当りか否かの判定を行わないようになっている。
【０１５６】
主制御用ＣＰＵ３０ａは、前述した特別図柄入力処理にて、第２始動入賞口２６に遊技球が入賞検知されたときに取得した当り判定用乱数の値に基づきステップＳ３０２の判定処理を実行する。また、主制御用ＣＰＵ３０ａは、ステップＳ３０３及びステップＳ３０７の処理において、主制御用ＲＡＭ３０ｃに記憶されている第２特図保留記憶数を指定する下位バイト「ｘｘＨ」（「１１Ｈ」〜「１４Ｈ」）を用いて事前判定コマンドを生成する。また、主制御用ＣＰＵ３０ａは、ステップＳ３０４の処理において、特別図柄２を指示する事前判定コマンドであることを指定する上位バイト「ＤＣ」、及び第２始動入賞口２６に遊技球が入賞検知されたときに取得した特図振分用乱数の値を指定する下位バイト「ｘｘＨ」とから事前判定コマンドを生成し、所定の送信バッファにセットする（ステップＳ２０４）。したがって、本実施形態の主制御用ＣＰＵ３０ａは、大当り演出を特定可能な事前判定コマンドＤ６ｘｘＨを出力する際に、特別図柄２の大当り図柄を特定可能な事前判定コマンドＤＣｘｘＨを同時期に出力するようになっている。
【０１５７】
本実施形態では、第１事前判定処理及び第２事前判定処理を実行する主制御用ＣＰＵ３０ａが、事前判定手段、大当り事前判定手段、変動内容事前判定手段として機能する。
次に、統括制御用ＣＰＵ３１ａが連続演出及び擬似連続演出を実行するための処理について説明する。
【０１５８】
統括制御用ＣＰＵ３１ａは、主制御用ＣＰＵ３０ａから事前判定コマンドを入力すると、入力した事前判定コマンドが図柄変動ゲームの演出内容を特定可能な事前判定コマンド「Ｄ６ｘｘＨ」〜「Ｄ９ｘｘＨ」であるか否かを判定する。統括制御用ＣＰＵ３１ａは、入力した事前判定コマンドの値が「Ｄ６ｘｘＨ」〜「Ｄ９ｘｘＨ」である場合、事前判定コマンドの下位バイトの値から、第１特別図柄変動ゲーム及び第２特別図柄変動ゲームの何れに関する事前判定コマンドであるか、及び特図保留記憶数を特定する。具体的に言えば、統括制御用ＣＰＵ３１ａは、事前判定コマンドの下位バイトの値が「０１Ｈ〜０４Ｈ」である場合、第１特別図柄変動ゲームに関する事前判定コマンドである旨、及び第１特図保留記憶数（即ち、保留中の第１特別図柄変動ゲームの回数）を把握するとともに、事前判定コマンドの下位バイトの値が「１１Ｈ〜１４Ｈ」である場合、第２特別図柄変動ゲームに関する事前判定コマンドである旨、及び第２特図保留記憶数（即ち、保留中の第２特別図柄変動ゲームの回数）を把握する。
【０１５９】
本実施形態の統括制御用ＲＡＭ３１ｃには、第１特図保留記憶数の取り得る各値（本実施形態では、「１」、「２」、「３」、及び「４」）に対応付けられる４つの記憶領域（アドレス）と、第２特図保留記憶数の取り得る各値（本実施形態では、「１」、「２」、「３」、及び「４」）に対応付けられる４つの記憶領域（アドレス）とが設定されている。そして、統括制御用ＣＰＵ３１ａは、事前判定コマンドの上位バイトの値から特定可能な図柄変動ゲームの演出内容を示す情報（本実施形態では、事前判定コマンド「Ｄ６ｘｘＨ〜Ｄ９ｘｘＨ」の値）を、特定した第１特図保留記憶数又は第２特図保留記憶数に対応付けられた記憶領域に記憶（格納）させる。また、統括制御用ＣＰＵ３１ａは、大当り演出を特定可能な事前判定コマンドＤ６ｘｘＨを入力した場合、図柄変動ゲームの演出内容を特定可能な事前判定コマンドの値に加えて、当該事前判定コマンドＤ６ｘｘＨとともに入力した特別図柄１を特定可能な事前判定コマンドＤＢｘｘＨの値、又は特別図柄２を特定可能な事前判定コマンドＤＣｘｘＨの値を同時に記憶させるようになっている。
【０１６０】
そして、統括制御用ＣＰＵ３１ａは、主制御用ＣＰＵ３０ａから第１特別図柄変動ゲームの実行を指示する変動パターンの入力後、全図柄停止コマンドを入力すると、第１特図保留記憶数「１」に対応付けられた記憶領域に記憶された値（事前判定コマンド）を第１特図保留記憶数「２」に対応付けられた記憶領域に記憶された値に書き換える。同様に、統括制御用ＣＰＵ３１ａは、第１特図保留記憶数「２」に対応付けられた記憶領域に記憶された値（事前判定コマンド）を第１特図保留記憶数「３」に対応付けられた記憶領域に記憶された値に書き換える。同様に、統括制御用ＣＰＵ３１ａは、第１特図保留記憶数「３」に対応付けられた記憶領域に記憶された値（事前判定コマンド）を第１特図保留記憶数「４」に対応付けられた記憶領域に記憶された値に書き換える。
【０１６１】
また、統括制御用ＣＰＵ３１ａは、主制御用ＣＰＵ３０ａから第２特別図柄変動ゲームの実行を指示する変動パターンの入力後、全図柄停止コマンドを入力すると、第２特図保留記憶数「１」に対応付けられた記憶領域に記憶された値（事前判定コマンド）を第２特図保留記憶数「２」に対応付けられた記憶領域に記憶された値に書き換える。同様に、統括制御用ＣＰＵ３１ａは、第２特図保留記憶数「２」に対応付けられた記憶領域に記憶された値（事前判定コマンド）を第２特図保留記憶数「３」に対応付けられた記憶領域に記憶された値に書き換える。同様に、統括制御用ＣＰＵ３１ａは、第２特図保留記憶数「３」に対応付けられた記憶領域に記憶された値（事前判定コマンド）を第２特図保留記憶数「４」に対応付けられた記憶領域に記憶された値に書き換える。
【０１６２】
以上のように、本実施形態の統括制御用ＣＰＵ３１ａは、全図柄停止コマンドの入力毎に、特図保留記憶数に対応付けられた記憶領域に記憶された値（事前判定コマンドの値）を書き換え処理（シフト処理）することで、主制御基板３０の主制御用ＣＰＵ３０ａが管理する保留中の第１特別図柄変動ゲーム及び第２特別図柄変動ゲームの演出内容を把握することができるようになっている。より具体的に言えば、統括制御用ＣＰＵ３１ａが第１特図保留記憶数に対応付けて記憶する事前判定コマンド（即ち、図柄変動ゲームの演出内容）は、同一の第１特図保留記憶数に対応付けて主制御用ＣＰＵ３０ａが管理する各乱数の値（当り判定用乱数の値、特図振分用乱数の値、リーチ判定用乱数の値）に基づき、当該第１特図保留記憶数に基づく図柄変動ゲームの開始直前に主制御用ＣＰＵ３０ａが判定する図柄変動ゲームの演出内容と一致するようになっている。同様に、統括制御用ＣＰＵ３１ａが第２特図保留記憶数に対応付けて記憶する事前判定コマンド（即ち、図柄変動ゲームの演出内容）は、同一の第２特図保留記憶数に対応付けて主制御用ＣＰＵ３０ａが管理する各乱数の値（当り判定用乱数の値、特図振分用乱数の値、リーチ判定用乱数の値）に基づき、当該第２特図保留記憶数に基づく図柄変動ゲームの開始直前に主制御用ＣＰＵ３０ａが判定する図柄変動ゲームの演出内容と一致するようになっている。このような構成から、統括制御用ＣＰＵ３１ａは、事前判定コマンドの下位バイトで示される特図保留記憶数を管理回数とし、当該管理回数分の特別図柄変動ゲームが終了する迄の間、事前判定コマンドの値を記憶保持するとともに、管理回数分の特別図柄変動ゲームの終了を契機として事前判定コマンドの値を消去すると把握することも可能である。
【０１６３】
例えば、主制御用ＣＰＵ３０ａが第１特図保留記憶数「３」に対応付けて記憶させた各乱数の値に基づき、図柄変動ゲームの開始直前に判定する図柄変動ゲームの演出内容が「４回の変動サイクルからなる擬似連続演出」を含む変動パターンである場合、統括制御用ＣＰＵ３１ａが第１特図保留記憶数「３」に対応付けて記憶させた事前判定コマンドの値も「Ｄ７ｘｘＨ」（擬似連２回〜４回）となり、一致するようになっている。また、例えば、主制御用ＣＰＵ３０ａが第１特図保留記憶数「２」に対応付けて記憶させた各乱数の値に基づき、図柄変動ゲームの開始直前に判定する図柄変動ゲームの演出内容が「大当り演出」であり、且つ特図の大当り図柄として図柄Ａを決定する場合、統括制御用ＣＰＵ３１ａが第１特図保留記憶数「２」に対応付けて記憶させた事前判定コマンドの値も「Ｄ６ｘｘＨ」（大当り演出）であり、且つ同じ第１特図保留記憶数「２」に対応付けて記憶させた事前判定コマンドの値も「ＤＢｘｘＨ」（図柄Ａ）となり、一致するようになっている。
【０１６４】
以上のように、本実施形態の統括制御用ＣＰＵ３１ａは、統括制御用ＲＡＭ３１ｃに記憶された事前判定コマンドの値（種類）によって、保留中の第１特別図柄変動ゲーム及び第２特別図柄変動ゲームの演出内容、及び該演出内容が「大当り演出」である場合の特図の大当り図柄（大当りの種類）を特定可能となっている。このように、本実施形態では、事前判定コマンドを記憶する統括制御用ＲＡＭ３１ｃが事前判定記憶手段として機能する。また、統括制御用ＲＡＭ３１ｃに記憶される事前判定コマンドの値のうち「Ｄ７ｘｘＨ」が判定情報となる。
【０１６５】
なお、統括制御用ＣＰＵ３１ａは、統括制御用ＲＡＭ３１ｃに記憶させた事前判定コマンドの値を大当り遊技が開始される際に全て消去するようになっている。具体的に言えば、統括制御用ＣＰＵ３１ａは、主制御用ＣＰＵ３０ａからオープニング開始コマンドを入力すると、統括制御用ＲＡＭ３１ｃにおいて第１特図保留記憶数の各値に対応付けられた記憶領域、及び第２特図保留記憶数の各値に対応付けられた記憶領域に記憶されている記憶内容を全て消去（リセット）するようになっている。
【０１６６】
次に、統括制御用ＣＰＵ３１ａが連続演出の実行可否を決定するために用いる連続演出実行可否判定用テーブルＴＡ〜ＴＣについて図１５〜図１７にしたがって説明する。連続演出実行可否判定用テーブル（以下、単に「実行判定テーブル」と示す）ＴＡ〜ＴＣは、統括制御用ＲＯＭ３１ｂに記憶されている。また、実行判定テーブルＴＡは、第１特図始動保留球に基づく連続演出の実行可否を決定するためのテーブルとなっている。また、実行判定テーブルＴＢ及び実行判定テーブルＴＣは、第２特図始動保留球に基づく連続演出の実行可否を決定するためのテーブルとされている。なお、図１５〜図１７に示す「保１」、「保２」、「保３」、及び「保４」は、第１特図保留記憶数、及び第２特図保留記憶数を示している。
【０１６７】
図１５に示すように、実行判定テーブルＴＡには、パチンコ遊技機１０の遊技状態毎に区分けして、入力した事前判定コマンドから特定可能な第１特別図柄変動ゲームの演出内容、及び入力した事前判定コマンドから特定可能な第１特図保留記憶数との組み合わせ毎に演出実行判定用乱数が所定個数ずつ振分けられている。なお、図１５に示す各数値は、連続演出を実行可と決定する演出実行判定用乱数の数が示されており、○（「○」は図１５に示す各数値）／９７の確率で連続演出の実行可を判定するようになっている。したがって、例えば「低確＋変短なし」時において、事前判定コマンドＤ８０３Ｈを入力した場合には、スーパーリーチの演出内容で且つ第１特図保留記憶数が「３」であることから、２２／９７（２２．７％）の確率で連続演出の実行可を決定するようになっている。なお、前述したように、本実施形態の主制御用ＣＰＵ３０ａは、変短状態（入球率向上状態）中に第１事前判定処理を実行せず、統括制御用ＣＰＵ３１ａは変短状態中に事前判定コマンドを入力し得ないことから「低確＋変短あり」及び「高確＋変短あり」の遊技状態に対応するテーブルを設けていない。
【０１６８】
そして、実行判定テーブルＴＡでは、事前判定コマンドで「大当り演出」が指定された場合には、はずれリーチ演出（スーパーリーチ及びノーマルリーチ）が指定された場合と比較して、第１特図保留記憶数が多いときに連続演出の実行可を決定し易く構成されている。その一方で、実行判定テーブルＴＡでは、事前判定コマンドで「はずれリーチ演出（スーパーリーチ及びノーマルリーチ）」が指定された場合には、第１特図保留記憶数が少ないときに連続演出の実行可を決定し易く構成されている。このような実行判定テーブルＴＡにおける演出実行判定用乱数の振り分け態様から、本実施形態では、連続演出が多い回数の図柄変動ゲームを対象として実行される程、段階的に大当り信頼度が上昇（変化）するようになっている。視点をかえれば、本実施形態の連続演出では、演出用可動体ＳＫによる特定演出を伴う図柄変動ゲームが連続して実行される程、大当り信頼度が上昇（変化）し、遊技者の大当りへの期待感を段階的に高めることができるようになっている。
【０１６９】
そして、実行判定テーブルＴＡでは、事前判定コマンドＤ９ｘｘＨでノーマルリーチを指定された場合であって、第１特図保留記憶数が「３」及び「４」の場合には、連続演出の実行可が決定されない（即ち、０／９７で実行可を決定する）。また、実行判定テーブルＴＡでは、事前判定コマンドＤ８ｘｘＨでスーパーリーチを指定された場合であって、第１特図保留記憶数が「４」の場合には、連続演出の実行可が決定されない（即ち、０／９７で実行可を決定する）。その一方で、事前判定コマンドＤ６ｘｘＨで大当り演出を指定された場合には、第１特図保留記憶数が「１」〜「４」の何れの場合でも連続演出の実行可を決定し得るようになっている。このような構成から、４回の図柄変動ゲームを対象に実行される連続演出は、大当り確定の確定演出として位置付けられる。即ち、遊技者は、特定演出を伴う図柄変動ゲームが４回、連続して実行されることで、当該４回目の図柄変動ゲームで大当りとなることを確定的に認識することができるようになっている。
【０１７０】
なお、実行判定テーブルＴＡでは、大当り演出を指定する事前判定コマンドＤ６ｘｘＨを入力した場合であって、事前判定コマンドＤＢｘｘＨで指定される特別図柄１の大当り図柄が図柄Ｂ又は図柄Ｄである場合において、且つパチンコ遊技機１０の遊技状態が「低確＋変短なし」のときには、連続演出の実行可を決定し得るように演出実行判定用乱数の値が振分けられている。その一方で、パチンコ遊技機１０の遊技状態が「高確＋変短なし」のときには、第１特図保留記憶数が「１」〜「４」の何れに対しても演出実行判定用乱数の値が振分けられていない。即ち、本実施形態では、事前判定コマンドＤＢｘｘＨで指定される特別図柄１の大当り図柄が図柄Ｂ又は図柄Ｄである場合であっても、遊技状態が「高確＋変短なし」の場合には、連続演出の実行可を決定し得ないようになっている。前述のように、「高確＋変短なし」の遊技状態へは、「低確＋変短なし」の遊技状態において小当り又は確変２Ｒ大当りに当選したことを契機として移行される。本実施形態のパチンコ遊技機１０において、確変２Ｒ大当りに当選した場合、図示しない大当り種報知ランプ（例えば、第２特図表示器２３ｂの下方に設けた小型ＬＥＤ）によってその旨が報知され、確変２Ｒ大当りに当選して確変状態が付与されることを遊技者が把握し得るようになっている。このため、当該大当り種報知ランプによって確変２Ｒ大当りに当選したこと（即ち、確変状態が付与されたこと）を認識している遊技者にとって、４回の図柄変動ゲームを対象とした連続演出が実行されたにもかかわらず、遊技状態が確変状態であることを確定的に認識できない第２高確示唆モードＭＣに移行する大当り（図柄Ｄに基づく非確変１５Ｒ大当り、又は図柄Ｂに基づく確変１５Ｒ大当り）に当選することで、却って興趣が低下してしまう虞がある。本実施形態のパチンコ遊技機１０では、「高確＋変短なし」の遊技状態において、事前判定コマンドＤＢｘｘＨで指定される特別図柄１の大当り図柄が図柄Ｂ又は図柄Ｄである場合に、連続演出の実行可を決定し得ないようにすることで、このような問題が発生することを回避している。
【０１７１】
また、図１６に示す実行判定テーブルＴＢでは、パチンコ遊技機１０の遊技状態が「低確＋変短なし」の場合、及び「高確＋変短なし」の場合において、事前判定コマンドから特定可能な第２特別図柄変動ゲームの演出内容、及び事前判定コマンドから特定可能な第２特図保留記憶数との組み合わせの全てに演出実行判定用乱数の値が振分けられていない。このように構成することで、遊技状態が「低確＋変短なし」の場合、及び「高確＋変短なし」の場合には、第２特図始動保留球に対応する事前判定コマンドに基づき、連続演出の実行可を決定しないようになっている。
【０１７２】
また、図１７に示す実行判定テーブルＴＣでは、パチンコ遊技機１０の遊技状態が「低確＋変短あり」の場合、及び「高確＋変短あり」の場合において、事前判定コマンドから特定可能な第２特別図柄変動ゲームの演出内容、及び事前判定コマンドから特定可能な第２特図保留記憶数との組み合わせ毎に演出実行判定用乱数が所定個数ずつ振分けられている。
【０１７３】
実行判定テーブルＴＣでは、事前判定コマンドで「大当り演出」が指定された場合には、はずれリーチ演出（スーパーリーチ及びノーマルリーチ）が指定された場合と比較して、第２特図保留記憶数が多いときに連続演出の実行可を決定し易く構成されている。その一方で、実行判定テーブルＴＣでは、事前判定コマンドで「はずれリーチ演出（スーパーリーチ及びノーマルリーチ）」が指定された場合には、第２特図保留記憶数が少ないときに連続演出の実行可を決定し易く構成されている。このような実行判定テーブルＴＣにおける演出実行判定用乱数の振り分け態様から、本実施形態では、連続演出が多い回数の図柄変動ゲームを対象として実行される程、段階的に大当り信頼度が上昇（変化）するようになっている。また、実行判定テーブルＴＣでは、パチンコ遊技機１０の遊技状態が「高確＋変短あり」の場合、第２特図保留記憶数が「１」〜「４」の何れに対しても演出実行判定用乱数の値が振り分けられていない。
【０１７４】
なお、実行判定テーブルＴＣでは、事前判定コマンドで「ノーマルリーチ」が指定された場合であって、第２特図保留記憶数が２以下の場合、４０／９７の確率で連続演出の実行可が決定される。これに対して、実行判定テーブルＴＡでは、事前判定コマンドで「ノーマルリーチ」が指定された場合であって、第２特図保留記憶数が２以下の場合、９７／９７（即ち、１００％）の確率で連続演出の実行可が決定される。このため、変短状態が付与されている場合には、変短状態が付与されていない場合と比較して、最終的に「ノーマルリーチ」で終わる連続演出の出現頻度が低くなり、相対的に連続演出の大当り信頼度が高められている。
【０１７５】
次に、統括制御用ＣＰＵ３１ａが事前判定コマンドの入力を契機として連続演出の実行可否を決定する連続演出決定処理について図１８にしたがって説明する。なお、図１８に示す連続演出決定処理は、統括制御用ＣＰＵ３１ａが主制御用ＣＰＵ３０ａから事前判定コマンドを入力した際に実行するようになっている。
【０１７６】
図１８に示すように、統括制御用ＣＰＵ３１ａは、入力した事前判定コマンドが大当り演出を指示する「Ｄ６ｘｘＨ」であるか否かを判定する（ステップＳ４０１）。ステップＳ４０１の判定結果が肯定の場合、統括制御用ＣＰＵ３１ａは、統括制御用ＲＡＭ３１ｃにおいて第１特図保留記憶数に対応付けられた記憶領域、又は第２特図保留記憶数に対応付けられた記憶領域に事前判定コマンドＤ６ｘｘＨが記憶されているか否かを判定する（ステップＳ４０２）。ステップＳ４０２の判定結果が肯定の場合、統括制御用ＣＰＵ３１ａは連続演出決定処理を終了する。即ち、統括制御用ＣＰＵ３１ａは、今回の事前判定コマンドの入力より前に入力された事前判定コマンドで大当り演出を指示する事前判定コマンドＤ６ｘｘＨを入力している場合、連続演出の実行可を決定しないようになっている。換言すれば、第１特図始動保留球又は第２特図始動保留球に基づく保留中の図柄変動ゲーム中に、大当りとなる図柄変動ゲームが含まれている場合には、連続演出を実行中であるか否かにかかわらず、新たな連続演出の実行可を決定しないようになっている。
【０１７７】
一方、ステップＳ４０２の判定結果が否定の場合、統括制御用ＣＰＵ３１ａは、事前判定コマンドＤ６ｘｘＨとともに入力した事前判定コマンド（「ＤＢｘｘＨ」又は「ＤＣｘｘＨ」）で指定される大当り図柄で特定可能な大当り種が２Ｒ確変大当りであるか否かを判定する（ステップＳ４０３）。具体的に説明すると、統括制御用ＣＰＵ３１ａは、特別図柄を指定する事前判定コマンドの上位バイトから、事前判定コマンドで指定される特図が第１特別図柄であるか第２特別図柄であるかを特定するとともに、下位バイトで指定される特図振分用乱数の値から大当り図柄を特定する。そして、統括制御用ＣＰＵ３１ａは、特定した特図の大当り図柄が、何れの図柄のグループに分類されるかを判定して大当りの種類を特定するようになっている。ステップＳ４０３の判定結果が肯定の場合、統括制御用ＣＰＵ３１ａは、連続演出決定処理を終了する。即ち、統括制御用ＣＰＵ３１ａは、事前判定コマンドにより確変２Ｒ大当りとなる大当り演出が指定された場合、連続演出の実行可を決定しないようになっている。このような構成から、本実施形態のパチンコ遊技機１０では、連続演出の対象とされた最後の図柄変動ゲームにおいて確変２Ｒ大当りとなることを回避するようになっている。
【０１７８】
一方、ステップＳ４０３の判定結果が否定の場合、統括制御用ＣＰＵ３１ａは、事前判定コマンドＤ６ｘｘＨとともに入力した事前判定コマンド（「ＤＢｘｘＨ」又は「ＤＣｘｘＨ」）で指定される特図の大当り図柄で特定可能な大当り種が第１確変１５Ｒ大当り（図柄Ａ又は図柄ａ）であるか否かを判定する（ステップＳ４０４）。ステップＳ４０４の判定結果が肯定の場合、統括制御用ＣＰＵ３１ａは、連続演出の実行可否を決定する（ステップＳ４０５）。具体的に説明すると、統括制御用ＣＰＵ３１ａは、統括制御用ＲＡＭ３１ｃに記憶された作動フラグの値、及び確変フラグの値に基づきパチンコ遊技機１０の遊技状態を把握するとともに、把握した遊技状態、及び事前判定コマンドで示される特図始動保留球の種類（第１特図始動保留球、又は第２特図始動保留球）から、実行判定テーブルＴＡ〜ＴＣの中から１つの実行判定テーブルを選択する。そして、統括制御用ＣＰＵ３１ａは、事前判定コマンドＤ６ｘｘＨ、選択した実行判定テーブル、及び演出実行判定用乱数の値に基づき、連続演出の実行可否を決定する。ステップＳ４０５において連続演出の実行可を決定した場合、統括制御用ＣＰＵ３１ａは、事前判定コマンドＤ６ｘｘＨの下位バイトに示される特図保留記憶数（第１特図保留記憶数又は第２特図保留記憶数）を演出実行回数として決定し、統括制御用ＲＡＭ３１ｃの所定領域に設定する（ステップＳ４０６）。
【０１７９】
なお、前述したように、パチンコ遊技機１０の遊技状態として変短状態（入球率向上状態）が付与されている間、主制御用ＣＰＵ３０ａは第１事前判定処理を実行しないことから、統括制御用ＣＰＵ３１ａにより第１特図始動保留球に基づく連続演出の実行可が決定されることはない。また、パチンコ遊技機１０の遊技状態が通常状態（非変短状態）である間、統括制御用ＣＰＵ３１ａは、実行判定テーブルＴＢにおける演出実行判定用乱数の値の振分け態様により、第２特図始動保留球に対応する事前判定コマンドを入力しても連続演出の実行可を決定することがないように構成されている。
【０１８０】
このため、本実施形態のパチンコ遊技機１０において、遊技状態が通常状態（非変短状態）の場合には、第２特図始動保留球に基づく連続演出を原則として実行しないで第１特図始動保留球に基づく連続演出のみが行なわれる（即ち、連続演出の実行可が決定され、連続演出回数及び情報が設定される）ようになっている。また、本実施形態のパチンコ遊技機１０において、遊技状態が変短状態の場合には、第１特図始動保留球に基づく連続演出を実行しないで第２特図始動保留球に基づく連続演出のみが行なわれる（即ち、連続演出の実行可が決定され、連続演出回数及び情報が設定される）ようになっている。
【０１８１】
そして、ステップＳ４０６の処理を終了した統括制御用ＣＰＵ３１ａは、演出決定処理を終了する。また、ステップＳ４０５において連続演出の実行不可を決定した統括制御用ＣＰＵ３１ａは、連続演出決定処理を終了する。
【０１８２】
一方、ステップＳ４０４において、統括制御用ＣＰＵ３１ａは、事前判定コマンド「Ｄ６ｘｘＨ」とともに入力した事前判定コマンド（「ＤＢｘｘＨ」又は「ＤＣｘｘＨ」）で指示される特図の大当り図柄で特定可能な大当り種が第２確変１５Ｒ大当り（図柄Ｂ又は図柄ｂ）である場合、及び非確変１５Ｒ大当り（図柄Ｄ又は図柄ｄ）である場合、否定判定するようになっている。ステップＳ４０４の判定結果が否定の場合、統括制御用ＣＰＵ３１ａは、連続演出を実行中であるか否かを判定する（ステップＳ４１０）。具体的に説明すると、統括制御用ＣＰＵ３１ａは、演出実行回数が設定されている（即ち、演出実行回数が「１」以上である）場合、連続演出を実行中であると判定するようになっている。ステップＳ４１０の判定結果が肯定の場合、統括制御用ＣＰＵ３１ａは、連続演出決定処理を終了する。即ち、統括制御用ＣＰＵ３１ａは、既に実行中の連続演出に継続させて、連続演出の対象とされた最後の図柄変動ゲームにおいて第２高確示唆モードＭＣに移行する大当り（図柄Ｄ又は図柄ｄに基づく非確変１５Ｒ大当り、及び図柄Ｂ又は図柄ｂに基づく確変１５Ｒ大当り）となる連続演出が実行されることを回避するようになっている。
【０１８３】
一方、ステップＳ４１０の判定結果が否定判定の場合、統括制御用ＣＰＵ３１ａは、統括制御用ＲＡＭ３１ｃにおいて第１特図保留記憶数に対応付けられた記憶領域の何れか、及び第２特図保留記憶数に対応付けられた記憶領域の何れかに事前判定コマンドＤ７ｘｘＨが記憶されているか否かを判定する（ステップＳ４１１）。ステップＳ４１１の判定結果が肯定の場合、統括制御用ＣＰＵ３１ａは、連続演出決定処理を終了する。即ち、統括制御用ＣＰＵ３１ａは、今回の事前判定コマンドの入力より前に入力された事前判定コマンドで「擬似連２回〜擬似連４回」を指示する事前判定コマンド「Ｄ７ｘｘＨ」が指定されている場合、連続演出の実行可を決定しないようになっている。換言すれば、第１特図始動保留球又は第２特図始動保留球に基づく保留中の図柄変動ゲーム中に、擬似連続演出を含んで実行される図柄変動ゲームが含まれている場合には、新たな連続演出の実行可を決定しないようになっている。
【０１８４】
ステップＳ４１１の判定結果が否定の場合、統括制御用ＣＰＵ３１ａは、連続演出の実行可否を決定する（ステップＳ４１２）。なお、ステップＳ４１２の処理は、前述したステップＳ４０５での処理と同様であるので、詳細な説明は省略する。ステップＳ４１２において連続演出の実行可を決定した場合、統括制御用ＣＰＵ３１ａは、事前判定コマンド「Ｄ６ｘｘＨ」の下位バイトに示される特図保留記憶数（第１特図保留記憶数、又は第２特図保留記憶数）を、演出実行回数として決定し、統括制御用ＲＡＭ３１ｃの所定領域に設定する（ステップＳ４１３）。そして、ステップＳ４１３の処理を終了した統括制御用ＣＰＵ３１ａは、演出決定処理を終了する。また、ステップＳ４１２において連続演出の実行不可を決定した統括制御用ＣＰＵ３１ａは、連続演出決定処理を終了する。
【０１８５】
ステップＳ４０１の判定結果が否定の場合、統括制御用ＣＰＵ３１ａは、入力した事前判定コマンドが「擬似連続演出」を示す事前判定コマンドＤ７ｘｘＨであるか否かを判定する（ステップＳ４２０）。ステップＳ４２０の判定結果が肯定の場合、統括制御用ＣＰＵ３１ａは、連続演出決定処理を終了する。即ち、統括制御用ＣＰＵ３１ａは、事前判定コマンド「Ｄ７ｘｘＨ」に基づき、連続演出の実行可を決定しないようになっている。換言すれば、本実施形態のパチンコ遊技機１０では、連続演出の対象とされた最後の図柄変動ゲームにおいて擬似連続演出が実行されることを回避するようになっている。
【０１８６】
ステップＳ４２０の判定結果が否定の場合、統括制御用ＣＰＵ３１ａは、連続演出を実行中であるか否かを判定する（ステップＳ４２１）。具体的に説明すると、統括制御用ＣＰＵ３１ａは、演出実行回数が設定されている（即ち、演出実行回数が「１」以上である）場合、連続演出を実行中であると判定するようになっている。ステップＳ４２１の判定結果が肯定の場合、統括制御用ＣＰＵ３１ａは、連続演出決定処理を終了する。一方、ステップＳ４２１の判定結果が否定の場合、統括制御用ＣＰＵ３１ａは、統括制御用ＲＡＭ３１ｃにおいて第１特図保留記憶数に対応付けられた記憶領域の何れか、及び第２特図保留記憶数に対応付けられた記憶領域の何れかに事前判定コマンドＤ７ｘｘＨが記憶されているか否かを判定する（ステップＳ４２２）。ステップＳ４２２の判定結果が肯定の場合、統括制御用ＣＰＵ３１ａは、連続演出決定処理を終了する。一方、ステップＳ４２２の判定結果が否定の場合、統括制御用ＣＰＵ３１ａは、統括制御用ＣＰＵ３１ａは、連続演出の実行可否を決定する（ステップＳ４２３）。なお、ステップＳ４２３の処理は、前述したステップＳ４０５及びステップＳ４１２での処理と同様であるので、詳細な説明は省略する。ステップＳ４２３において連続演出の実行可を決定した場合、統括制御用ＣＰＵ３１ａは、事前判定コマンド（「Ｄ８ｘｘＨ」又は「Ｄ９ｘｘＨ」）の下位バイトに示される特図保留記憶数（第１特図保留記憶数、又は第２特図保留記憶数）を、演出実行回数として決定し、統括制御用ＲＡＭ３１ｃの所定領域に設定する（ステップＳ４２４）。そして、ステップＳ４２４の処理を終了した統括制御用ＣＰＵ３１ａは、演出決定処理を終了する。また、ステップＳ４２３において連続演出の実行不可を決定した統括制御用ＣＰＵ３１ａは、連続演出決定処理を終了する。
【０１８７】
本実施形態では、連続演出決定処理を実行する統括制御用ＣＰＵ３１ａが、予告実行決定手段、予告制御手段、予告規制手段として機能する。そして、本実施形態では、統括制御用ＣＰＵ３１ａが上述した連続演出決定処理を実行することで、連続演出と擬似連続演出とを適切なタイミングで複合して実行するように構成されている。
【０１８８】
連続演出決定処理において統括制御用ＣＰＵ３１ａは、事前判定コマンドＤ６ｘｘＨとともに第１確変１５Ｒ大当り（図柄Ａ又は図柄ａ）を示す事前判定コマンドＤＢｘｘＨ又はＤＣｘｘＨを入力した場合、統括制御用ＲＡＭ３１ｃにおいて各特図保留記憶数に対応する記憶領域に事前判定コマンド「Ｄ７ｘｘＨ」が記憶されているか否かの判定を行うことなく、連続演出の実行可を決定し得るようになっている（ステップＳ４０４及びＳ４０５）。即ち、統括制御用ＣＰＵ３１ａは、特図始動保留球に基づく特別図柄変動ゲーム中に擬似連続演出を含む特別図柄変動ゲームが含まれている場合であっても、今回の入賞検知を契機として記憶された特図始動保留球に基づく特別図柄変動ゲームで第１確変１５Ｒ大当りとなるのであれば、連続演出を擬似連続演出に複合させて実行させ得るようになっている。
【０１８９】
その一方で、統括制御用ＣＰＵ３１ａは、事前判定コマンドＤ６ｘｘＨとともに、第２確変１５Ｒ大当り遊技（図柄Ｂ又は図柄ｂ）、又は非確変１５Ｒ大当り（図柄Ｄ又は図柄ｄ）を示す事前判定コマンドを入力した場合であって、統括制御用ＲＡＭ３１ｃにおいて各特図保留記憶数に対応する記憶領域に事前判定コマンドＤ７ｘｘＨが記憶されているとき、連続演出の実行不可を決定する（ステップＳ４１１）。また、統括制御用ＣＰＵ３１ａは、事前判定コマンドＤ８ｘｘＨ又はＤ９ｘｘＨを入力した場合であって、統括制御用ＲＡＭ３１ｃにおいて各特図保留記憶数に対応する記憶領域に事前判定コマンドＤ７ｘｘＨが記憶されているとき、統括制御用ＣＰＵ３１ａは、連続演出の実行不可を決定するようになっている（ステップＳ４２２）。即ち、統括制御用ＣＰＵ３１ａは、特図始動保留球に基づく特別図柄変動ゲーム中に擬似連続演出を含む特別図柄変動ゲームが含まれている場合であって、今回の入賞検知を契機として記憶された特図始動保留球に基づく特別図柄変動ゲームで第１確変１５Ｒ大当りとならない場合には、連続演出を擬似連続演出に複合させて実行させないようになっている。
【０１９０】
つまり、本実施形態では、主制御用ＣＰＵ３０ａが第１事前判定処理において擬似連続演出の変動パターンの区分ではないと判定（即ち、否定判定）することを第１実行条件とし、統括制御用ＣＰＵ３１ａは、該第１実行条件の成立を契機として事前判定コマンドＤ８ｘｘＨ又はＤ９ｘｘＨが出力された場合、統括制御用ＲＡＭ３１ｃに事前判定コマンドＤ７ｘｘＨが記憶されているか否かを判定して連続演出の実行可否を決定するようになっている（ステップＳ４２２）。同様に、本実施形態では、第１事前判定処理において大当りであると判定（即ち、肯定判定）することを第２実行条件とし、統括制御用ＣＰＵ３１ａは、該第２実行条件の成立を契機として出力された事前判定コマンドＤ６ｘｘＨのうち、同時に出力される事前判定コマンドＤＢｘｘＨで「第１確変１５Ｒ大当り」が指示された場合、統括制御用ＲＡＭ３１ｃに事前判定コマンドＤ７ｘｘＨが記憶されているか否かを判定することなく連続演出の実行可否を決定するようになっている。
【０１９１】
前述したように、本実施形態のパチンコ遊技機１０では、連続演出としての特定演出と、擬似連続演出としての特定演出とを同一態様で実行するようになっている。このため、連続演出と擬似連続演出とを複合させて実行した場合には、連続演出としての単位変動数と擬似連続演出としての単位変動数を合算した回数の単位変動が特定演出を伴って実行されたかのように遊技者に視認させ得るようになっている。そのところ、連続演出と擬似連続演出とが複合して実行されたにもかかわらず、連続演出を実行する対象とされた最後の特別図柄変動ゲームにおいて、実質的に賞球を得られない確変２Ｒ大当りや、変短状態（入球率向上状態）が予め定めた規定回数しか付与されない大当り（第２確変１５Ｒ大当り遊技、又は非確変１５Ｒ大当り）となるのでは、遊技者の興趣を却って低下させてしまう虞がある。これに対して、本実施形態では、統括制御用ＣＰＵ３１ａが連続演出決定処理において、第１確変１５Ｒ大当りとならない特図始動保留球に基づく連続演出と、擬似連続演出とが複合して実行されることを規制し、このような問題を好適に解決している。更に、本実施形態では、統括制御用ＣＰＵ３１ａが連続演出決定処理において、第１確変１５Ｒ大当りとなる特図始動保留球に基づく連続演出と、擬似連続演出とが複合して実行されることを許容するようになっており、特定演出を伴う単位変動が連続実行されることに対する遊技者の期待感を高めている。
【０１９２】
また、連続演出決定処理において統括制御用ＣＰＵ３１ａは、事前判定コマンドＤ６ｘｘＨとともに第１確変１５Ｒ大当り（図柄Ａ又は図柄ａ）を示す事前判定コマンドＤＢｘｘＨ又はＤＣｘｘＨを入力した場合であっても、統括制御用ＲＡＭ３１ｃにおいて各特図保留記憶数に対応する記憶領域に事前判定コマンドＤ６ｘｘＨが記憶されている場合には、連続演出の実行可を決定しないようになっている（ステップＳ４０２）。このような構成により、本実施形態のパチンコ遊技機１０では、擬似連続演出と複合した連続演出の途中で大当り遊技が付与されることを確実に回避できるようになっている。仮に、例えば、１球目の第１特図始動保留球が４回の変動サイクルからなる擬似連続演出となる第１特図始動保留球であり、２球目の第１特図始動保留球が非確変１５Ｒ大当りとなる第１特図始動保留球であり、３球目の第１特図始動保留球が第１確変１５Ｒ大当りとなる第１特図始動保留球であった状況において、３球目の第１特図始動保留球に基づき１球目〜３球目の第１特図始動保留球を対象に連続演出の実行可を決定したものとする。この場合、１球目の第１特図始動保留球に対応する第１特別図柄変動ゲーム（飾り図柄変動ゲーム）において特定演出を伴う単位変動が４回行われ、更に２球目の第１特図始動保留球に対応する第１特別図柄変動ゲームにおいて特定演出を伴う単位変動が１回行われた後、当該２回目の第１特別図柄変動ゲームにおいて非確変１５Ｒ大当りとなってしまう。この場合、遊技者にとっては、特定演出を伴う単位変動が合計で５回行われたにもかかわらず非確変１５Ｒ大当りとなったかのように認識され、遊技者の興趣を却って低下させてしまう虞がある。これに対して、本実施形態では、統括制御用ＣＰＵ３１ａが演出決定処理において、保留中の特別図柄変動ゲーム中に大当りとなる特別図柄変動ゲームが含まれている場合、連続演出を実行することを規制し、このような問題を好適に解決している。
【０１９３】
また、連続演出決定処理において統括制御用ＣＰＵ３１ａは、事前判定コマンドＤ６ｘｘＨとともに第２確変１５Ｒ大当り（図柄Ｂ，図柄ｂ）又は非確変１５Ｒ大当り（図柄Ｄ，図柄ｄ）を示す事前判定コマンド（ＤＢｘｘＨ又はＤＣｘｘＨ）を入力した場合であっても、既に連続演出を実行中である場合、連続演出の実行可を決定しないようになっている（ステップＳ４１０，Ｓ４２１）。仮に、例えば、第１特図保留記憶数が「４」の時点で連続演出の実行可を決定した場合であって、連続演出を開始（連続演出の実行可を決定）してから２回の第１特別図柄変動ゲームが第１特図始動保留球に基づき実行されたものとする（この時点では、第１特図保留記憶数は「２」となる）。そして、更に第１始動入賞口２５への入賞を契機として非確変１５Ｒ大当りとなる第１特図始動保留球が記憶されたものとする。この場合、最後に記憶された第１特図始動保留球に基づきその時点で記憶されている３球の第１特図始動保留球を対象として連続演出の実行可を新たに決定した場合、先の連続演出を開始した時点における第１特図保留記憶数（「４」）を超えた５回の図柄変動ゲーム毎に特定演出が実行されることになる。この場合、遊技者にとっては、特定演出を伴う第１特別図柄変動ゲーム（単位変動）が合計で５回行われたにもかかわらず非確変１５Ｒ大当りとなったかのように認識され、遊技者の興趣を却って低下させてしまう虞がある。これに対して、本実施形態では、統括制御用ＣＰＵ３１ａが演出決定処理において、すでに連続演出を実行中である場合には、第１確変１５Ｒ大当りとならない特図始動保留球に基づく連続演出の実行可を新たに決定せず、連続演出と連続演出とが複合して実行されることを規制し、このような問題を好適に解決している。
【０１９４】
その一方で、統括制御用ＣＰＵ３１ａは、第１確変１５Ｒ大当りとなる特図始動保留球に基づく連続演出の実行可を新たに決定することを許容している（ステップＳ４０４，Ｓ４０５）。このため、本実施形態では、最終的に第１確変１５Ｒ大当りとなる場合、先の連続演出の開始時点における特図保留記憶数を超えて特定演出を伴う特別図柄変動ゲームが実行されることを許容し、逆に遊技者の期待感を高めている。特に本実施形態では、第１確変１５Ｒ大当りとなる特図始動保留球に基づく連続演出の実行可を新たに決定することで、第１特図保留記憶数の保留上限数を超えて連続演出が実行される可能性がある。そして、この場合には、連続演出が第１特図保留記憶数の保留上限数を超えて実行された状況から、遊技者に第１確変１５Ｒ大当りとなることを認識させることができる。このため、本実施形態では、連続演出と連続演出が複合して実行されること、即ち特定演出を伴う図柄変動ゲーム（単位変動）が連続して実行されることに対する遊技者の期待感を高めることができる。
【０１９５】
次に、パチンコ遊技機１０の遊技状態として変短状態が付与されていない状態（「低確＋変短なし」又は「高確＋変短なし」）において、統括制御用ＣＰＵ３１ａが変動パターン指定コマンドを入力した際に実行する第１連続演出実行処理について説明する。
【０１９６】
統括制御用ＣＰＵ３１ａは、変動パターン指定コマンドを入力すると、統括制御用ＲＡＭ３１ｃに演出実行回数が設定されているか否か（即ち、演出実行回数の値が「１」以上であるか否か）を判定する（ステップＳ５０１）。なお、本実施形態では、変短状態が付与されていない場合に設定されている演出実行回数は、必ず第１特図始動保留球に基づき設定されるようになっている。ステップＳ５０１の判定結果が否定判定の場合、統括制御用ＣＰＵ３１ａは、連続演出を実行中ではない（即ち、連続演出を非実行中である）と判定し、第１連続演出実行処理を終了する。一方、ステップＳ５０１の判定結果が肯定の場合、統括制御用ＣＰＵ３１ａは、入力した変動パターン指定コマンドで指定された変動パターンが、第１特別図柄変動ゲームの実行を指示する変動パターンであるか否かを判定する（ステップＳ５０２）。
【０１９７】
本実施形態において、主制御用ＣＰＵ３０ａが出力する変動パターン指定コマンドは、第１特別図柄変動ゲームの実行を指示する制御コマンドであるか、第２特別図柄変動ゲームの実行を指示する制御コマンドであるかを、変動パターン指定コマンドの値から特定可能となっている。具体的に説明すると、第１特別図柄変動ゲームの実行を指示する変動パターン指定コマンドは、上位バイトとして「８０〜８Ｆ」が設定されている一方、第２特別図柄変動ゲームの実行を指示する変動パターン指定コマンドは、上位バイトとして「９０〜９Ｆ」が設定されている。このため、統括制御用ＣＰＵ３１ａは、入力した変動パターン指定コマンドの上位バイトの値から、該変動パターン指定コマンドが、第１特別図柄変動ゲームの実行を指示する制御コマンドであるか、第２特別図柄変動ゲームの実行を指示する制御コマンドであるかを特定可能となっている。
【０１９８】
ステップＳ５０２の判定結果が肯定の場合、統括制御用ＣＰＵ３１ａは、変動パターン指定コマンドで指定された変動パターンが、擬似連続演出を含む変動パターンＰ６〜Ｐ８であるか否かを判定する（ステップＳ５０３）。
【０１９９】
ステップＳ５０３の判定結果が否定の場合、統括制御用ＣＰＵ３１ａは、統括制御用ＲＡＭ３１ｃに記憶された連続実行カウンタの値に応じた発光色で演出用可動体ＳＫによる特定演出を実行させることを決定する（ステップＳ５０４）。ここで、連続実行カウンタは、連続演出を実行する対象とされた図柄変動ゲームにおいて、特定演出を伴って実行された図柄変動ゲーム（単位変動）の回数をカウントするためのカウンタとされている。連続実行カウンタの値には、演出用可動体ＳＫが実行する特定演出の発光色が対応付けられている。具体的に説明すると、本実施形態では、連続実行カウンタの値「０」には「白色」が、連続実行カウンタの値「１」には「青色」が、連続実行カウンタの値「２」には「緑色」が、連続実行カウンタの値「３以上」には「赤色」が特定演出の発光色として対応付けられている。ステップＳ５０４において統括制御用ＣＰＵ３１ａは、統括制御用ＲＡＭ３１ｃに記憶された連続実行カウンタの値を参照するとともに、連続実行カウンタの値に対応する発光色で特定演出を実行することを決定する。ステップＳ５０４の処理を終了した統括制御用ＣＰＵ３１ａは、連続実行カウンタの値を「＋１」して更新する（ステップＳ５０５）。なお、この連続実行カウンタの値は、統括制御用ＣＰＵ３１ａが全図柄停止コマンドの入力を契機として演出実行回数を「１」減算して更新した結果、該演出実行回数の値が「０（零）」となったことを条件（契機）としてクリア（「０」を設定）されるようになっている。そして、統括制御用ＣＰＵ３１ａは、第１連続演出実行処理を終了する。
【０２００】
また、ステップＳ５０３の判定結果が肯定の場合、統括制御用ＣＰＵ３１ａは、統括制御用ＲＡＭ３１ｃに記憶された連続実行カウンタの値に応じた発光色で演出用可動体ＳＫによる特定演出を１回目の変動サイクル中に実行させることを決定する（ステップＳ５０６）。次に、統括制御用ＣＰＵ３１ａは、連続実行カウンタの値に「＋１」して更新する（ステップＳ５０７）。続けて、統括制御用ＣＰＵ３１ａは、変動パターン指定コマンドで指定された変動パターンに含まれる擬似連続演出を構成する各変動サイクルで実行する全ての特定演出の発光色（演出内容）を決定したか否かを判定する（ステップＳ５０８）。ステップＳ５０８の判定結果が肯定の場合、統括制御用ＣＰＵ３１ａは、第１連続演出実行処理を終了する。一方、ステップＳ５０８の判定結果が否定の場合、統括制御用ＣＰＵ３１ａは、ステップＳ５０６に移行して次の変動サイクルで実行させる特定演出での発光色を決定し、以降、ステップＳ５０６〜Ｓ５０８の処理を、変動パターン指定コマンドで指定された擬似連続演出を構成する各変動サイクルで実行する特定演出の発光色を決定し終えるまで繰り返し実行するようになっている。即ち、統括制御用ＣＰＵ３１ａは、連続演出の実行中に擬似連続演出を含む図柄変動ゲームが実行される場合、連続実行カウンタの値に基づき変動サイクル中の特定演出での発光色を決定するようになっている。このため、統括制御用ＣＰＵ３１ａは、直前の図柄変動ゲーム迄に実行された特定演出を伴う図柄変動ゲームの連続実行回数を引き継いで、特定演出での発光色を決定することができるようになっている。
【０２０１】
また、ステップＳ５０２の処理において統括制御用ＣＰＵ３１ａは、入力した変動パターン指定コマンドが第２特別図柄変動ゲームの実行を指示する場合、否定判定する。ステップＳ５０２の判定結果が否定の場合、統括制御用ＣＰＵ３１ａは、変動パターン指定コマンドとともに入力した特別図柄２指定コマンドで指定された特別図柄２が図柄ａ（第１確変１５Ｒ大当り）であるか否かを判定する（ステップＳ５１０）。ステップＳ５１０の判定結果が肯定の場合、統括制御用ＣＰＵ３１ａは、ステップＳ５０３の処理に移行し、ステップＳ５０２で肯定判定した場合と同様の処理を実行する。このため、統括制御用ＣＰＵ３１ａは、第１特図始動保留球に基づく連続演出の実行中に、第１確変１５Ｒ大当りとなる第２特別図柄変動ゲームが割り込み実行される場合には、当該割り込み実行される第２特別図柄変動ゲーム中における特定演出の実行を決定するとともに、連続実行カウンタの値を更新するようになっている（ステップＳ５０３〜Ｓ５０８）。
【０２０２】
一方、ステップＳ５１０の判定結果が否定の場合、統括制御用ＣＰＵ３１ａは、統括制御用ＲＡＭ３１ｃに設定されている演出実行回数が大当り演出を指示する事前判定コマンドＤ６ｘｘＨに基づき設定されたものであるか否かを判定する（ステップＳ５１１）。具体的に言えば、統括制御用ＣＰＵ３１ａは、統括制御用ＲＡＭ３１ｃにおいて、演出実行回数の値と同値の第１特図保留記憶数に対応付けられた記憶領域に記憶されている事前判定コマンドの値が「Ｄ６ｘｘＨ」である場合には肯定判定し、事前判定コマンドの値が「Ｄ６ｘｘＨ」でない場合には否定判定するようになっている。ステップＳ５１１の判定結果が否定の場合、統括制御用ＣＰＵ３１ａは、第１連続演出実行処理を終了する。この場合、統括制御用ＣＰＵ３１ａは、ステップＳ５０３〜Ｓ５０８の処理を実行しないことから、割り込み実行される第２特別図柄変動ゲーム中には、特定演出が実行されないとともに、連続実行カウンタの値が更新されないようになっている。
【０２０３】
ステップＳ５１１の判定結果が肯定の場合、統括制御用ＣＰＵ３１ａは、連続演出決定処理において連続演出の実行可が決定された事前判定コマンドＤ６ｘｘＨとともに記憶されている事前判定コマンドＤＢｘｘＨで指定される特別図柄１が図柄Ａ（第１確変１５Ｒ大当り）であるか否かを判定する（ステップＳ５１２）。ステップＳ５１２の判定結果が否定の場合、統括制御用ＣＰＵ３１ａは、第１連続演出実行処理を終了する。この場合、統括制御用ＣＰＵ３１ａは、ステップＳ５０３及びステップＳ５０４の処理を実行しないことから、割り込み実行される第２特別図柄変動ゲーム中には、特定演出が実行されないとともに、連続実行カウンタの値が更新されないようになっている。
【０２０４】
一方、ステップＳ５１２の判定結果が肯定の場合、統括制御用ＣＰＵ３１ａは、ステップＳ５０３の処理に移行し、ステップＳ５０２で肯定判定した場合と同様の処理を実行する（ステップＳ５０３〜Ｓ５０８）。このため、統括制御用ＣＰＵ３１ａは、第１確変１５Ｒ大当りとなる第１特図始動保留球に基づく連続演出の実行中に、第２特別図柄変動ゲームが割り込み実行される場合には、当該割り込み実行される第２特別図柄変動ゲーム中に特定演出を実行させるとともに、連続実行カウンタの値を更新するようになっている。
【０２０５】
そして、第１連続演出実行処理を終了した統括制御用ＣＰＵ３１ａは、連続実行カウンタの値に対応する発光色で特定演出を実行することを決定した場合、当該決定した内容にしたがって演出用可動体ＳＫを制御し、特定演出を実行させるようになっている。より具体的に言えば、統括制御用ＣＰＵ３１ａは、指定された変動パターンが擬似連続演出を含む変動パターンＰ６〜Ｐ８ではない場合、図柄変動ゲームにおいて図柄の変動開始時に、決定した発光色を伴って特定演出が行われるように演出用可動体ＳＫの動作を制御する。一方、統括制御用ＣＰＵ３１ａは、指定された変動パターンが擬似連続演出を含む変動パターンＰ６〜Ｐ８である場合、擬似連続演出を構成する各変動サイクルの開始（図柄の変動開始）時毎に、各変動サイクルにおける特定演出の発光色として決定した発光色を伴って特定演出が行われるように演出用可動体ＳＫの動作を制御するようになっている。また、統括制御用ＣＰＵ３１ａは、全図柄停止コマンドの入力を契機として演出実行回数を「１」減算して更新する。
【０２０６】
本実施形態のパチンコ遊技機１０では、統括制御用ＣＰＵ３１ａが第１連続演出実行処理を実行することによって、連続演出を擬似連続演出と適切なタイミングで複合して実行させることで、遊技者の興趣を高めることができるようになっている。
【０２０７】
即ち、統括制御用ＣＰＵ３１ａは、第１特図始動保留球に基づく連続演出の実行中において、第２特別図柄変動ゲームが割り込み実行される場合には、割り込み実行される第２特別図柄変動ゲームが「第１確変１５Ｒ大当り」となる特別図柄変動ゲームである場合、又は実行中の連続演出が「第１確変１５Ｒ大当り」となる第１特図始動保留球に基づき実行されている場合に限って、割り込み実行される第２特別図柄変動ゲームで特定演出を実行させるように構成されている（ステップＳ５１０及びステップＳ５１２）。
【０２０８】
仮に、「はずれリーチ」や「２Ｒ確変大当り」となる第１特図始動保留球に基づく連続演出の実行中において、割り込み実行される第２特別図柄変動ゲームで特定演出を実行した場合には、連続演出の開始時点における第１特図保留記憶数を超えて特定演出を伴う図柄変動ゲーム（単位変動）が実行されたにもかかわらず「第１確変１５Ｒ大当り」とならず、遊技者の興趣を低下させてしまう虞がある。また、この場合において、割り込み実行される第２特別図柄変動ゲームが「第１確変１５Ｒ大当り」となるにもかかわらず、当該第２特別図柄変動ゲームで特別演出を実行しないのでは、恰も連続演出が終了した第１特別図柄変動ゲーム直後の第２特別図柄変動ゲームにおいて、連続演出を伴わないで「第１確変１５Ｒ大当り」となったかのように遊技者に認識され、連続演出に対する遊技者の信頼感を損なってしまう虞がある。さらに、「第１確変１５Ｒ大当り」となる第１特図始動保留球に基づく連続演出を実行中において、割り込み実行される第２特別図柄変動ゲームで特定演出を実行しない場合、最終的に「第１確変１５Ｒ大当り」となる連続演出であるにもかかわらず連続演出が分断され、やはり遊技者の興趣を低下させてしまう虞がある。これに対して、本実施形態では、前述した構成の第１連続演出実行処理を実行することで、このような問題を好適に解決している。
【０２０９】
次に、パチンコ遊技機１０の遊技状態として変短状態（入球率向上状態）が付与されている場合（「低確＋変短あり」又は「高確＋変短あり」）において、統括制御用ＣＰＵ３１ａが変動パターン指定コマンドを入力した際に実行する第２連続演出実行処理について説明する。
【０２１０】
統括制御用ＣＰＵ３１ａは、変動パターン指定コマンドを入力すると、統括制御用ＲＡＭ３１ｃに演出実行回数が設定されているか否か（即ち、演出実行回数の値が「０（零）」より大きいか否か）を判定する。なお、本実施形態では、変短状態が付与されている場合に設定されている演出実行回数は、必ず第２特図始動保留球に基づき設定されるようになっている。演出実行回数が設定されていない場合、統括制御用ＣＰＵ３１ａは、連続演出を実行中ではない（即ち、連続演出を非実行中である）と判定し、第２連続演出実行処理を終了する。
【０２１１】
一方、演出実行回数が設定されている場合、統括制御用ＣＰＵ３１ａは、入力した変動パターン指定コマンドで指定された変動パターンが、擬似連続演出を含む変動パターンＰ６〜Ｐ８であるか否かを判定する。指定された変動パターンが擬似連続演出を含む変動パターンＰ６〜Ｐ８ではない場合、統括制御用ＣＰＵ３１ａは、統括制御用ＲＡＭ３１ｃに記憶された連続実行カウンタの値に応じた発光色で演出用可動体ＳＫによる特定演出を実行させることを決定する。そして、統括制御用ＣＰＵ３１ａは、連続実行カウンタの値の値を「＋１」して更新するとともに第２連続演出実行処理を終了する。
【０２１２】
一方、指定された変動パターンが擬似連続演出を含む変動パターンＰ６〜Ｐ８である場合、統括制御用ＲＡＭ３１ｃに記憶された連続実行カウンタの値に応じた発光色で演出用可動体ＳＫによる特定演出を１回目の変動サイクル中に実行させることを決定する。次に、統括制御用ＣＰＵ３１ａは、連続実行カウンタの値に「＋１」して更新する。続けて、統括制御用ＣＰＵ３１ａは、指定された変動パターンに含まれる擬似連続演出を構成する各変動サイクルで実行する特定演出の発光色（演出内容）を全て決定し終えたか否かを判定する。統括制御用ＣＰＵ３１ａは、全ての変動サイクルにおける特定演出の発光色（演出内容）を決定し終えている場合、第２連続演出実行処理を終了する。一方、統括制御用ＣＰＵ３１ａは、全ての変動サイクルにおける特定演出の発光色を決定し終えていない場合、次の変動サイクルで実行させる特定演出の発光色を決定し、以降、特定演出の発光色の決定、連続実行カウンタの値の更新、及び特定演出の発光色を全て決定し終えたか否かの判定の各処理を、変動パターン指定コマンドで指定された擬似連続演出を構成する各変動サイクルで実行する全ての特定演出の発光色を決定し終えるまで繰り返し実行するようになっている。そして、特定演出の発光色（演出内容）を全て決定し終えた統括制御用ＣＰＵ３１ａは、第２連続演出実行処理を終了する。
【０２１３】
第２連続演出実行処理を終了した統括制御用ＣＰＵ３１ａは、連続実行カウンタの値に対応する発光色で特定演出を実行することを決定した場合、当該決定した内容にしたがって演出用可動体ＳＫを制御し、特定演出を実行させるようになっている。より具体的に言えば、統括制御用ＣＰＵ３１ａは、指定された変動パターンが擬似連続演出を含む変動パターンＰ６〜Ｐ８ではない場合、図柄変動ゲームにおいて図柄の変動開始時に、決定した発光色を伴って特定演出が行われるように演出用可動体ＳＫの動作を制御する。一方、統括制御用ＣＰＵ３１ａは、指定された変動パターンが擬似連続演出を含む変動パターンＰ６〜Ｐ８である場合、擬似連続演出を構成する各変動サイクルの開始（図柄の変動開始）時毎に、各変動サイクルにおける特定演出の発光色として決定した発光色を伴って特定演出が行われるように演出用可動体ＳＫの動作を制御するようになっている。また、統括制御用ＣＰＵ３１ａは、全図柄停止コマンドの入力を契機として演出実行回数を「１」減算して更新する。
【０２１４】
次に、変短状態（入球率向上状態）が付与された状態から変短状態が付与されていない状態（非変短状態）への移行時に統括制御用ＣＰＵ３１ａが実行する第１特別処理について説明する。
【０２１５】
統括制御用ＣＰＵ３１ａは、変短状態が終了すると、連続演出の実行を規制する第１特別図柄変動ゲームの回数を示す規制ゲーム回数として「５」を統括制御用ＲＡＭ３１ｃの所定領域に設定する。統括制御用ＣＰＵ３１ａは、第１特別図柄変動ゲームが開始して終了される毎に、規制ゲーム回数の値から「１」減算して更新するようになっている。具体的に言えば、統括制御用ＣＰＵ３１ａは、第１特別図柄変動ゲームの実行を指示する変動パターンの入力後、全図柄停止コマンドを入力したことを契機として規制ゲーム回数の値を「１」減算して更新する。そして、統括制御用ＣＰＵ３１ａは、前述した連続演出決定処理の実行前に規制ゲーム回数の値を参照し、該値が設定されていないことを条件として、連続演出決定処理を実行するようになっている。このため、統括制御用ＣＰＵ３１ａは、変短状態の終了後、第１特別図柄変動ゲームが「５回」終了する迄の間、連続演出決定処理を実行しないことで、主制御用ＣＰＵ３０ａから事前判定コマンドを入力したことに基づき連続演出の実行可を決定せず、連続演出の実行を規制するようになっている。
【０２１６】
本実施形態では、第２確変１５Ｒ大当り遊技、及び非確変１５Ｒ大当り遊技の終了後に付与される変短状態は、予め定めた規定回数（本実施形態では、１００回）の図柄変動ゲームが終了するのと同時に終了されるようになっている。前述したように、統括制御用ＲＡＭ３１ｃにおいて第１特図保留記憶数及び第２特図保留記憶数に対応付けられた記憶領域の記憶内容は、大当り遊技の開始（オープニングコマンドの入力）を契機としてリセットされる。さらに、本実施形態のパチンコ遊技機１０の主制御用ＣＰＵ３０ａは、変短状態が付与されている間、第１事前判定処理を実行しないようになっており、統括制御用ＣＰＵ３１ａは第１特別図柄変動ゲーム（第１特図始動保留球）に関する事前判定コマンドを入力することがない。
【０２１７】
つまり、本実施形態の統括制御用ＲＡＭ３１ｃは、大当り抽選で大当りに当選したことを記憶非保持条件とし、大当り遊技の開始を契機として当該大当り遊技の開始時点で特図保留記憶数と対応付けて記憶している事前判定コマンド（判定情報）を消去（リセット）される。そして、統括制御用ＲＡＭ３１ｃは、大当り遊技中に第１特別図柄変動ゲームに関する事前判定コマンドを入力しないことで、新たに事前判定コマンドを記憶しない記憶非保持状態に移行する。そして、統括制御用ＲＡＭ３１ｃは、復帰条件となる変短状態（入球率向上状態）の終了に伴って第１事前判定処理が再開されることから、再び事前判定コマンドを入力して記憶する記憶保持状態に移行するようになっている。
【０２１８】
このため、変短状態が終了された時点において主制御用ＲＡＭ３０ｃに第１特図始動保留球及び各種乱数（当り判定用乱数、リーチ判定用乱数、及び特図振分用乱数）の値が記憶されている場合であっても、統括制御用ＲＡＭ３１ｃには、保留中の第１特別図柄変動ゲームの演出内容に関する情報（事前判定コマンドの値）が記憶されていない。即ち、統括制御用ＣＰＵ３１ａは、第１特別図柄変動ゲームに関する事前判定の結果を参照できない状態にある。このような状況において、統括制御用ＣＰＵ３１ａは、図１８に示す連続演出決定処理を適正に実行することができない。即ち、連続演出決定処理において統括制御用ＣＰＵ３１ａは、統括制御用ＲＡＭ３１ｃにおいて各特図保留記憶数に対応付けられた記憶領域に、事前判定コマンドＤ６ｘｘＨや事前判定コマンドＤ７ｘｘＨが記憶されているか否かの判定処理（ステップＳ４０２、ステップＳ４１１、及びステップＳ４２２）を実行し、事前判定コマンドＤ６ｘｘＨ又はＤ７ｘｘＨが記憶されている場合には、連続演出の実行可を決定しないようになっている。仮に、変短状態終了時点から、図１８に示す連続演出決定処理の実行を許容する場合、変短状態終了時点において保留中の第１特別図柄変動ゲーム中に、実際には大当りとなる第１特別図柄変動ゲームや、擬似連続演出を含む第１特別図柄変動ゲームが含まれている場合であっても、ステップＳ４０２、ステップＳ４１１、及びステップＳ４２２の判定処理で否定判定し、連続演出の実行可を決定して連続演出を実行させてしまう可能性がある。このような場合には、本来規制すべき連続演出の実行を規制することができず、遊技者の興趣を低下させてしまう虞がある。本実施形態では、変短状態の終了後、第１特別図柄変動ゲームが「５回」終了する迄の間、連続演出実行処理の実行を規制し、このような問題を好適に解決することができるようになっている。
【０２１９】
なお、本実施形態において、統括制御用ＣＰＵ３１ａは、変短状態中に、第２特別図柄変動ゲーム（第２特図始動保留球）に関する事前判定コマンドの入力を契機として演出実行回数を設定している（即ち、第２特図始動保留球に基づく連続演出を実行している）場合には、特に規制をすることなく連続演出を継続実行させるようになっている。これは、変短状態の終了時点において、第２特別図柄変動ゲームに関する事前判定の情報（事前判定コマンドの値）が統括制御用ＲＡＭ３１ｃに記憶されていること、及び第２特図始動保留球に基づく第２特別図柄変動ゲームが第２特別図柄変動ゲームに優先して実行されるためである。
【０２２０】
次に、電源投入時に統括制御用ＣＰＵ３１ａが実行する第２特別処理について説明する。
統括制御用ＣＰＵ３１ａは、電源供給が開始されると、連続演出の実行を規制する第１特別図柄変動ゲームの回数を示す規制ゲーム回数として「５」を統括制御用ＲＡＭ３１ｃの所定領域に設定する。そして、統括制御用ＣＰＵ３１ａは、第１特別処理と同様に、第１特別図柄変動ゲームが開始して終了される毎に、規制ゲーム回数の値から「１」減算して更新するようになっている。そして、統括制御用ＣＰＵ３１ａは、連続演出決定処理の実行前に規制ゲーム回数の値を参照し、該値が設定されていないことを条件として、連続演出決定処理を実行するようになっている。このため、統括制御用ＣＰＵ３１ａは、電源供給の開始後、第１特別図柄変動ゲームが「５回」終了する迄の間、連続演出決定処理を実行しないことで、主制御用ＣＰＵ３０ａから事前判定コマンドを入力したことに基づき連続演出の実行可を決定せず、連続演出の実行を規制するようになっている。
【０２２１】
ここで、本実施形態の主制御用ＲＡＭ３０ｃは、前述したバックアップ用電源ＢＤから電源遮断後にも電源供給を受けることで、電源電圧が規定電圧値に降下した時点において主制御用ＲＡＭ３０ｃに記憶されている第１特図保留記憶数、第１特図保留記憶数に対応付けて記憶された各種乱数の値、第２特図保留記憶数、第２特図保留記憶数に対応付けて記憶された各種乱数（当り判定用乱数、特図振分用乱数、及びリーチ判定用乱数）の値を、電源遮断後も記憶保持可能となっている。このため、電源供給の開始（再開）時において主制御用ＣＰＵ３０ａは、バックアップ用電源ＢＤにより主制御用ＲＡＭ３０ｃに記憶されている各種乱数の値に基づき特別図柄開始処理を実行するようになっている。
【０２２２】
その一方で、本実施形態の統括制御用ＲＡＭ３１ｃには、バックアップ用電源ＢＤが接続されておらず、統括制御用ＲＡＭ３１ｃは、電源断後に記憶内容を保持しないようになっている（即ち、消去される）。
【０２２３】
つまり、本実施形態の統括制御用ＲＡＭ３１ｃは、電源供給が停止されたことを記憶非保持条件とし、電源供給の停止を契機として当該電源供給の停止時点で各特図保留記憶数と対応付けて記憶している事前判定コマンドの値（判定情報）を保持しない（即ち、消去される）。そして、統括制御用ＲＡＭ３１ｃは、電源供給の停止中、主制御用ＣＰＵ３０ａを含むパチンコ遊技機１０の全体が非動作状態となることで事前判定コマンドを記憶しない記憶非保持状態に移行する。そして、統括制御用ＲＡＭ３１ｃは、復帰条件となる電源供給の開始に伴い主制御用ＣＰＵ３０ａが第１事前判定処理を再開することから、再び事前判定コマンドを入力して記憶する記憶保持状態に移行するようになっている。
【０２２４】
このため、電源供給の開始（再開）時点において主制御用ＲＡＭ３０ｃに第１特図始動保留球が記憶（バックアップ）されている場合であっても、統括制御用ＲＡＭ３１ｃには、保留中の第１特別図柄変動ゲーム（第１特図始動保留球）の演出内容に関する情報（事前判定コマンドの値）が記憶（バックアップ）されていない。即ち、統括制御用ＣＰＵ３１ａは、第１特別図柄変動ゲームに関する事前判定の結果を参照できない状態にある。このような状況において、統括制御用ＣＰＵ３１ａは、前述した変短状態（入球率向上状態）の終了直後と同様の理由から、図１８に示す連続演出決定処理を適正に実行することができない。しかしながら、本実施形態では、電源供給の開始（再開）後、第１特別図柄変動ゲームが「５回」終了する迄の間、連続演出実行処理の実行を規制し、このような問題を好適に解決することができるようになっている。
【０２２５】
なお、本実施形態において、変短状態の終了後及び電源供給の開始後の規制ゲーム回数として「５」を設定し、５回の第１特別図柄変動ゲームが終了する迄の間、連続演出実行処理の実行を規制するようにしたのは、第１特図始動保留球の記憶上限数である「４」に加えて、演出用可動体ＳＫによる特定演出が連続演出として「連続」して遊技者に認識されるために必要な第１特別図柄変動ゲームが２回以上であることを考慮したことによる。このため、本実施形態では、変短状態の終了後及び電源供給の開始後に行われる連続演出は、少なくとも２回の第１特別図柄変動ゲームを対象として実行されるようになっている。
【０２２６】
次に、本実施形態における続演出及び擬似連続演出の実行態様について図２０〜図２２にしたがって説明する。なお、図２０〜図２２において示す保留テーブルＴは、主制御用ＲＡＭ３０ｃにおいて第１特図保留記憶数の各値に対応付けられた記憶領域を模式的に示したものである。保留テーブルＴにおいて、上欄に示される「１」〜「４」は、それぞれ第１特図保留記憶数「１」、第１特図保留記憶数「２」、第１特図保留記憶数「３」、及び第１特図保留記憶数「４」を示す。また、図２０〜図２２では、第１特別図柄変動ゲームを第１特図変動ゲームとし、第２特別図柄変動ゲームを第２特図変動ゲームというように省略して表記されている。なお、以下の説明において、パチンコ遊技機１０の遊技状態として変短状態（入球率向上状態）が付与されていない状態（「低確＋変短なし」又は「高確＋変短なし」）にあるものとする。
【０２２７】
まず、本実施形態において連続演出が実行される状況について図２０にしたがって説明する。
図２０（ａ）は、第１特別図柄変動ゲームの実行中において、第１始動入賞口２５に４球の遊技球が順次入球するとともに、１球目〜３球目の第１特図始動保留球が「はずれ通常変動」となる第１特図始動保留球であり、４球目の第１特図始動保留球が「大当り演出」となり且つ図柄Ａに基づく「第１確変１５Ｒ大当り」が付与される第１特図始動保留球である状況を示している。
【０２２８】
この場合、統括制御用ＣＰＵ３１ａは、４球目の遊技球が第１始動入賞口２５へ入賞したタイミングで事前判定コマンドＤ６ｘｘＨ及びＤＢｘｘＨ（但し、「ｘｘＨ」は図柄Ａに振り分けられた特図振分用乱数の値とする）を入力することになる。この場合、統括制御用ＣＰＵ３１ａは、統括制御用ＲＡＭ３１ｃにおいて各特図保留記憶数に対応付けられた記憶領域に、事前判定コマンドが未だ記憶されていないことから連続演出の実行可を決定することができる。統括制御用ＣＰＵ３１ａが連続演出の実行可を決定した場合、保留中の第１特図始動保留球に基づく４回の第１特別図柄変動ゲームを対象として連続演出が実行される。具体的に説明すると、１回目の第１特別図柄変動ゲームには、図柄の変動開始時に演出用可動体ＳＫが「白色」の発光を伴って特定演出を実行する。また、２回目の第１特別図柄変動ゲームには、図柄の変動開始時に演出用可動体ＳＫが「青色」の発光を伴って特定演出を実行する。３回目の第１特別図柄変動ゲームには、図柄の変動開始時に演出用可動体ＳＫが「緑色」の発光を伴って特定演出を実行する。４回目の第１特別図柄変動ゲームには、図柄の変動開始時に演出用可動体ＳＫが「赤色」の発光を伴って特定演出を実行する。また、１回目〜３回目の第１特別図柄変動ゲームでは、はずれ図柄が確定停止表示される。そして、４回目の第１特別図柄変動ゲームでは、特別図柄１の大当り図柄として図柄Ａが確定停止表示される。
【０２２９】
一方、図２０（ｂ）は、第１特別図柄変動ゲームの実行中において、第１始動入賞口２５に４球の遊技球が順次入球するとともに、１球目及び３球目の第１特図始動保留球が「はずれ通常変動」となる第１特図始動保留球であり、２球目の第１特図始動保留球が「大当り演出」となり且つ図柄Ｃに基づく「確変２Ｒ大当り」が付与される第１特図始動保留球であり、４球目の第１特図始動保留球が「大当り演出」となり且つ図柄Ａに基づく「第１確変１５Ｒ大当り」が付与される第１特図始動保留球である状況を示している。
【０２３０】
この場合、統括制御用ＣＰＵ３１ａは、２球目の遊技球が第１始動入賞口２５へ入賞したタイミングで事前判定コマンドＤ６ｘｘＨ及びＤＢｘｘＨ（但し、「ｘｘＨ」は図柄Ｃに振り分けられた特図振分用乱数の値とする）を入力することになる。なお、統括制御用ＣＰＵ３１ａは、事前判定コマンドＤ６ｘｘＨを入力しても、同時に入力する事前判定コマンドＤＢｘｘＨで指定される大当り図柄が図柄Ｃ（確変２Ｒ大当り）の場合、連続演出の実行可を決定しない（即ち、連続演出を実行させない）ようになっている。また、統括制御用ＣＰＵ３１ａは、４球目の遊技球が第１始動入賞口２５へ入賞したタイミングで事前判定コマンドＤ６ｘｘＨ及びＤＢｘｘＨ（但し、「ｘｘＨ」は図柄Ａに振り分けられた特図振分用乱数の値とする）を入力することになる。この場合、統括制御用ＣＰＵ３１ａは、統括制御用ＲＡＭ３１ｃにおいて各特図保留記憶数に対応付けられた記憶領域に、事前判定コマンド「Ｄ６ｘｘＨ」が記憶されていることから、図１８に示す連続演出決定処理のステップＳ４０２で否定判定され、連続演出の実行可を決定しないようになっている。このため、図２０（ｂ）に示す状況では、１球目〜４球目の第１特図始動保留球に基づく全ての第１特別図柄変動ゲームにおいて、演出用可動体ＳＫによる特定演出が実行されない。そして、１回目の第１特別図柄変動ゲームではずれ図柄が表示された後、２回目の第１特別図柄変動ゲームでは、２Ｒ大当り・小当り演出用の変動パターンＰ９に基づく表示演出（飾り図柄変動ゲーム）が実行された後、第１高確示唆モードＭＢに移行される。その後、更に３回目の第１特別図柄変動ゲームではずれ図柄が表示された後、４回目の第１特別図柄変動ゲームでは、特別図柄１の大当り図柄として図柄Ａが確定停止表示される。
【０２３１】
なお、図２０（ｂ）の状況において、統括制御用ＣＰＵ３１ａは、２球目の第１特図始動保留球が「大当り演出」となり、且つ「第２確変１５Ｒ大当り」又は「非確変１５Ｒ大当り」が付与される第１特図始動保留球である場合、当該２球目の第１特図始動保留球に関する事前判定コマンドＤ６ｘｘＨに基づき連続演出を実行中であるか否かに関係なく、図１８に示す連続演出決定処理のステップＳ４０３で否定判定され、連続演出の実行可を決定しないようになっている。
【０２３２】
次に、連続演出と擬似連続演出とが複合して実行される状況について説明する。
また、図２１（ａ）は、第１特別図柄変動ゲームの実行中において、第１始動入賞口２５に３球の遊技球が順次入球するとともに、１球目の第１特図始動保留球が「はずれ通常変動」となる第１特図始動保留球であり、２球目の第１特図始動保留球が「擬似連続演出」となる第１特図始動保留球であり、３球目の第１特図始動保留球が「大当り演出」となり且つ図柄Ａに基づく「第１確変１５Ｒ大当り」が付与される第１特図始動保留球であった状況を示している。この場合、統括制御用ＣＰＵ３１ａは、２球目の遊技球が第１始動入賞口２５へ入賞したタイミングで事前判定コマンドＤ７ｘｘＨを入力することになる。また、統括制御用ＣＰＵ３１ａは、３球目の遊技球が第１始動入賞口２５へ入賞したタイミングで事前判定コマンドＤ６ｘｘＨ及びＤＢｘｘＨ（但し、「ｘｘＨ」は図柄Ａに振り分けられた特図振分用乱数の値とする）を入力することになる。
【０２３３】
この場合、事前判定コマンドＤ６ｘｘＨを入力した統括制御用ＣＰＵ３１ａは、図１８に示す連続演出決定処理のステップＳ４０２及びステップＳ４０３で肯定判定しないとともに、統括制御用ＲＡＭ３１ｃにおいて第１特図保留記憶数に対応付けられた記憶領域に事前判定コマンドＤ７ｘｘＨが記憶されているか否かにかかわらず、連続演出の実行可を決定する。統括制御用ＣＰＵ３１ａが連続演出の実行可を決定した場合には、保留中の第１特図始動保留球に基づく３回の第１特別図柄変動ゲームを対象として連続演出が実行される。この場合には、連続演出を実行する対象となる第１特別図柄変動ゲーム中に、「擬似連続演出」を含む第１特別図柄変動ゲームが含まれ、連続演出が擬似連続演出に複合して実行される。具体的に説明すると、１回目の第１特別図柄変動ゲームには、演出用可動体ＳＫが図柄の変動開始時に「白色」の発光を伴って特定演出を実行する。また、２回目の第１特別図柄変動ゲームに対応する飾り図柄変動ゲームには、擬似連続演出として４回の変動サイクルが実行される。そして、２回目の第１特別図柄変動ゲームに対応する飾り図柄変動ゲーム中において１回目の変動サイクルには、１回目の第１特別図柄変動ゲームにおける特定演出の発光色（白色）に継続させて、演出用可動体ＳＫが図柄の変動開始時に「青色」の発光を伴って特定演出を実行し、２回目の変動サイクルには、図柄の変動開始時に演出用可動体ＳＫが「緑色」の発光を伴って特定演出を実行し、３回目及び４回目の変動サイクル中には、演出用可動体ＳＫが図柄の変動開始時に「赤色」の発光を伴って特定演出を実行するようになっている。そして、２回目の第１特別図柄変動ゲームに対応する飾り図柄変動ゲーム中において４回目の変動サイクルには、リーチ演出としてスーパーリーチが実行される。そして、３回目の第１特別図柄変動ゲームには、２回目の第１特別図柄変動ゲーム中の４回目の変動サイクルにおける特定演出の発光色（赤色）に継続させて、演出用可動体ＳＫが図柄の変動開始時に「赤色」の発光を伴って特定演出を実行する。このように、連続演出と擬似連続演出とが複合して実行される場合、連続演出としての特定演出を伴う単位変動数と、擬似連続演出としての単位変動数とを合算した連続実行回数に応じた発光色で特定演出が実行されるようになっている。そして、１回目及び２回目の第１特別図柄変動ゲーム（飾り図柄変動ゲーム）では、はずれ図柄が確定停止表示される。また、３回目の第１特別図柄変動ゲームでは、特別図柄１の大当り図柄として図柄Ａが確定停止表示される。
【０２３４】
このように、図２１（ａ）に示す状況では、図柄の変動開始から図柄の変動停止迄の特定演出を伴う単位変動が、連続演出として２回及び擬似連続演出として４回の合計６回実行され、最終的に第１確変１５Ｒ大当りが付与される。
【０２３５】
なお、図２１（ａ）に示すように、３球目の第１特図始動保留球が第１確変１５Ｒ大当りとなる第１特図始動保留球である状況において、１球目の第１特図始動保留球が、例えば、非確変１５Ｒ大当りとなる第１特図始動保留球であり且つ連続演出の実行不可を決定している場合、統括制御用ＣＰＵ３１ａは、図１８に示すステップＳ４０２で肯定判定し、連続演出の実行可を決定しない。このため、１回目及び３回目の第１特別図柄変動ゲームでは、特定演出が実行されないとともに、２回目の第１特別図柄変動ゲームでは、擬似連続演出を構成する変動サイクル毎に特定演出が実行される。
【０２３６】
また、図２１（ｂ）に示す状況は、３球目の第１特図始動保留球が「スーパーリーチ」となる第１特図始動保留球である点で図２１（ａ）に示す状況と相違している。この場合、統括制御用ＣＰＵ３１ａは、３球目の遊技球が第１始動入賞口２５へ入賞したタイミングで事前判定コマンドＤ８ｘｘＨを入力することになる。そして、事前判定コマンドＤ８ｘｘＨを入力した統括制御用ＣＰＵ３１ａは、統括制御用ＲＡＭ３１ｃにおいて各特図保留記憶数に対応付けられた記憶領域に事前判定コマンドＤ７ｘｘＨが記憶されていることから、図１８に示す連続演出決定処理のステップＳ４２２で否定判定し、連続演出の実行可を決定しないようになっている。このため、１回目及び３回目の第１特別図柄変動ゲームでは、特定演出が実行されないとともに、２回目の第１特別図柄変動ゲームでは、擬似連続演出を構成する変動サイクル毎に特定演出が実行される。
【０２３７】
次に、第１特図始動保留球に基づく連続演出を実行中に第２特別図柄変動ゲームが割り込み実行される状況について説明する。
図２２（ａ）に示す状況は、第１特別図柄変動ゲームの実行中において、第１始動入賞口２５に３球の遊技球が順次入球するとともに、１球目及び２球目の第１特図始動保留球が「はずれ通常変動」となる第１特図始動保留球であり、３球目の第１特図始動保留球が「スーパーリーチ」となる第１特図始動保留球であった状況を示している。この場合、統括制御用ＣＰＵ３１ａは、３球目の遊技球が第１始動入賞口２５へ入賞したタイミングで事前判定コマンドＤ８ｘｘＨを入力することになる。そして、事前判定コマンドＤ８ｘｘＨに基づき連続演出が実行されている場合において、２回目の第１特別図柄変動ゲーム中に２球の遊技球が第２始動入賞口２６に入賞し、何れも「はずれ通常変動」となる第２特図始動保留球として記憶された場合、２回目の第１特別図柄変動ゲームの終了後であって３回目の第１特別図柄変動ゲームの開始前に、２回の第２特別図柄変動ゲームが割り込み実行されることになる。この場合、統括制御用ＣＰＵ３１ａは、実行中の連続演出が、「第１確変１５Ｒ大当り」となる第１特図始動保留球に基づき実行されておらず、且つ割り込み実行される第２特別図柄変動ゲームが第１確変１５Ｒ大当りとなる第２特別図柄変動ゲームではないことから、割り込み実行される第２特別図柄変動ゲームにおける特定演出の実行を規制する。具体的に説明すると、１回目の第１特別図柄変動ゲームには、図柄の変動開始時に演出用可動体ＳＫが「白色」の発光を伴って特定演出を実行する。また、２回目の第１特別図柄変動ゲームには、図柄の変動開始時に演出用可動体ＳＫが「青色」の発光を伴って特定演出を実行する。割り込み実行される１回目及び２回目の第２特別図柄変動ゲームには、特定演出が実行されない。そして、３回目の第１特別図柄変動ゲームには、２回目の第１特別図柄変動ゲームにおける特定演出の発光色（青色）に継続させて、図柄の変動開始時に演出用可動体ＳＫが「緑色」の発光を伴って特定演出を実行する。そして、１回目と２回目の第１特別図柄変動ゲーム、及び１回目と２回目の第２特別図柄変動ゲームでは、はずれ図柄が確定停止表示される。また、３回目の第１特別図柄変動ゲームでは、リーチ演出としてスーパーリーチが実行され、はずれ図柄が確定停止表示される。
【０２３８】
また、図２２（ｂ）に示す状況は、３球目の第１特図始動保留球が「第１確変１５Ｒ大当り」となる第１特図始動保留球である点でのみ図２２（ａ）に示す状況と相違している。この場合、統括制御用ＣＰＵ３１ａは、３球目の遊技球が第１始動入賞口２５へ入賞したタイミングで事前判定コマンドＤ６ｘｘＨ及びＤＢｘｘＨ（但し、「ｘｘＨ」は図柄Ａに振り分けられた特図振分用乱数の値とする）を入力することになる。
【０２３９】
そして、事前判定コマンドＤ６ｘｘＨに基づき連続演出が実行されている場合において、２回目の第１特別図柄変動ゲーム中に２球の遊技球が第２始動入賞口２６に入賞し、「はずれ通常変動」となる第２特図始動保留球として記憶された場合、２回目の第１特別図柄変動ゲームの終了後であって３回目の第１特別図柄変動ゲームの開始前に、２回の第２特別図柄変動ゲームが割り込み実行されることになる。この場合、統括制御用ＣＰＵ３１ａは、実行中の連続演出が、「第１確変１５Ｒ大当り」となる第１特図始動保留球に基づき実行されていることから、割り込み実行される第２特別図柄変動ゲームにおける特定演出の実行を許容する。具体的に説明すると、１回目の第１特別図柄変動ゲームには、図柄の変動開始時に演出用可動体ＳＫが「白色」の発光を伴って特定演出を実行する。また、２回目の第１特別図柄変動ゲームには、図柄の変動開始時に演出用可動体ＳＫが「青色」の発光を伴って特定演出を実行する。割り込み実行される１回目の第２特別図柄変動ゲームには、２回目の第１特別図柄変動ゲームにおける特定演出の発光色（青色）に継続させて、図柄の変動開始時に演出用可動体ＳＫが「緑色」の発光を伴って特定演出を実行する。割り込み実行される２回目の第２特別図柄変動ゲームには、図柄の変動開始時に演出用可動体ＳＫが「赤色」の発光を伴って特定演出を実行する。そして、３回目の第１特別図柄変動ゲームには、割り込み実行される２回目の第２特別図柄変動ゲームにおける特定演出の発光色（赤色）に継続させて、図柄の変動開始時に演出用可動体ＳＫが「赤色」の発光を伴って特定演出を実行する。そして、１回目と２回目の第１特別図柄変動ゲーム及び１回目と２回目の第２特別図柄変動ゲームでは、はずれ図柄が確定停止表示される。そして、３回目の第１特別図柄変動ゲームでは、特別図柄１の大当り図柄として図柄Ａが確定停止表示される。
【０２４０】
以上説明したように、上記実施形態によれば、以下の作用効果を奏することができる。
（１）統括制御用ＣＰＵ３１ａは、統括制御用ＲＡＭ３１ｃにおいて各特図保留記憶数に対応付けられた記憶領域に事前判定コマンドＤ７ｘｘＨが記憶されていない場合、即ち、主制御用ＲＡＭ３０ｃに記憶された特図始動保留球に基づく特別図柄変動ゲーム中に擬似連続演出を含む特別図柄変動ゲームが存在しない場合には、入力した「大当り演出」を指示する事前判定コマンドＤ６ｘｘＨ、はずれのリーチ演出を指示する事前判定コマンドＤ８ｘｘＨ及びＤ９ｘｘＨに基づき連続演出の実行可を決定可能となっている。その一方で、統括制御用ＲＡＭ３１ｃにおいて各特図保留記憶数に対応付けられた記憶領域に事前判定コマンドの値Ｄ７ｘｘＨが記憶されている場合、即ち、主制御用ＲＡＭ３０ｃに記憶された特図始動保留球に基づく特別図柄変動ゲーム中に擬似連続演出を含む特別図柄変動ゲームが存在する場合には、はずれのリーチ演出を指示する事前判定コマンドＤ８ｘｘＨ及びＤ９ｘｘＨに基づき連続演出の実行可を決定しない一方で、「大当り演出」を指示する事前判定コマンドＤ６ｘｘＨに基づき連続演出の実行可を決定可能に構成した。このため、最終的にはずれとなる連続演出が擬似連続演出に複合して行なわれることを規制し、連続演出としての特定演出を伴う単位変動と擬似連続演出としての特定演出を伴う単位変動とで合計して所定回数の単位変動が連続して実行されたにもかかわらず、最終的にはずれになってしまう状況が発生することを回避できる。その一方で、最終的に大当りとなる連続演出が擬似連続演出に複合して行なわれることを許容したため、特定演出を伴う単位変動が所定回数、連続して行なわれたとしても遊技者の興趣を損なう虞がないだけでなく、特定演出を伴う単位変動が所定回数連続して実行されることに対する遊技者の期待感を高めることができる。
【０２４１】
（２）主制御用ＲＡＭ３０ｃに記憶された特図始動保留球に基づく特別図柄変動ゲーム中に、利益の高い「第１確変１５Ｒ大当り」が生起される特別図柄変動ゲームが含まれる場合に、連続演出が擬似連続演出と複合して実行される。このため、本実施形態のパチンコ遊技機１０では、連続演出が擬似連続演出と複合して行われる場合、より利益の高い第１確変１５Ｒ大当りが生起されることを遊技者に認識させることが可能となり、特定演出を伴う単位変動が所定回数、連続して実行されることに対する遊技者の期待感をより高めることができる。
【０２４２】
（３）統括制御用ＣＰＵ３１ａは、連続演出を実行中の場合には、第１確変１５Ｒ大当りとならない特図始動保留球に基づく連続演出の実行不可を決定するようにした。このため、連続演出に続けて新たな連続演出が行われる場合に、途中の特別図柄変動ゲームで一旦大当りとなってしまい、連続演出が途切れてしまうことを回避できる。
【０２４３】
（４）本実施形態では、同一の演出内容（擬似連続演出、ノーマルリーチ、及びスーパーリーチ）を特定する変動パターンのみを対応付けて変動パターン振分テーブルを構成するとともに、当該変動パターン振分テーブルをリーチ判定用乱数の値に対応付けた。このため、主制御用ＣＰＵ３０ａは、リーチ判定用乱数の値が第１〜第３リーチ判定値の何れに該当するかを入賞検知時に事前判定することによって、特別図柄開始処理で選択される変動パターンの区分（擬似連続演出、スーパーリーチ、及びノーマルリーチ）を特定することができる。このため、リーチ判定用乱数の値以外に、変動パターンの区分を事前判定するための判定用乱数の値を別途用意して事前判定する必要がなく、制御構成を簡略化して制御負担を軽減することができる。
【０２４４】
（５）主制御用ＣＰＵ３０ａは、各事前判定処理で事前判定した変動パターンの区分、及び変動パターンの区分を事前判定した時点における特図保留記憶数を示す事前判定コマンドを統括制御用ＣＰＵ３１ａに出力するようになっている。そして、統括制御用ＣＰＵ３１ａは、統括制御用ＲＡＭ３１ｃにおいて各特図保留記憶数に対応付けられた記憶領域に事前判定コマンドの値（Ｄ７ｘｘＨ）を記憶させるとともに、全図柄停止コマンドの入力毎に、各特図保留記憶数に対応付けられた記憶領域に記憶された値を書き換え処理（シフト処理）するようにした。このため、特定の事前判定コマンド（例えば、擬似連続演出を指示する「Ｄ７ｘｘＨ」）が記憶されている期間と、主制御用ＲＡＭ３０ｃに記憶された特図始動保留球に基づく特別図柄変動ゲーム中に、その特定の事前判定コマンドに対応する演出内容（例えば、擬似連続演出）の特別図柄変動ゲームが含まれている期間とを一致させ、統括制御用ＣＰＵ３１ａに保留中の特別図柄変動ゲームの演出内容を正確に把握させることができる。このため、連続演出決定処理において統括制御用ＣＰＵ３１ａは、連続演出を擬似連続演出と複合させて実行させるか否かを適切に決定することができる。
【０２４５】
（６）統括制御用ＣＰＵ３１ａは、変短状態（入球率向上状態）の終了時点及び電源供給の開始時点において主制御用ＲＡＭ３０ｃに記憶されている第１特図始動保留球に基づく第１特別図柄変動ゲームが全て終了する迄の間、連続演出の実行を規制する。このため、本実施形態のパチンコ遊技機１０では、仮に、主制御用ＲＡＭ３０ｃに記憶された第１特図始動保留球に基づく第１特別図柄変動ゲーム中に特定の変動内容（例えば、擬似連続演出）を含む第１特別図柄変動ゲームが含まれていたとしても、連続演出が特定の変動内容と複合して実行されることを確実に回避できる。
【０２４６】
（７）そして、統括制御用ＣＰＵ３１ａは、変短状態の終了時点及び電源供給の開始時点で保留されている全ての第１特別図柄変動ゲームが終了する迄の間、連続演出の実行を規制することで、統括制御用ＲＡＭ３１ｃにおいて各特図保留記憶数に対応付けられた記憶領域に事前判定コマンドの値が記憶保持されていない状況下であっても、連続演出が擬似連続演出に複合して実行されることを確実に回避できる。このため、本実施形態のパチンコ遊技機１０では、特定演出を伴う単位変動が所定回数、連続して実行されることに対する遊技者の期待感を損なってしまうことを抑制できる。
【０２４７】
（８）統括制御用ＣＰＵ３１ａは、変短状態の終了後、変短状態が終了した時点で主制御用ＲＡＭ３０ｃに記憶されている第１特図始動保留球に基づく第１特別図柄変動ゲームが全て終了する迄の間、連続演出の実行を規制する。このため、本実施形態のパチンコ遊技機１０では、仮に、主制御用ＲＡＭ３０ｃに記憶された第１特図始動保留球に基づく第１特別図柄変動ゲーム中に擬似連続演出を含む第１特別図柄変動ゲームが含まれていたとしても、連続演出が擬似連続演出に複合して実行されることを確実に回避できる。
【０２４８】
（９）統括制御用ＣＰＵ３１ａは、電源供給の開始後、当該電源供給の開始時点で主制御用ＲＡＭ３０ｃに記憶されている第１特図始動保留球に基づく第１特別図柄変動ゲームが全て終了する迄の間、連続演出の実行を規制する。このため、本実施形態では、仮に、主制御用ＲＡＭ３０ｃに記憶された第１特図始動保留球に基づく第１特別図柄変動ゲーム中に擬似連続演出を含む第１特別図柄変動ゲームが含まれていたとしても、連続演出が擬似連続演出に複合して実行されることを確実に回避できる。
【０２４９】
（１０）統括制御用ＣＰＵ３１ａは、変短状態の終了時点及び電源供給の開始時点で記憶されている第１特図保留記憶数にかかわらず、第１特図始動保留球を記憶可能な保留上限数（本実施形態では、「４」）の図柄変動ゲームが第１特図始動保留球に基づき終了する迄の間、連続演出の実行を規制するようにした。第１特図始動保留球は、保留上限数を超えて記憶されることがない。このため、本実施形態のパチンコ遊技機１０では、変短状態の終了後、及び電源供給の開始後に第１特図保留記憶数を都度判定し、連続演出の実行を規制する第１特別図柄変動ゲーム数を管理することなく、連続演出が擬似連続演出に複合して実行されることを確実に回避できる。
【０２５０】
（１１）統括制御用ＣＰＵ３１ａは、変短状態の終了後及び電源供給の開始後、第１特図始動保留球の保留上限数である「４回」の第１特別図柄変動ゲームが終了する迄の間に加えて、更に「１回」の第１特別図柄変動ゲームが終了する迄の間、連続演出の実行を規制するようにした。このため、単発の連続演出が実行されることを回避することができる。
【０２５１】
（１２）はずれリーチとなる第１特図始動保留球に基づく連続演出の実行中（即ち最終的にはずれとなる連続演出の実行中）に、第２特図始動保留球に基づく第２特別図柄変動ゲームが割り込み実行される場合、当該第２特別図柄変動ゲームにおける特定演出の実行を規制する一方で、「第１確変１５Ｒ大当り」となる第１特図始動保留球に基づく連続演出の実行中（即ち最終的に「第１確変１５Ｒ大当り」となる連続演出の実行中）に、第２特図始動保留球に基づく第２特別図柄変動ゲームが割り込み実行される場合、該第２特別図柄変動ゲームにおける特定演出の実行を許容するようにした。このため、本実施形態では、連続演出を開始した時点における第１特図保留記憶数を超えて特定演出を伴う特別図柄変動ゲーム（連続演出）が実行されたにもかかわらず、最終的にはずれとなることを抑制できる。このため、連続演出に対する遊技者の信頼感を損なわせ、遊技の興趣が低下することを回避できる。
【０２５２】
（１３）統括制御用ＣＰＵ３１ａは、第１連続演出実行処理（図１９参照）において連続実行カウンタの値を更新し、当該連続実行カウンタの値に応じた発光色（演出内容）で連続演出としての特定演出を実行させるようにした。このため、本実施形態では、特定演出が実行される特別図柄変動ゲームの連続実行回数を特定演出の発光色（演出内容）から遊技者に認識させることが可能となり、遊技者に理解しやすい演出を提供することができる。その一方で、統括制御用ＣＰＵ３１ａは、第２特図始動保留球に基づく第２特別図柄変動ゲームで特定演出を実行しない場合、当該第２特別図柄変動ゲームの実行に基づき連続実行カウンタの値を更新しない。このため、特定演出を伴わない第２特別図柄変動ゲームを連続実行回数に含めない（即ち、カウントしない）連続実行回数に対応する発光色で、次の第１特図始動保留球に基づく第１特別図柄変動ゲームで特定演出が実行されることになる。このため、第２特図始動保留球に基づく第２特別図柄変動ゲームの前後に分割して行われる第１特図始動保留球に基づく第１特別図柄変動ゲームの連続演出が継続していることを遊技者に認識させることができる。
【０２５３】
（１４）また、第１連続演出実行処理において統括制御用ＣＰＵ３１ａは、連続演出を擬似連続演出に複合させて実行する場合、擬似連続演出を構成する各変動サイクルを含めて連続実行カウンタの値を更新するとともに、当該連続実行カウンタの値に応じて各変動サイクル中の特定演出の発光色を決定するようにした。このため、本実施形態では、連続演出と擬似連続演出とで実行される特定演出の発光色が継続するように変化するため、連続演出と擬似連続演出とを一体の１つの遊技演出として遊技者に把握させることができる。
【０２５４】
（１５）第１連続演出実行処理において統括制御用ＣＰＵ３１ａは、実行中の連続演出が、他の大当りより利益の高い「第１確変１５Ｒ大当り」となる第１特図始動保留球に基づき実行されている場合にのみ、割り込み実行される第２特図始動保留球に基づく第２特別図柄変動ゲームでの特定演出の実行を許容するようにした（図１９に示すステップＳ５１２）。このため、特定演出を伴う図柄変動ゲーム（単位変動）が連続演出を開始した時点における第１特図保留記憶数を超えて実行されたにもかかわらず、「第１確変１５Ｒ大当り」とならないことで遊技者の興趣が低下することを抑制できる。そして、連続演出として、特定演出を伴う図柄変動ゲームが連続実行されることに対する遊技者の期待感をより高めることができる。
【０２５５】
（１６）また、第１連続演出実行処理において統括制御用ＣＰＵ３１ａは、割り込み実行される第２特図始動保留球に基づく第２特別図柄変動ゲームが他の大当りより利益の高い「第１確変１５Ｒ大当り」である場合には、当該第２特別図柄変動ゲームにおいて特定演出を実行するようにした（図１９に示すステップＳ５１０）。したがって、割り込み実行される第２特別図柄変動ゲームが「第１確変１５Ｒ大当り」となるにもかかわらず、当該第２特別図柄変動ゲームにおいて特別演出を実行しないことで、連続演出が終了した第１特別図柄変動ゲームの直後の第２特別図柄変動ゲームにおいて、連続演出を伴わないで「第１確変１５Ｒ大当り」となったかのように遊技者に認識され、連続演出に対する遊技者の信頼感を損なってしまうことを抑制できる。
【０２５６】
なお、上記実施形態は、以下の様に変形してもよい。
・  本実施形態において、図１２に示す連続演出設定処理を図７に示す特別図柄入力処理中に実行するように構成してもよい。具体的に説明すると、連続演出設定処理におけるステップＳ１０２〜Ｓ１０４の処理を、特別図柄入力処理におけるステップＳ４とステップＳ５の間に設けるとともに、連続演出設定処理におけるステップＳ１０５及びステップＳ１０６の処理を、特別図柄入力処理におけるステップＳ８の処理の後に設ける。そして、連続演出設定処理におけるステップＳ１０２及びステップＳ１０３の判定結果が肯定の場合、及びステップＳ１０４の第１事前判定処理を終了した場合には、特別図柄入力処理におけるステップＳ５に移行させる。また、連続演出設定処理におけるステップＳ１０５の判定結果が肯定の場合、及びステップＳ１０６の第２事前判定処理を終了した場合には、特別図柄入力処理を終了させるように構成すればよい。
【０２５７】
・  本実施形態において、主制御用ＣＰＵ３０ａは、図９に示すステップＳ３０の処理において、第１特図保留記憶数及び第２特図保留記憶数を合算して合算値を算出するとともに、算出した合算値に基づき第１リーチ判定値及び第２リーチ判定値の何れかを選択するように構成したが、第１特図保留記憶数を確認し、該第１特図保留記憶数に基づきリーチ判定値を選択するようにしてもよい。このように構成しても、本実施形態のパチンコ遊技機１０では、第２特図始動保留球が第１特図始動保留球に優先して消化されることから、ステップＳ３０の処理を行う際に必ず第２特図保留記憶数が「０（零）」になるため、合算値を算出することと実質的に相違なく処理を実行することができる。
【０２５８】
・  本実施形態において、統括制御用ＣＰＵ３１ａは、主制御用ＣＰＵ３０ａからオープニング開始コマンドを入力した際、統括制御用ＲＡＭ３１ｃにおいて第１特図保留記憶数の各値に対応付けられた記憶領域に記憶されている記憶内容（事前判定の結果）を全て消去してもよい。すなわち、第２特図保留記憶数の各値に対応付けられた記憶領域に記憶されている記憶内容（事前判定の結果）は、大当り遊技の開始を契機として消去（リセット）せずに、保持してもよい。
【０２５９】
・  本実施形態において、電源供給の開始を復帰条件とする場合、第２特図始動保留球に基づく第２特別図柄変動ゲームを対象として、実施形態で説明した第２特別処理と同様の処理をさらに実行するようにしてもよい。具体的に説明すると、統括制御用ＣＰＵ３１ａは、電源供給が開始されると、連続演出の実行を規制する第２特別図柄変動ゲームの回数を示す規制ゲーム回数（以下、「第２規制ゲーム回数」と示す）として「５」を統括制御用ＲＡＭ３１ｃの所定領域に設定する。また、統括制御用ＣＰＵ３１ａは、第２特別図柄変動ゲームの実行を指示する変動パターン指定コマンドの入力後、全図柄停止コマンドを入力したことを契機として規制ゲーム回数の値を「１」減算して更新する。そして、統括制御用ＣＰＵ３１ａは、前述した連続演出決定処理の実行前に第２規制ゲーム回数の値を参照し、該値が設定されていないことを条件として、連続演出決定処理を実行するようにすればよい。
【０２６０】
・  本実施形態において、大当り遊技終了後、第２特図始動保留球に基づく第２特別図柄変動ゲームを対象として、実施形態で説明した第１特別処理を実行するようにしてもよい。
【０２６１】
・  本実施形態において、大当り（確変２Ｒ大当りを含む）を契機に事前判定の結果を消去（リセット）する前提のもと、当り遊技（確変２Ｒ大当り遊技又は小当り遊技）終了後に変短状態を付与しない場合、該当り遊技終了後に実施形態で説明した第１特別処理を実行するように構成してもよい。
【０２６２】
・  本実施形態において、連続演出実行可否判定用テーブルＴＡ〜ＴＣにおける演出実行判定用乱数の値の振り分け態様は適宜変更してもよい。即ち、事前判定コマンドで「大当り演出」が指定された場合には、特図保留記憶数が少ないときよりも多いときに連続演出の実行可を決定し易く、事前判定コマンドではずれリーチ演出が指定された場合には、特図保留記憶数が多いときよりも少ないときに連続演出の実行可を決定し易く構成されておればよい。
【０２６３】
・  本実施形態において、入賞検知時に、当該入賞検知を契機として読み出された当り判定用乱数の値と大当り判定値とを比較して大当りか否かの事前判定を行ったが、大当り判定値に代えて事前判定用の大当り事前判定値を用いて判定するようにしてもよい。この場合、大当り事前判定値は、大当り判定値に設定された値と同一値を、同一数だけ設定するとよい。このように構成しても、入賞検知のタイミングで大当りか否かの事前判定をすることができる。
【０２６４】
・  本実施形態において、主制御用ＣＰＵ３０ａは、リーチ判定用乱数の値に基づき変動パターンの区分を特定するようにしたが、変動パターン振分用乱数の値に基づき変動パターンの区分を特定するようにしてもよい。
【０２６５】
・  本実施形態において、事前判定コマンドは、上位バイトで演出内容を特定し、下位バイトで事前判定した時点における特図保留記憶数（第１特図保留記憶数又は第２特図保留記憶数）を示すように構成したが、上位バイトと下位バイトで特定可能な情報を入れ替えてもよい。また、演出内容を特定可能な事前判定コマンドとは別に、特図保留記憶数を特定可能な事前判定コマンドを別途出力するようにしてもよい。
【０２６６】
・  本実施形態において、主制御用ＣＰＵ３０ａは、事前判定コマンドとして「大当り演出」を指示する「Ｄ６ｘｘＨ」、及びはずれリーチ演出として「擬似連続演出」を指示する「Ｄ７ｘｘＨ」のみを出力可能に構成してもよい。このように構成しても、統括制御用ＣＰＵ３１ａは、連続演出決定処理において連続演出と擬似連続演出とを複合させる場合と複合させない場合とを判定することができる。
【０２６７】
・  本実施形態において、主制御用ＣＰＵ３０ａは、事前判定コマンドとして「小当り」や、はずれ通常変動を指示する事前判定コマンドを出力するように構成してもよい。
・  本実施形態において、第１特別処理及び第２特別処理では、第１特図保留記憶数にかかわらず規制ゲーム回数として「５」を設定するようにしたが、異なる構成としてもよい。即ち、変短状態の終了時及び電源供給の開始時に、主制御用ＣＰＵ３０ａが記憶されている第１特図保留記憶数を示す保留信号を統括制御用ＣＰＵ３１ａに出力するとともに、当該統括制御用ＣＰＵ３１ａが第１特別処理又は第２特別処理の開始時に入力した保留信号に示される第１特図保留記憶数を規制ゲーム回数として設定するようにしてもよい。
【０２６８】
・  本実施形態において、第１特別処理及び第２特別処理では、規制ゲーム回数として「５」を設定するようにしたが、「４」を設定するようにしてもよい。また、規制ゲーム回数として「６」以上を設定するようにしてもよい。
【０２６９】
・  本実施形態において、統括制御用ＣＰＵ３１ａは、変短状態終了時における第１特別処理、及び電源供給の開始時における第２特別処理の何れかのみを実行するようにしてもよく、何れの特別処理を実行しないように構成してもよい。ただし、連続演出と擬似連続演出とを適切なタイミングで複合させる観点からは、両特別処理を実行することが好ましい。
【０２７０】
・  本実施形態において、連続実行カウンタの値の値に応じて特定演出の発光色を変化させたが、同一発光色による特定演出を毎回実行するように構成してもよい。
・  本実施形態において、特定演出は、特定演出（演出用可動体ＳＫ）の発光色を変化させて特定演出を伴う単位変動の連続実行回数を報知するようにしたが、異なる態様で単位変動の連続実行回数を報知してもよい。例えば、演出表示装置２２において、「スタート！」→「連続回数２回」→「連続回数３回」…のようにメッセージを表示したり、スピーカ１７ａ〜１７ｃにおいて同様のメッセージ音声を出力するようにしてもよい。
【０２７１】
・  本実施形態において、特定演出は、演出用可動体ＳＫによる可動体演出としたが、異なる遊技演出により特定演出を実行するようにしてもよい。例えば、特定演出は、各枠用ランプ部１６ａ〜１６ｃを所定の発光色で点滅させるなどの発光装飾や、各スピーカ１７ａ〜１７ｃから所定の音声（例えば、「もう１回！」など）を出力する音声演出により行ってもよい。また、特定演出は、演出表示装置２２（画像表示部ＧＨ）において、所定画像を表示する表示演出により実行してもよい。
【０２７２】
・  本実施形態において、擬似連続演出は、２回〜４回の変動サイクル数からなる擬似連続演出としたが、１回の変動サイクルからなる擬似連続演出や、５回以上の変動サイクルからなる擬似連続演出を含んで構成してもよい。
【０２７３】
・  本実施形態において、擬似連続演出は、リーチ演出が必ず行なわれるリーチ確定の演出としたが、リーチ演出が行われない擬似連続演出（所謂、ガセ擬似連続演出）を含んで構成してもよい。
【０２７４】
・  本実施形態において、統括制御用ＣＰＵ３１ａは、事前判定コマンドＤ６ｘｘＨとともに第２確変１５Ｒ大当り遊技、又は非確変１５Ｒ大当りを示す事前判定コマンド（ＤＢｘｘＨ又はＤＣｘｘＨ）を入力した場合であっても、統括制御用ＲＡＭ３１ｃにおいて各特図保留記憶数に対応する記憶領域に事前判定コマンドＤ７ｘｘＨが記憶されているか否かの判定を行うことなく、連続演出の実行可を決定し得るようにしてもよい。このように構成しても、連続演出と擬似連続演出とが複合して実行された場合には、少なくとも大当りとなることを遊技者に認識させることができる。
【０２７５】
・  本実施形態において、統括制御用ＣＰＵ３１ａは、連続演出決定処理において、擬似連続演出を対象として連続演出と複合させるか否かの判定を行ったが、他の特定の演出内容を対象としてもよい。この場合、主制御用ＣＰＵ３０ａが「特定の演出内容」を指示する事前判定コマンドを出力するとともに、統括制御用ＣＰＵ３１ａが、連続演出決定処理のステップＳ４１１及びＳ４２２において、「特定の演出内容」を示す事前判定コマンドの値が統括制御用ＲＡＭ３１ｃに記憶されているか否かの判定をするように構成すればよい。このように構成することで、最終的に「第１確変１５Ｒ大当り」となる連続演出のみを、「特定の演出内容」と複合して実行するようにできる。
【０２７６】
・  本実施形態において、統括制御基板３１を備えない構成としてもよい。この場合、統括制御用ＣＰＵ３１ａが実行する各種の制御を表示制御基板３２の表示制御用ＣＰＵ３２ａが実行するようにすればよい。
【０２７７】
・  本実施形態において、演出表示装置２２を液晶ディスプレイ型としたが、ドットマトリクス型や７セグメントＬＥＤ型の演出表示装置としてもよく、ドラム型などの機械式の演出表示装置としてもよい。
【０２７８】
・  本実施形態において、特別図柄１及び特別図柄２を用いるパチンコ遊技機１０に具体化したが、１つの特別図柄を用いるパチンコ遊技機１０に具体化してもよい。
・  本実施形態において、特別図柄と飾り図柄を用いるパチンコ遊技機１０に具体化したが、特別図柄のみを用いるパチンコ遊技機に具体化してもよい。
【０２７９】
次に、上記実施形態及び別例（変形例）から把握できる技術的思想について、以下に追記する。
（イ）複数種類の図柄を変動させて行う図柄変動ゲームを実行するゲーム実行手段を備え、前記図柄変動ゲームでは、１回又は連続して実行される複数回の図柄変動ゲーム毎に特定演出を実行可能であって前記特定演出を伴う図柄変動ゲームの連続回数に伴って大当り信頼度が変化する大当り予告演出を実行可能な遊技機において、入賞した遊技球を検知可能な第１入賞検知手段で入賞検知された遊技球を第１始動保留球として記憶する一方で、前記第１入賞検知手段とは別に設けられ、入賞した遊技球を検知可能な第２入賞検知手段で入賞検知された遊技球を第２始動保留球として記憶する保留記憶手段と、前記第１入賞検知手段における入賞検知を契機として判定用乱数の値を読み出す第１乱数読出手段と、前記第２入賞検知手段における入賞検知を契機として判定用乱数の値を読み出す第２乱数読出手段と、前記第２始動保留球が前記保留記憶手段に記憶されていない場合であって前記第１始動保留球が前記保留記憶手段に記憶されている場合には、前記第１乱数読出手段が読み出した判定用乱数の値と予め定めた大当り判定値とを比較して大当りか否かの第１大当り抽選を実行するとともに、前記第２始動保留球が前記保留記憶手段に記憶されている場合には、前記第２乱数読出手段が読み出した判定用乱数の値と前記大当り判定値とを比較して大当りか否かの第２大当り抽選を実行する大当り抽選手段と、前記大当り抽選手段の抽選結果に基づき前記図柄変動ゲームの変動内容を決定する変動内容決定手段と、前記変動内容決定手段が決定した変動内容にしたがって前記ゲーム実行手段を制御し、前記図柄変動ゲームを実行させるゲーム制御手段と、前記第１入賞検知手段における入賞検知時に、当該入賞検知を契機として読み出された判定用乱数の値が前記第１大当り抽選で大当りに当選する大当りを示す値であるか否かを事前判定する事前判定手段と、前記事前判定手段が肯定判定する実行条件の成立を契機として前記大当り予告演出を実行させる場合に、前記実行条件が成立した時点における前記第１始動保留球の記憶数分の図柄変動ゲームが、前記第１始動保留球に基づき実行されて終了する迄の間に実行される図柄変動ゲーム毎に前記特定演出を実行し、前記大当り予告演出を実行するように所定の予告実行手段を制御可能な予告制御手段と、前記大当り予告演出の実行中、当該大当り予告演出を実行する対象とされた前記第１始動保留球に基づく図柄変動ゲームのうち何れかの図柄変動ゲームの終了後、前記大当り予告演出を実行する対象とされた次の前記第１始動保留球に基づく図柄変動ゲームよりも先に割り込み実行される第２始動保留球に基づく図柄変動ゲームが前記第２大当り抽選で大当りに当選しないことではずれとなる図柄変動ゲームである場合には、当該第２始動保留球に基づく図柄変動ゲームにおける前記特定演出の実行を規制する一方、前記割り込み実行される第２始動保留球に基づく図柄変動ゲームが前記第２大当り抽選で大当りに当選することで大当りとなる図柄変動ゲームである場合には、当該第２始動保留球に基づく図柄変動ゲームにおける前記特定演出の実行を許容する予告規制手段と、を備えた遊技機。
【０２８０】
（ロ）複数種類の図柄を変動させて行う図柄変動ゲームを実行するゲーム実行手段を備え、前記図柄変動ゲームでは、１回又は連続して実行される複数回の図柄変動ゲーム毎に特定演出を実行可能であって前記特定演出を伴う図柄変動ゲームの連続回数に伴って大当り信頼度が変化する大当り予告演出を実行可能な遊技機において、入賞した遊技球を検知可能な第１入賞検知手段で入賞検知された遊技球を第１始動保留球として記憶する一方で、前記第１入賞検知手段とは別に設けられ、入賞した遊技球を検知可能な第２入賞検知手段で入賞検知された遊技球を第２始動保留球として記憶する保留記憶手段と、前記第１入賞検知手段における入賞検知を契機として判定用乱数の値を読み出す第１乱数読出手段と、前記第２入賞検知手段における入賞検知を契機として判定用乱数の値を読み出す第２乱数読出手段と、前記第２始動保留球が前記保留記憶手段に記憶されていない場合であって前記第１始動保留球が前記保留記憶手段に記憶されている場合には、前記第１乱数読出手段が読み出した判定用乱数の値と予め定めた大当り判定値とを比較して大当りか否かの第１大当り抽選を実行するとともに、前記第２始動保留球が前記保留記憶手段に記憶されている場合には、前記第２乱数読出手段が読み出した判定用乱数の値と前記大当り判定値とを比較して大当りか否かの第２大当り抽選を実行する大当り抽選手段と、前記大当り抽選手段の抽選結果に基づき前記図柄変動ゲームの変動内容を決定する変動内容決定手段と、前記変動内容決定手段が決定した変動内容にしたがって前記ゲーム実行手段を制御し、前記図柄変動ゲームを実行させるゲーム制御手段と、前記第１入賞検知手段における入賞検知時に、当該入賞検知を契機として読み出された判定用乱数の値が前記第１大当り抽選で大当りに当選する大当りを示す値であるか否かを事前判定する事前判定手段と、前記事前判定手段が否定判定する第１実行条件及び前記事前判定手段が肯定判定する第２実行条件の何れかの実行条件の成立を契機として前記大当り予告演出を実行させる場合に、前記第１実行条件又は前記第２実行条件が成立した時点における前記第１始動保留球の記憶数分の図柄変動ゲームが、前記第１始動保留球に基づき実行されて終了する迄の間に実行される図柄変動ゲーム毎に前記特定演出を実行し、前記大当り予告演出を実行するように所定の予告実行手段を制御可能な予告制御手段と、前記大当り予告演出の実行中、当該大当り予告演出を実行する対象とされた前記第１始動保留球に基づく図柄変動ゲームのうち何れかの図柄変動ゲームの終了後、前記大当り予告演出を実行する対象とされた次の前記第１始動保留球に基づく図柄変動ゲームよりも先に前記第２始動保留球に基づく図柄変動ゲームが割り込み実行される場合、前記大当り予告演出の対象とされた図柄変動ゲーム中に前記大当り抽選で大当りに当選することで大当りとなる図柄変動ゲームが含まれていないときには、前記第２始動保留球に基づく図柄変動ゲームにおける前記特定演出の実行を規制する一方、前記大当り予告演出の対象とされた図柄変動ゲーム中に前記大当り抽選で大当りに当選することで大当りとなる図柄変動ゲームが含まれているときには、前記第２始動保留球に基づく図柄変動ゲームにおける前記特定演出の実行を許容する予告規制手段と、を備えた遊技機。
【符号の説明】
【０２８１】
２２…演出表示装置（ゲーム実行手段）、２５…第１始動入賞口（入賞検知手段、第１入賞検知手段）、２６…第２始動入賞口（入賞検知手段、第２入賞検知手段）、２６ｂ…開閉羽根（開閉手段）、３０…主制御基板、３０ａ…主制御用ＣＰＵ（大当り抽選手段、変動内容決定手段、乱数読出手段、第１乱数読出手段、第２乱数読出手段、事前判定手段、大当り事前判定手段、変動内容事前判定手段、大当り種決定手段、遊技状態制御手段）、３０ｃ…主制御用ＲＡＭ（保留記憶手段、乱数記憶手段）、３１…統括制御基板、３１ａ…統括制御用ＣＰＵ（予告実行決定手段、予告制御手段、予告規制手段）、３１ｃ…統括制御用ＲＡＭ（事前判定記憶手段）、３２…表示制御基板、３２ａ…表示制御用ＣＰＵ（ゲーム制御手段）、ＢＤ…バックアップ用電源（バックアップ手段）、ＳＫ…演出用可動体（予告実行手段）。
【図１】
0005410877.tif 000002
【図２】
0005410877.tif 000003
【図３】
0005410877.tif 000004
【図４】
0005410877.tif 000005
【図５】
0005410877.tif 000006
【図６】
0005410877.tif 000007
【図７】
0005410877.tif 000008
【図８】
0005410877.tif 000009
【図９】
0005410877.tif 000010
【図１０】
0005410877.tif 000011
【図１１】
0005410877.tif 000012
【図１２】
0005410877.tif 000013
【図１３】
0005410877.tif 000014
【図１４】
0005410877.tif 000015
【図１５】
0005410877.tif 000016
【図１６】
0005410877.tif 000017
【図１７】
0005410877.tif 000018
【図１８】
0005410877.tif 000019
【図１９】
0005410877.tif 000020
【図２０】
0005410877.tif 000021
【図２１】
0005410877.tif 000022
【図２２】
0005410877.tif 000023